(57)【特許請求の範囲】
【請求項１】
マルチホップ通信ネットワークにおいてデータをルーティングするために中継器によって実行される方法であって、
少なくとも１つのプロセッサにより、無線ネットワークコントローラと中間基地局の間で使用されるインターフェースプロトコルレベルと同一のインターフェースプロトコルレベルを使用して、複数の移動デバイスに代行して前記中間基地局を介して前記無線ネットワークコントローラと通信することと、および、
前記中継器により、第１の無線リンク制御に基づいて、前記中間基地局との自己バックホールリンクに関しての、前記同一のインターフェースプロトコルレベルを使用しての通信に関するインターフェースプロトコルインスタンスのレイヤよりも低位のレイヤの無線インターフェースプロトコルインスタンスの第１のセットと、第２の無線リンク制御に基づいて、前記複数の移動デバイスのそれぞれとの無線アクセスリンクに関しての、前記同一のインターフェースプロトコルレベルを使用しての通信に関するインターフェースプロトコルインスタンスのレイヤよりも低位のレイヤの無線インターフェースプロトコルインスタンスの第２のセットと、を構成することであって、前記第１及び第２の無線リンク制御のそれぞれは、少なくともユーザデータトラフィックフローを独立して管理するように構成される、無線インターフェースプロトコルインスタンスの第１及び第２のセットを構成することと、
を備える方法。
【請求項２】
前記中間基地局から、サービスを受ける第１の移動デバイスおよびサービスを受ける第２の移動デバイスに関する、単一のフローとして受信されるデータを受信することと、
前記単一のフローとして受信された前記データをデマルチプレクスすることと、および、
前記データを、前記サービスを受ける第１の移動デバイスと前記サービスを受ける第２の移動デバイスに別々に伝送することと、
をさらに備える請求項１に記載の方法。
【請求項３】
前記サービスを受ける第１の移動デバイスおよび前記サービスを受ける第２の移動デバイスからデータを受信することと、
アグリゲートされたデータフローを作成するために、前記データをマルチプレクスすることと、および、
前記アグリゲートされたデータフローを前記中間基地局に伝送することと、
をさらに備える請求項１に記載の方法。
【請求項４】
無線ネットワークコントローラと中間基地局の間で使用されるインターフェースプロトコルレベルと同一のインターフェースプロトコルレベルを使用して、複数の移動デバイスに代行して前記中間基地局を介して前記無線ネットワークコントローラと通信することに関係する命令と、および、第１の無線リンク制御に基づいて、前記中間基地局との自己バックホールリンクに関しての、前記同一のインターフェースプロトコルレベルを使用しての通信に関するインターフェースプロトコルインスタンスのレイヤよりも低位のレイヤの無線インターフェースプロトコルインスタンスの第１のセットと、第２の無線リンク制御に基づいて、前記複数の移動デバイスのそれぞれとの無線アクセスリンクに関しての、前記同一のインターフェースプロトコルレベルを使用しての通信に関するインターフェースプロトコルインスタンスのレイヤよりも低位のレイヤの無線インターフェースプロトコルインスタンスの第２のセットと、を構成することに関係する命令と、を保持するメモリであって、前記第１及び第２の無線リンク制御のそれぞれは、少なくともユーザデータトラフィックフローを独立して管理するように構成される、メモリと、および、
前記メモリに結合され、前記メモリの中に保持される前記命令を実行するように構成されるプロセッサと、
を備える無線通信装置。
【請求項５】
前記メモリは、サービスを受ける第１のフローおよびサービスを受ける第２のフローに関するデータを単一のフローとして受信することに関係する命令と、前記単一のフローとして受信された前記データをデマルチプレクスすることに関係する命令と、および、前記データを、前記サービスを受ける第１のフローと前記サービスを受ける第２のフローに別々に伝送することに関係する命令と、をさらに保持する請求項４に記載の無線通信装置。
【請求項６】
前記メモリは、少なくとも２つのユーザフローからデータを受信することに関係する命令と、アグリゲートされたデータフローを作成するために、前記データをマルチプレクスすることに関係する命令と、および、前記アグリゲートされたデータフローを前記中間基地局に伝送することに関係する命令と、をさらに保持する請求項４に記載の無線通信装置。
【請求項７】
無線通信装置であって、
無線ネットワークコントローラと中間基地局の間で使用されるインターフェースプロトコルレベルと同一のインターフェースプロトコルレベルを使用して、複数の移動デバイスに代行して前記中間基地局を介して前記無線ネットワークコントローラと通信するための手段と、および、
第１の無線リンク制御に基づいて、前記中間基地局との自己バックホールリンクに関しての、前記同一のインターフェースプロトコルレベルを使用しての通信に関するインターフェースプロトコルインスタンスのレイヤよりも低位のレイヤの無線インターフェースプロトコルインスタンスの第１のセットと、第２の無線リンク制御に基づいて、前記複数の移動デバイスのそれぞれとの無線アクセスリンクに関しての、前記同一のインターフェースプロトコルレベルを使用しての通信に関するインターフェースプロトコルインスタンスのレイヤよりも低位のレイヤの無線インターフェースプロトコルインスタンスの第２のセットと、を構成することであって、前記第１及び第２の無線リンク制御のそれぞれは、少なくともユーザデータトラフィックフローを独立して管理するように構成される、無線インターフェースプロトコルインスタンスの第１及び第２のセットを構成するための手段と、
を備える無線通信装置。
【請求項８】
前記中間基地局から、サービスを受ける第１の移動デバイスおよびサービスを受ける第２の移動デバイスに関する、単一のフローとして受信されるデータを受信するための手段と、
前記単一のフローとして受信された前記データをデマルチプレクスするための手段と、および、
前記サービスを受ける第１の移動デバイスと前記サービスを受ける第２の移動デバイスに別々に前記データを伝送するための手段と、
をさらに備える請求項７に記載の無線通信装置。
【請求項９】
前記サービスを受ける第１の移動デバイスおよび前記サービスを受ける第２の移動デバイスからデータを受信するための手段と、
アグリゲートされたデータフローを作成するために、前記データをマルチプレクスするための手段と、および、
前記アグリゲートされたデータフローを前記中間基地局に伝送するための手段と、
をさらに備える請求項７に記載の無線通信装置。
【請求項１０】
コンピュータに、無線ネットワークコントローラと中間基地局の間で使用されるインターフェースプロトコルレベルと同一のインターフェースプロトコルレベルを使用して、複数の移動デバイスに代行して前記中間基地局を介して前記無線ネットワークコントローラと通信するようにさせるためのコードの第１のセットと、および、
前記コンピュータに、第１の無線リンク制御に基づいて、前記中間基地局との自己バックホールリンクに関しての、前記同一のインターフェースプロトコルレベルを使用しての通信に関するインターフェースプロトコルインスタンスのレイヤよりも低位のレイヤの無線インターフェースプロトコルインスタンスの第１のセットと、第２の無線リンク制御に基づいて、前記複数の移動デバイスのそれぞれとの無線アクセスリンクに関しての、前記同一のインターフェースプロトコルレベルを使用しての通信に関するインターフェースプロトコルインスタンスのレイヤよりも低位のレイヤの無線インターフェースプロトコルインスタンスの第２のセットと、を構成させるためのコードの第２のセットであって、前記第１及び第２の無線リンク制御のそれぞれは、少なくともユーザデータトラフィックフローを独立して管理するように構成される、コードの第２のセットと、
を備えるコンピュータプログラム。
【請求項１１】
前記コンピュータに、サービスを受ける第１のフローおよびサービスを受ける第２のフローに関するデータを単一のフローとして受信させるためのコードの第３のセットと、
前記コンピュータに、前記単一のフローとして受信された前記データをデマルチプレクスさせるためのコードの第４のセットと、および、
前記コンピュータに、前記データを、前記サービスを受ける第１のフローと前記サービスを受ける第２のフローに別々に伝送するようにさせるためのコードの第５のセットと、
をさらに備える請求項１０に記載のコンピュータプログラム。
【請求項１２】
前記コンピュータに、少なくとも２つのユーザフローからデータを受信させるためのコードの第３のセットと、
前記コンピュータに、アグリゲートされたデータフローを作成するために、前記データをマルチプレクスさせるためのコードの第４のセットと、および、
前記コンピュータに、前記アグリゲートされたデータフローを前記中間基地局に伝送するようにさせるためのコードの第５のセットと、
をさらに備える請求項１０に記載のコンピュータプログラム。
【請求項１３】
マルチホップ通信ネットワークにおいてデータをルーティングするための中継器の少なくとも１つのプロセッサであって、
無線ネットワークコントローラと中間基地局の間で使用されるインターフェースプロトコルレベルと同一のインターフェースプロトコルレベルを使用して、複数の移動デバイスに代行して前記中間基地局を介して前記無線ネットワークコントローラと通信する第１のモジュールと、および、
第１の無線リンク制御に基づいて、前記中間基地局との自己バックホールリンクに関しての、前記同一のインターフェースプロトコルレベルを使用しての通信に関するインターフェースプロトコルインスタンスのレイヤよりも低位のレイヤの無線インターフェースプロトコルインスタンスの第１のセットと、第２の無線リンク制御に基づいて、前記複数の移動デバイスのそれぞれとの無線アクセスリンクに関しての、前記同一のインターフェースプロトコルレベルを使用しての通信に関するインターフェースプロトコルインスタンスのレイヤよりも低位のレイヤの無線インターフェースプロトコルインスタンスの第２のセットと、を構成する第２のモジュールであって、前記第１及び第２の無線リンク制御のそれぞれは、少なくともユーザデータトラフィックフローを独立して管理するように構成される、第２のモジュールと、
を備える少なくとも１つのプロセッサ。
【発明の詳細な説明】
【技術分野】
【０００１】
［相互参照］
本出願は、本出願の譲受人に譲渡され、参照により本明細書に明確に組み込まれている２００８年１１月５日に出願された「Ａ  ＭＥＴＨＯＤ  ＦＯＲ  ＢＡＳＥ  ＳＴＡＴＩＯＮ  ＲＥＬＡＹＩＮＧ  ＩＮ  Ａ  ＭＵＬＴＩＨＯＰ  ＨＥＴＥＲＯＧＥＮＥＯＵＳ  ＵＭＴＳ  ＷＩＲＥＬＥＳＳ  ＣＯＭＭＵＮＩＣＡＴＩＯＮ  ＳＹＳＴＥＭ」という名称の米国特許仮出願第６１／１１１，６６８号、ならびに２００８年１１月５日に出願された「Ａ  ＭＥＴＨＯＤ  ＦＯＲ  ＳＵＰＥＲ−ＬＩＧＨＴ  ＲＯＵＴＥＲ  ＲＥＬＡＹＩＮＧ  ＩＮ  Ａ  ＭＵＬＴＩＨＯＰ  ＨＥＴＥＲＯＧＥＮＥＯＵＳ  ＵＭＴＳ  ＷＩＲＥＬＥＳＳ  ＣＯＭＭＵＮＩＣＡＴＩＯＮ  ＳＹＳＴＥＭ」という名称の米国特許仮出願第６１／１１１，６７７号の優先権を主張する出願である。
【０００２】
以下の説明は、一般に、無線通信に関し、より詳細には、無線通信ネットワークにおける無線中継器の展開に関する。
【背景技術】
【０００３】
無線通信システムは、ユーザがどこに位置しているか（たとえば、構造物の内部または外部）にかかわらず、さらにユーザが静止しているか、移動中である（たとえば、車両内で、歩行中で）かにかかわらず、さまざまなタイプの通信を提供するために、および情報を通信するために広く展開される。たとえば、ボイス、データ、ビデオ、等々が、無線通信システムを介して提供され得る。通常の無線通信システム、または無線通信ネットワークは、１つまたは複数の共有リソースへのアクセスを複数のユーザに提供することができる。システムは、周波数分割多重化（Frequency Division Multiplexing：ＦＤＭ）、時分割多重化（Time Division Multiplexing：ＴＤＭ）、符号分割多重化（Code Division Multiplexing：ＣＤＭ）、直交周波数分割多重化（Orthogonal Frequency Division Multiplexing：ＯＦＤＭ）、３ＧＰＰロングタームエボリューション（Long Term Evolution：ＬＴＥ）、およびその他などのさまざまな多元接続技術を使用することができる。
【０００４】
無線中継器は、比較的低い費用でカバレッジ拡張および容量増加を実現するために、無線ネットワーク（たとえば、ユニバーサルモバイルテレコミュニケーションズシステム（Universal Mobile Telecommunications System：ＵＭＴＳ）高速パケットアクセスエボリューション（High Speed Packet Access Evolution：ＨＳＰＡ＋）など）において展開される。しかし、中継器（たとえば、マルチホップシステム）の設計は、シングルホップのために設計された無線インターフェースシステムに中継器を含めることと関係する問題を生じる。さらに、新たな、または変更されたユーザ機器（もしくは移動デバイス）、基地局（ノードＢ（NodeB））などのネットワーク要素、およびインターフェースを要求する変更を軽減する動機が存在する。さらに、ネットワーキングおよび処理は、中継器上の移動デバイス対中継器上にない移動デバイスに関して調和させられるべきである。
【発明の概要】
【０００５】
以下は、１つまたは複数の態様の簡略化された概要を、そのような態様の基本的な理解をもたらすために提示する。この概要は、企図されるすべての態様の広範な概観ではなく、すべての態様の重要な要素または不可欠な要素を特定することも、いずれかの態様、またはすべての態様の範囲を線引きすることも意図していない。この概要の唯一の目的は、後段で提示されるより詳細な説明の前置きとして、１つまたは複数の態様を簡略化された形態で提示することである。
【０００６】
或る態様によれば、移動デバイスに行われる必要がある変更は、存在する場合でも、少数である、遠隔ノードＢ中継器（Remote NodeB Relay）が説明される。さらに、無線ネットワークコントローラ（Radio Network Controller：ＲＮＣ）に必要とされるいかなる変更も、遠隔ノードＢ中継器が、ＲＮＣ、およびサービスを受ける移動デバイスから見て、ノードＢと同様に見えるので、制限されることが可能である。さらに、より効果的なパフォーマンスおよびサービス品質（Quality of Service：ＱｏＳ）が、遠隔ノードＢ中継器によるサービスを受ける移動デバイスに提供され得る。
【０００７】
別の態様によれば、移動デバイス、ノードＢ、あるいはＲＮＣと中間ノードＢの間のインターフェースの変更は全く（または非常に少数しか）要求されない、スーパーライトルータ中継器（Super-Light Router Relay）が提供される。さらに、スーパーライトルータ中継器によるサービスを受ける移動デバイスに、より良好なパフォーマンスおよびＱｏＳが提供されることが可能である。
【０００８】
さらに別の態様において、提供されるのは、移動デバイス、ノードＢ、あるいはＲＮＣと中間ノードＢの間のインターフェースの変更を要求する場合でも、少数しか要求しないインターネットプロトコル（Internet Protocol：ＩＰ）中継器である。さらに、一部の態様において、ＲＮＣおよび／またはコアネットワークの変更は、インフラストラクチャが必ずしもオールＩＰではない可能性がある（たとえば、ノードＢおよびＲＮＣが、対応するＩＰプロトコルレイヤを含まない可能性がある）ものの、戦略的な中継器ゲートウェイ（Relay Gateway）の利用を介して軽減されることが可能である。
【０００９】
或る態様は、マルチホップ通信ネットワークにおいてデータをルーティングするために中継器によって実行される方法に関する。方法は、以下の動作を実施するようにコンピュータ可読記憶媒体上に格納されたコンピュータ実行可能命令を実行するプロセッサを使用することを含む。方法は、移動デバイスに代行して中間基地局を介して無線ネットワークコントローラと通信することを含み、この通信することは、無線ネットワークコントローラと中間基地局の間で使用されるシグナリング方法と同一のシグナリング方法である。さらに、方法は、サービスを受ける少なくとも１つの移動デバイスとして動作することを含み、この動作することは、中継器と中間基地局の間の自己バックホールリンクに関して、より低位のレイヤの無線インターフェースプロトコルインスタンスの第１のセットと、サービスを受ける少なくとも１つの移動デバイスに対する無線アクセスリンクに関して、より低位のレイヤの無線インターフェースプロトコルインスタンスの第２のセットと、を使用することを備える。
【００１０】
別の態様は、メモリと、プロセッサとを含む無線通信装置に関する。メモリは、移動デバイスに代行して中間基地局を介して無線ネットワークコントローラと通信することに関連する命令と、より低位のレイヤの無線インターフェースプロトコルインスタンスの第１のセットとより低位のレイヤの無線インターフェースプロトコルインスタンスの第２のセットとを使用して、サービスを受ける少なくとも１つのフローとして動作することに関係する命令と、を保持する。プロセッサは、メモリに結合され、さらにメモリの中に保持される命令を実行するように構成される。
【００１１】
別の態様は、移動デバイスに代行して中間基地局を介して無線ネットワークコントローラと通信するための手段を含む無線通信装置に関し、この通信することは、無線ネットワークコントローラと中間基地局の間で使用されるシグナリング方法と同一のシグナリング方法である。また、無線通信装置は、サービスを受ける少なくとも１つの移動デバイスとして動作するための手段も含む。この動作することは、中継器と中間基地局の間の自己バックホールリンクに関して、より低位のレイヤの無線インターフェースプロトコルインスタンスの第１のセットと、サービスを受ける少なくとも１つの移動デバイスに対する無線アクセスリンクに関して、より低位のレイヤの無線インターフェースプロトコルインスタンスの第２のセットと、を使用することを備える。
【００１２】
一部の態様によれば、無線通信装置は、中間基地局から、サービスを受ける少なくとも１つの移動デバイス、およびサービスを受ける少なくとも第２の移動デバイスに関するデータを受信するための手段を含む。やはり含まれるのは、単一のフローとして受信されたデータをデマルチプレクスするための手段と、サービスを受ける少なくとも１つの移動デバイスとサービスを受ける少なくとも第２の移動デバイスとに別々にデータを伝送するための手段と、であり得る。一部の態様によれば、無線通信装置は、サービスを受ける少なくとも１つの移動デバイスとサービスを受ける少なくとも第２の移動デバイスとからデータを受信するための手段を含む。やはり含まれるのは、アグリゲートされたデータを作成するためにデータをマルチプレクスするための手段と、このアグリゲートされたデータを中間基地局に伝送するための手段と、であり得る。
【００１３】
さらに別の態様は、コンピュータ可読記憶媒体を備えるコンピュータプログラム製品に関する。コンピュータ可読記憶媒体に含まれるのは、コンピュータに、移動デバイスに代行して中間基地局を介して無線ネットワークコントローラと通信するようにさせるためのコードの第１のセットである。やはりコンピュータ可読記憶媒体に含まれるのは、コンピュータに、より低位のレイヤの無線インターフェースプロトコルインスタンスの第１のセットとより低位のレイヤの無線インターフェースプロトコルインスタンスの第２のセットとを使用して、サービスを受ける少なくとも１つのフローとして動作させるためのコードの第２のセットである。
【００１４】
別の態様は、移動デバイスに代行して通信する第１のモジュールと、サービスを受ける少なくとも１つの移動デバイスとして動作する第２のモジュールと、を含む少なくとも１つのプロセッサに関する。また、少なくとも１つのプロセッサは、サービスを受ける少なくとも１つの移動デバイスへの受け取ったデータをマルチプレクスする、またはそのようなデバイスからの受け取ったデータをデマルチプレクスする第３のモジュールも含む。
【００１５】
関連する別の態様は、無線通信ネットワークにおいてデータを伝送するために中継器によって実行される方法である。方法は、以下の動作を実施するようにコンピュータ可読記憶媒体上に格納されたコンピュータ実行可能命令を実行するプロセッサを使用することを含み得る。方法は、無線アクセスリンクを介して少なくとも１つの移動デバイスにサービスを提供することを含み、このサービスを提供することは、第１の物理レイヤ、データリンクレイヤプロトコルスタック、および無線リソース制御サーバを使用することを備える。さらに、方法は、第２の物理レイヤ、データリンクレイヤプロトコルスタック、および無線リソース制御クライアントを使用してホスト無線ネットワークコントローラに接続することを含み、この接続することは、中間基地局に対する無線バックホールリンクを介する。さらに、方法は、中間基地局にトランスペアレントである遠隔無線ネットワーク制御プロトコルを使用してホスト無線ネットワークコントローラと通信することと、無線バックホールリンクと無線アクセスリンクの間のデータフローを、遠隔無線ネットワーク制御プロトコル上で通信された調整情報を使用してマップすることと、を含む。
【００１６】
関連する態様においては、メモリと、プロセッサとを含む無線通信装置である。メモリは、無線アクセスリンクを介して少なくとも１つの移動デバイスにサービスを提供することに関係する命令と、ホスト無線ネットワークコントローラに接続することに関係する命令と、中間基地局にトランスペアレントな遠隔無線ネットワーク制御プロトコルを使用してホスト無線ネットワークコントローラと通信することに関係する命令と、を保持する。メモリは、無線バックホールリンクと無線アクセスリンクの間のデータフローを、遠隔無線ネットワーク制御プロトコル上で通信された調整情報を使用してマップすることに関係する命令をさらに保持する。プロセッサは、メモリに結合され、さらにメモリの中に保持される命令を実行するように構成される。
【００１７】
別の態様は、第１の物理レイヤ、データリンクレイヤプロトコルスタック、および無線リソース制御サーバの使用を通して、無線アクセスリンクを介して少なくとも１つの移動デバイスにサービスを提供するための手段を含む無線通信装置に関する。やはり無線通信装置に含まれるのは、中間基地局に対する無線バックホールリンクを介して、第２の物理レイヤ、データリンクレイヤプロトコルスタック、および無線リソース制御クライアントを使用してホスト無線ネットワークコントローラに接続するための手段である。やはり含まれるのは、中間基地局にトランスペアレントである遠隔無線ネットワーク制御プロトコルを使用してホスト無線ネットワークコントローラと通信するための手段である。さらに、無線通信装置は、無線バックホールリンクと無線アクセスリンクの間のデータフローを、遠隔無線ネットワーク制御プロトコル上で通信された調整情報を使用してマップするための手段を含む。
【００１８】
一部の態様によれば、無線通信装置は、サービスを受ける移動デバイスに対する接続を、バックホールリンクを介する別の接続とアグリゲートするための手段と、接続のためのアグリゲートされていないアクセスリンクを、アグリゲートされたバックホールリンクにマップするために、ホスト無線ネットワークコントローラと情報を交換するための手段と、を含む。一部の態様によれば、無線通信装置は、サービスを受ける少なくとも１つの移動デバイスがソフトハンドオフに入ることを制限し、基地局によるサービスを受ける移動デバイスが、中継器を相手にソフトハンドオフに入ることを制限するための手段を含む。
【００１９】
別の態様は、コンピュータ可読記憶媒体を備えるコンピュータプログラム製品に関する。コンピュータ可読記憶媒体に含まれるのは、コンピュータに、無線アクセスリンクを介して少なくとも１つの移動デバイスにサービスを提供するようにさせるためのコードの第１のセットであり、このサービスを提供することは、第１の物理レイヤ、データリンクレイヤプロトコルスタック、および無線リソース制御サーバを使用することを備える。やはりコンピュータ可読記憶媒体に含まれるのは、コンピュータに、第２の物理レイヤ、データリンクレイヤプロトコルスタック、および無線リソース制御クライアントを使用してホスト無線ネットワークコントローラに接続するようにさせるためのコードの第２のセットであり、この接続することは、中間基地局に対する無線バックホールリンクを介する。やはり含まれるのは、コンピュータに、中間基地局にトランスペアレントである遠隔無線ネットワーク制御プロトコルを使用してホスト無線ネットワークコントローラと通信するようにさせるためのコードの第３のセットである。さらに、コンピュータ可読記憶媒体は、コンピュータに、無線バックホールリンクと無線アクセスリンクの間のデータフローを、遠隔無線ネットワーク制御プロトコル上で通信された調整情報を使用してマップするようにさせるためのコードの第４のセットを含む。
【００２０】
さらに別の態様は、第１の物理レイヤ、データリンクレイヤプロトコルスタック、および無線リソース制御サーバを使用して無線アクセスリンクを介して少なくとも１つの移動デバイスにサービスを提供する第１のモジュールを含む少なくとも１つのプロセッサに関する。やはり含まれるのは、中間基地局に対する無線バックホールリンクを介して、第２の物理レイヤ、データリンクレイヤプロトコルスタック、および無線リソース制御クライアントを使用してホスト無線ネットワークコントローラに接続する第２のモジュールである。さらに、この少なくとも１つのプロセッサは、中間基地局にトランスペアレントである遠隔無線ネットワーク制御プロトコルを使用してホスト無線ネットワークコントローラと通信する第３のモジュールと、無線バックホールリンクと無線アクセスリンクの間のデータフローを、遠隔無線ネットワーク制御プロトコル上で通信された調整情報を使用してマップする第４のモジュールとを含む。
【００２１】
さらなる態様は、無線通信ネットワークにおいて中継されたデータを伝送するために中継器によって実行される方法に関する。方法は、以下の動作を実施するようにコンピュータ可読記憶媒体上に格納されたコンピュータ実行可能命令を実行するプロセッサを使用することを含む。方法は、基地局としてサービスを受ける移動局と通信するための基地局プロトコルと、移動デバイスとして中間基地局と通信するための移動デバイスプロトコルと、を利用することを含む。さらに、方法は、少なくとも１つの中間ネットワーク要素を横断してトランスペアレントにデータを伝送することを含み、中継器は、移動デバイスに、または移動デバイスからデータを伝送し、さらに、少なくとも１つの中間ネットワーク要素を横断してトランスペアレントに中継器ゲートウェイに、または中継器ゲートウェイからデータを伝送する、中継自己バックホールインターネットプロトコルを有する。
【００２２】
別の態様は、メモリと、プロセッサとを含む無線通信装置に関する。メモリは、基地局としてサービスを受ける移動局と通信するための基地局プロトコルと、移動デバイスとして中間基地局と通信するための移動デバイスプロトコルと、を利用することに関係する命令と、少なくとも１つの中間ネットワーク要素を横断してトランスペアレントにデータを伝送することに関係する命令と、を保持する。プロセッサがメモリに結合され、さらにメモリの中に保持される命令を実行するように構成される。
【００２３】
さらに別の態様は、無線アクセス技術相互動作をサポートする無線通信装置に関する。無線通信装置に含まれるのは、基地局としてサービスを受ける移動局と通信するための基地局プロトコルと、移動デバイスとして中間基地局と通信するための移動デバイスプロトコルと、を使用して通信するための手段である。また、無線通信装置は、少なくとも１つの中間ネットワーク要素を横断してトランスペアレントにデータを伝送するための手段も含む。
【００２４】
別の態様は、コンピュータ可読記憶媒体を備えるコンピュータプログラム製品に関する。コンピュータ可読記憶媒体に含まれるのは、コンピュータに、基地局プロトコルを使用して基地局として通信させ、移動デバイスプロトコルを使用して移動デバイスとして通信するようにさせるためのコードの第１のセットである。やはりコンピュータ可読記憶媒体に含まれるのは、コンピュータに、少なくとも１つの中間ネットワーク要素を横断してトランスペアレントにデータを中継させるためのコードの第２のセットである。
【００２５】
さらなる態様は、基地局としてサービスを受ける移動局と通信するための基地局プロトコルを使用して通信し、移動デバイスとして中間基地局と通信するための移動デバイスプロトコルを使用して通信する第１のモジュールを含む少なくとも１つのプロセッサに関する。やはり含まれるのは、少なくとも１つの中間ネットワーク要素を横断してトランスペアレントにデータを伝送する第２のモジュールである。
【００２６】
別の態様は、マルチホップ通信ネットワークにおいて通信するために基地局によって実行される方法に関する。方法は、以下の動作を実施するようにコンピュータ可読記憶媒体上に格納されたコンピュータ実行可能命令を実行するプロセッサを使用することを含む。方法は、第１のバックホール通信プロトコルを使用して無線ネットワークコントローラと通信し、第２のバックホール通信プロトコルを使用して中継器と通信することを含み、第１のバックホール通信プロトコルは、中継器と無線ネットワークコントローラの間のデータを含む。さらに、方法は、第１のバックホール通信プロトコルに含まれる情報に基づいて、第２のバックホール通信プロトコル上で中継のためのデータを転送することを含む。
【００２７】
以上、および関連する目的を達するのに、１つまたは複数の態様は、以下に完全に説明され、特許請求の範囲において特に指摘される特徴を備える。以下の説明、および添付の図面は、１つまたは複数の態様のいくつかの例示的な特徴を詳細に示す。しかし、これらの特徴は、さまざまな態様の原理が使用されることが可能であるさまざまな仕方のうちいくつかを示すに過ぎない。他の利点、および新奇な特徴は、図面と併せて考慮されると、以下の詳細な説明から明白となり、開示される態様は、すべてのそのような態様、および均等の態様を含むことを意図している。
【図面の簡単な説明】
【００２８】
【図１】図１は、シングルホップネットワークとマルチホップネットワークの間の比較の概略図を示している。
【図２】図２は、本明細書で開示されるＲＮＣ擬似トランスペアレント態様のためのプロトコルエンドポイントの概略図を示している。
【図３】図３は、本明細書で説明されるＲＮＣ擬似トランスペアレント態様のためのプロトコルアーキテクチャを示している。
【図４】図４は、或る態様によるＲＮＣ  Ｉｕｂインターフェース（RNC Iub Interfaces）の抽象（論理）図を示している。
【図５】図５は、或る態様によるＲＮＣエージェント（RNC Agent）のための無線インターフェースプロトコルエンドポイントの概略図を示している。
【図６】図６は、或る態様によるＲＮＣエージェントのためのプロトコルアーキテクチャを示している。
【図７】図７は、或る態様によるＲＮＣ遠隔シグナリングのためのプロトコルエンドポイントの概略図を示している。
【図８】図８は、或る態様によるＲＮＣ遠隔シグナリング（RNC Remote Signaling）のためのプロトコルアーキテクチャを示している。
【図９】図９は、或る態様による自己バックホールアグリゲーションを示している。
【図１０】図１０は、或る態様による優先フローごとの自己バックホールアグリゲーションを示している。
【図１１】図１１は、或る態様による、スーパーライトルータ中継器（Super-Light Router Relay）に関する移動デバイスからコアネットワークに至るパス上の無線インターフェースプロトコルおよびそれらのエンドポイントの概略図を示している。
【図１２】図１２は、或る態様によるスーパーライトルータ中継器および関連するネットワーク要素のプロトコルアーキテクチャを示している。
【図１３】図１３は、或る態様による自己バックホールアグリゲーションの概略図を示している。
【図１４】図１４は、或る態様による優先フローごとの自己バックホールアグリゲーションの概略図を示している。
【図１５】図１５は、或る態様によるＩＰ中継器（IP Relay）を伴う概略図を示している。
【図１６】図１６は、或る態様による中継器なしのアーキテクチャの概略図を示している。
【図１７】図１７は、或る態様による中継器を有さないベースラインアーキテクチャの概略図を示している。
【図１８】図１８は、或る態様によるＩＰ中継器上にすべての移動デバイスを有するアーキテクチャを示している。
【図１９】図１９は、或る態様による中継器上にすべての移動デバイスを有するプロトコルエンドポイントの概略図を示している。
【図２０】図２０は、或る態様による中継器非中継器ゲートウェイ（Relay Non-Relay Gateway）の概略図を示している。
【図２１】図２１は、或る態様による中継器非中継器ゲートウェイアーキテクチャに関するプロトコルを示している。
【図２２】図２２は、或る態様による中継器非中継器ゲートウェイブレークアウト（Break-Out）を示している。
【図２３】図２３は、或る態様による中継器アクセスゲートウェイ（Relay Access Gateway）の概略図を示している。
【図２４】図２４は、或る態様による中継器アクセスゲートウェイプロトコルアーキテクチャを示している。
【図２５】図２５は、或る態様による中継器アクセスゲートウェイブレークアウトを示している。
【図２６】図２６は、或る態様による中継器ゲートウェイに関する中継器コアゲートウェイ（Relay Core Gateway）のためのネットワーク設計を示している。
【図２７】図２７は、或る態様によるプロトコルから見た中継器コアゲートウェイプロトコル（Relay Core Gateway Protocols）を示している。
【図２８】図２８は、或る態様による中継器コアゲートウェイブレークアウト（Relay Core Gateway Break-Out）を示している。
【図２９】図２９は、マルチホップ通信ネットワークにおいてデータをルーティングするための方法を示している。
【図３０】図３０は、マルチホップ通信ネットワークにおいて通信するための方法を示している。
【図３１】図３１は、無線通信ネットワークにおいてデータを伝送するための方法を示している。
【図３２】図３２は、無線通信ネットワークにおいて中継されるデータを伝送するための方法を示している。
【図３３】図３３は、或る態様によるマルチホップ通信ネットワークにおいてデータをルーティングすることを容易にする例示的なシステムを示している。
【図３４】図３４は、或る態様による無線通信ネットワークにおいてデータを伝送することを容易にする例示的なシステムを示している。
【図３５】図３５は、或る態様による無線通信ネットワークにおいて中継されるデータを伝送することを容易にする例示的なシステムを示している。
【図３６】図３６は、或る態様による無線通信ネットワークにおいて中継されるデータを伝送することを容易にする例示的なシステムを示している。
【図３７】図３７は、開示される態様の１つまたは複数によるマルチホップセルラ通信システムにおいて中継することを容易にするシステムを示している。
【図３８】図３８は、さまざまな態様による例示的な無線通信システムを示している。
【発明を実施するための形態】
【００２９】
次に、さまざまな態様が、図面を参照して説明される。以下の説明において、説明のため、多数の特定の詳細が、１つまたは複数の態様の完全な理解をもたらすために示される。しかし、そのような態様は、これらの特定の詳細なしに実施されることも可能であることが明白であり得る。その他、よく知られた構造およびデバイスは、これらの態様を説明するのを容易にするためにブロック図形態で示される。
【００３０】
本出願で使用される「構成要素」、「モジュール」、「システム」などの用語は、ハードウェア、ファームウェア、ハードウェアとソフトウェアの組合せ、ソフトウェア、または実行中のソフトウェアである、コンピュータ関連のエンティティを指すことを意図している。たとえば、構成要素は、プロセッサ上で実行されるプロセス、プロセッサ、オブジェクト、実行可能ファイル、実行のスレッド、プログラム、および／またはコンピュータであることが可能であるが、以上には限定されない。例として、コンピューティングデバイス上で実行されるアプリケーションとそのコンピューティングデバイスがともに、構成要素であり得る。１つまたは複数の構成要素が、プロセス内、および／または実行のスレッド内に存在することが可能であり、構成要素は、１つのコンピュータ上に局所化されること、および／または２つ以上のコンピュータの間で分散されることが可能である。さらに、これらの構成要素は、さまざまなデータ構造が格納されているさまざまなコンピュータ可読記憶媒体から実行され得る。構成要素は、１つまたは複数のデータパケットを有する信号に従うなどして（たとえば、１つの構成要素からのデータが、信号によってローカルシステムにおいて、分散システムにおいて、さらに／または他のシステムを相手にした、インターネットなどのネットワークを介して、別の構成要素と対話して）、ローカルプロセスおよび／または遠隔プロセスによって通信することが可能である。
【００３１】
さらに、さまざまな態様が、移動デバイスに関連して本明細書で説明される。移動デバイスは、システム、加入者ユニット、加入者局、移動局、移動機、無線端末装置、ノード、デバイス、遠隔局、遠隔端末装置、アクセス端末装置、ユーザ端末装置、端末装置、無線通信デバイス、無線通信装置、ユーザエージェント、ユーザデバイス、またはユーザ機器（ＵＥ）などと呼ばれることも可能であり、以上の機能のいくつか、またはすべてを含むことが可能である。移動デバイスは、セルラ電話機、コードレス電話機、セッション開始プロトコル（ＳＩＰ）電話機、スマートフォン、無線ローカルループ（ＷＩＬＬ）局、携帯情報端末（ＰＤＡ）、ラップトップ、ハンドヘルド通信デバイス、ハンドヘルドコンピューティングデバイス、衛星ラジオ、無線モデムカード、および／または無線システムを介して通信するための別の処理デバイスであることが可能である。さらに、さまざまな態様が、基地局に関連して本明細書で説明される。基地局は、無線端末装置と通信するために利用されることが可能であり、アクセスポイント、ノード、ノードＢ、ｅ−ノードＢ、ｅ−ＮＢ、または他の何らかのネットワークエンティティと呼ばれることも可能であり、以上の機能のいくつか、またはすべてを含むことが可能である。
【００３２】
さまざまな態様または機能は、いくつかのデバイス、構成要素、モジュールなどを含むことが可能なシステムに関連して提示されるだろう。さまざまなシステムは、さらなるデバイス、構成要素、モジュールなどを含むことが可能であり、さらに／または図に関連して説明されるすべてのデバイス、構成要素、モジュールなどを含まなくてもよいことを理解し、認識されたい。また、これらのアプローチの組合せが使用されることも可能である。
【００３３】
さらに、主題の説明において、「例示的」という語（およびその変種）は、例、実例、または例示の役割をすることを意味するように使用される。「例示的」と本明細書で説明されるいずれの態様または設計も、他の態様または設計より好ましい、または有利であると必ずしも解釈されるべきではない。むしろ、「例示的」という語の使用は、概念を具体的に提示することを意図している。
【００３４】
図１は、シングルホップネットワーク１０２とマルチホップネットワーク１０４の間の比較の概略図１００を示している。シングルホップネットワーク１０２（またはシングルホップアクセス）は、無線アクセスリンク１１０を介してノードＢ  １０８と通信する移動デバイス１０６を含む。さらに、ノードＢ  １０８は、有線バックホールリンク１１４を介してＲＮＣ  １１２と通信する。
【００３５】
マルチホップネットワーク１０４は、シングルホップネットワーク１０２と同様であるが、中継器１１６が移動デバイス１０６とノードＢ  １０８の間に挿入される。移動デバイス１０６は、中継器１１６に対する無線アクセスリンク１１０を介して通信し、中継器１１６は、無線バックホールリンク１１８を介してノードＢ  １０８と通信する。さらに、ノードＢ  １０８は、無線バックホールリンク１１４を介してＲＮＣ  １１２と通信する。バックホールリンクとアクセスリンクは、異なる媒体（たとえば、異なる搬送波、時間（たとえば、再送スロット）、空間的次元など）を介する異なるリンクである。
【００３６】
無線インターフェースの領域内で無線マルチホッピングを実現する無線ネットワークにおける中継器（安価であり得る）の展開は、（１）穴または劣悪なカバレッジ区域（たとえば、カバレッジを有さない地理的区域のポケット）にカバレッジを拡大し、（２）セル分割利得によって容量を増加させ、さらに（３）基地局に課せられるリソース要件を軽減する潜在性を有する。ピコセルまたはフェムトセル（たとえば、ホームノードＢ）は、類似した目標によって動機付けられていることが可能であるが、そのようなセルは、一般に、有線バックホール（ファイバ、ケーブル、またはディジタル加入者線（ＤＳＬ））、または異なる無線技術（たとえば、マイクロ波）を介する無線バックホールを要求する。また、フェムトセルは、いずれの移動デバイスがそれらのフェムトセルに関連付けられることが可能であるかに関する制限を有する可能性もあり、このため、さらなる干渉問題を有する可能性がある。
【００３７】
リピータは、時として、中継器のサブクラスであると考えられる。しかし、リピータは、一般に、信号の「クリーンでない」コピーを増幅して、転送する。したがって、中継器は、有用な信号とともに干渉および雑音も増幅する可能性がある。さらに、中継器は、不必要に冗長である可能性がある。リピータのプロトコルレイヤレベルがこのように低いことは、リピータが、一般に、異なるホップ上の異なる媒体条件およびリンク条件（チャネル品質）を活用しないことも意味する。さらに、緊急時能力または（Ｅ−９１１）能力が重要であり、リピータまたは低位のレイヤだけのデバイスは、サービスを提供するノード位置に基づいてユーザ位置を識別することに関して困難を示す可能性がある。
【００３８】
中継器は、移動デバイスから見て、基地局（ノードＢ）と同様の役割をすることが可能であり、ただし、通常、マイクロセルまたはマクロセルと比べて（たとえば、ピコセルまたはフェムトセルと同様に）、より小さいカバレッジ区域を有する。実際、移動デバイスが、レガシー移動デバイスをサポートするために、中継器とノードＢを意図的に区別する必要が全くなければ、有益であり得る（たとえば、既存の移動デバイスに変更が全く必要とされない）。しかし、中継器は、ノードＢに類似する一方で、「自己バックホール」型であり得る。「自己バックホール」とは、図１に示されるとおり、中継器１１６が、無線バックホールリンク１１８を介して（通常の）ノードＢ  １０８に接続され、ノードＢ  １０８がＲＮＣ  １１２に接続されることを指す。このため、中継器は、バックホールを中継器サイトに接続することに関連する問題を軽減することができる。
【００３９】
しかし、中継器のこれらの特性は、少なくとも２つの問題をもたらす。第１に、バックホールペイロードは、有線リンクだけを介してではなく、途中まで（無線特性を有する）無線リンクを介して伝送される。第２に、移動デバイスに対してはノードＢの役割をし且つ中継器の自己バックホールに対しては移動デバイスの役割をする中継器が、シングルホップアクセスネットワークアーキテクチャに挿入（マージ）される。
【００４０】
これら２つの問題はそれぞれ、いくつかの複雑な、互いに関係する課題をもたらす。たとえば、ＵＭＴＳに関する有線バックホールは、ＲＮＣ  １１２とノードＢ  １０８の間のＩｕｂインターフェースを介して伝送され得る。Ｉｕｂリンクは、運用および保守（Ｏ＆Ｍ）、ハンドオーバ、リソース割当て、トランスポートトラヒック管理、タイミングおよび同期、ノードＢ電力制御、受付け制御、測定および報告、およびその他の情報、などの情報およびシグナリングを伝送することが可能である。
【００４１】
Ｉｕｂインターフェースは、非同期転送モード（Asynchronous Transfer Mode：ＡＴＭ）適応プロトコルおよびＡＴＭ  ＭＡＣ（媒体アクセス制御（Medium Access Control））レイヤ、またはユーザデータグラムプロトコル／インターネットプロトコル（User Datagram Protocol/Internet Protocol：ＵＤＰ／ＩＰ）プロトコルによって伝送され得る。しかし、バックホールに関する標準が存在することが可能である一方で、これらの標準は、（他のネットワーク要素間のプロトコルとは対照的に）厳密に遵守されない可能性がある。さらに、ＲＮＣなどのネットワーク制御ポイントから中継器への（中継器によるサービスを受ける移動デバイスへのではない）シグナリングは、バックホールが伝送すべきさらなるオーバヘッドを（たとえば、ユーザデータおよびユーザ制御シグナリングに加えて）追加する可能性がある。たとえば、ＲＮＣ  １１２からノードＢ  １０８へのＩｕｂオーバヘッドは、ノードＢ制御に関して約１０％、移動デバイスに関してさらなる１０％（ほぼ）にもなる可能性がある。さらに、ＲＮＣ  １１２は、（簡明のため、１つだけが図示されるものの）多くのノードＢとインターフェースをとる可能性がある。最後に、中継器１１６が、移動デバイスと同一の技術、および同一のシグナリング空間を使用する場合、中継器１１６は、事実上、他の移動デバイス（通常、中継器１１６によるサービスではなく、隣接するノードＢ（図示せず）によるサービスを受けている移動デバイス）とバックホールを共有しているが、さらなるホップ（複数可）のため、中継器１１６によるサービスを受けるそれらの移動デバイスに関する待ち時間を潜在的に増加させている。さらに、優先順位およびサービス品質（ＱｏＳ）は、中継器を中間ノードＢによるサービスを受ける実際の移動デバイスに対するだけでなく、中継器によるサービスを受ける移動デバイス間でも保たれなければならない。
【００４２】
ＩＰ中継器の設計は、ユーザＩＰプロトコルがノードＢ  １０８およびＲＮＣ  １１２（アクセスレイヤ）より上位にあり、さらにサービングＧＰＲＳ（汎用パケット無線サービス（General Packet Radio Service））サポートノード（Serving GPRS Support Node：ＳＧＳＮ）より上位にあるため、ＵＭＴＳ  ＨＳＰＡ＋に関してさらに複雑でさえある。ＵＭＴＳ  ＨＳＰＡ＋において、ＧＰＲＳゲートウェイサポートノード（GPRS Gateway Support Node：ＧＧＳＮ）（コアネットワーク）は、ＩＰプロトコルエンドポイントである。ＩＰまで、またはそれより上位のレイヤを有する中継器をノードＢ  １０８と移動デバイス１０６の間の接続のチェーンに挿入することは、プロトコルシナリオを変える。このことは、ＵＴＲＡＮ（ユニバーサル地上無線アクセスネットワーク（Universal Terrestrial Radio Access Network））における他の中間ノードが、対応するＩＰレイヤを有さず、中継器上の移動デバイスが、接続のチェーンの別のどこか（たとえば、コアネットワークの中）に挿入されたさらなる中継器ゲートウェイを通過しなければならない可能性があるためである。しかし、中継器上の移動デバイスと中継器上にない移動デバイスをサポートするためのシステムのために、両方のプロトコル構成がサポートされなければならない。
【００４３】
一部の態様において、中継器１１６は、ＲＮＣ  １１２および移動デバイス１０６にはノードＢとして見え、中間ノードＢ  １０８には移動デバイスとして見えるように構成され得る。これらの態様によれば、中継器１１６は、本明細書では遠隔ノードＢ中継器と呼ばれるだろう。これらの態様によれば、ＲＮＣ  １１２は、中間ノードＢを介してユーザデータおよびユーザシグナリング、ならびに遠隔ノードＢのためのシグナリングを伝送する。遠隔ノードＢ中継器は、ノードＢ機能レイヤを有するが、ホストノードＢを介して／超えて、（変更された）ＲＮＣまでバックホールを伝送するための、さらなるプロトコルが存在する。アクセスリンクの見地からノードＢの機能を提供する遠隔ノードＢ中継器と関係する、本明細書で開示される３つの主な態様が存在する。遠隔ノードＢ中継器のこれら３つの態様は、中継器をＲＮＣおよび／またはノードＢにインターフェースするための利用される異なる態様と関係する。これら３つの態様は、「ＲＮＣ擬似トランスペアレント（RNC Pseudo-Transparent）」、「ＲＮＣエージェント」、および「ＲＮＣ遠隔シグナリング」と呼ばれ、これらの態様が以下にさらに詳細に説明されるだろう。
【００４４】
遠隔ノードＢ中継器の第１の態様は、「ＲＮＣ擬似トランスペアレント」と呼ばれる。ＲＮＣ擬似トランスペアレント態様において、中継器−ＲＮＣインターフェースは、ノードＢ−ＲＮＣインターフェースと同一であることが可能であるが、中間ノードＢを介してＲＮＣインターフェースにトンネリングされる（たとえば、Ｉｕｂを介してトンネリングされたＩｕｂ）。この態様は、以下に図２、図３、および図４を参照してさらに詳細に説明されるだろう。
【００４５】
図２は、本明細書で開示されるＲＮＣ擬似トランスペアレント態様に関するプロトコルエンドポイントの概略図２００を示している。図３は、本明細書で説明されるような、ＲＮＣ擬似トランスペアレント態様に関するプロトコルアーキテクチャを示している。図示されるのは、コアネットワーク（ＣＮ  ２０２）、ＲＮＣ  ２０４、ノードＢ  ２０６、遠隔ノードＢ中継器２０８、および移動デバイス２１０を表すブロックである。移動デバイス２１０は、無線アクセスリンクであることが可能なアクセスリンク２１２を介して遠隔ノードＢ中継器２０８と通信する。遠隔ノードＢ中継器２０８は、無線であることが可能な自己バックホールリンク２１４を介してノードＢ  ２０６と通信する。ノードＢ  ２０６は、有線または無線であることが可能なＩｕｂインターフェース２１６を介してＲＮＣ  ２０４と通信する。ＲＮＣ  ２０４は、Ｉｕインターフェース２１８を介してＣＮ  ２０２と通信する。ＲＮＣ  ２０４は、遠隔ノードＢ中継器２０８に対するインターフェース３０２を、ノードＢ  ２０６に対するインターフェース（Ｉｕｂインターフェース２１６）と同様に扱う。このため、ＲＮＣ  ２０４は、インターフェース３０２を、完全なＩｕｂスタックプロトコル３０４（同期転送モード（ＡＴＭ）またはユーザデータグラムプロトコル／インターネットプロトコル（ＵＤＰ／ＩＰ））を有する、組み込まれたＩｕｂインターフェースとして扱う。
【００４６】
遠隔ノードＢ中継器２０８とＲＮＣ  ２０４の間のインターフェース３０６は、ノードＢ  ２０６−ＲＮＣ  ２０４インターフェース（たとえば、Ｉｕｂインターフェース２１６）と同一であることが可能である。しかし、インターフェース３０６は、中間ノードＢ  ２０６を介してＲＮＣ  ２０４インターフェースにトンネリングされる（たとえば、Ｉｕｂを介してトンネリングされるＩｕｂ）。「トンネリング」という用語は、第１のプロトコル（たとえば、Ｉｕｂ）が、第２のプロトコル（たとえば、Ｉｕｂ）が関する限り、データとして扱われることを意味する。このため、図示されるとおり、第２のプロトコルは、ノードＢ  ２０６−ＲＮＣ  ２０４インターフェース（たとえば、Ｉｕｂインターフェース２１６）に関する制御情報と、第２のプロトコルがデータとしか見なさないもの（実際には、遠隔ノードＢ中継器２０８−ＲＮＣ  ２０４インターフェースに関する埋め込まれた制御およびデータ）だけを区別する。第１のプロトコルは、制御情報と実際のデータ情報を区別することができるので、エンドポイント（遠隔ノードＢ中継器２０８）は、この埋め込まれた部分が第２のプロトコルによって抽出されると、制御と実際のデータを分離することができる。
【００４７】
しかし、このインターフェースは、第１のホップを介して中間ノードＢ  ２０６に通信されなければならないので、これらのプロトコルは、そのリンクに関するＩｕｂスタックの上で送られることが可能である。このことは、オーバヘッドをもたらす。それでも、ノードＢ  ２０６は、基礎をなすＩｕｂバックホールスタックに関するエンドポイントであるので、１セットのＩｕｂスタックプロトコルだけが自己バックホールリンク２１４を介して送られる。
【００４８】
開示されるアーキテクチャの利点は、遠隔ノードＢ中継器２０８が、インターフェースの見地からノードＢ  ２０６と同一に見えることである。別の利点は、遠隔ノードＢ中継器２０８が別個のノードＢ  ＩＤを有し、このため、Ｅ−９１１緊急時サービスに対応することができることである。アグリゲーションが使用されるか（中継器が１つの移動デバイスの役割をするか、複数の移動デバイス（中継器によるサービスを受ける移動デバイスごとの）の役割をするか、使用されないかに依存して（このことは、以下にさらに説明される）、アーキテクチャは、ノードＢに完全にトランスペアレントであることも可能である（ノードＢ変更を全く要求しない）。さらに、ＲＮＣ  ２０４変更は、既にサポートされる共通の複数のプロトコルスタックのさらなるインスタンス（複数可）にカプセル化され得る。
【００４９】
概念的に見て、接続は、図４に示されるとおりであり、図４は、或る態様によるＲＮＣ  Ｉｕｂインターフェース４００の抽象（論理）図を示している。図示されるのは、複数のノードＢ  ４０６および複数の遠隔中継器ノードＢ  ４０８に対するＩｕｂインターフェース４０４を有するＲＮＣ  ４０２である。この図は単に例示目的であるので、ノードＢ  ４０６および遠隔中継器ノードＢ  ４０８の数は、図示されるより少ないことも、多いことも可能であることに留意されたい。
【００５０】
「ＲＮＣエージェント」と呼ばれる遠隔ノードＢ中継器の第２の態様は、中間ノードＢとノードＢが中継器を制御するＲＮＣとの間のインターフェースを介して制御され得る中継器−ＲＮＣインターフェースを含む。このことは、ＲＮＣがノードＢを（たとえば、ＲＮＣのエージェントとして）制御することと同様である。ＲＮＣエージェント態様において、ホストノードＢは、遠隔ノードＢ中継器がホストノードＢの一部であるかのように、遠隔ノードＢ中継器を制御する。図５は、或る態様によるＲＮＣエージェントに関する無線インターフェースプロトコルエンドポイントの概略図５００を示している。図６は、或る態様によるＲＮＣエージェントに関するプロトコルアーキテクチャ６００を示している。
【００５１】
図示されるのは、ＣＮ  ５０２、ＲＮＣ  ５０４、ノードＢ  ５０６、遠隔ノードＢ中継器５０８、および移動デバイス５１０の表現である。この態様において、遠隔ノードＢ中継器５０８は、ノードＢ  ５０６からのシグナリングで制御され、ノードＢ  ５０６は、ＲＮＣ  ５０４によって制御される。ノードＢ  ５０６は、ＲＮＣ  ５０４に代行して動作して、遠隔ノードＢ中継器５０８に命令し、ユーザデータおよびシグナリングを遠隔ノードＢ中継器５０８に伝送するためのＲＮＣ  ５０４のエージェントである。この態様において、ノードＢ  ５０６へのシグナリングは、拡張される。ＲＮＣ  ５０４における、この拡張シグナリング（Extended Signaling：ＥＳ）サービス（拡張Ｉｕｂ  Ｓｉｇ（Extended Iub Sig）５１２（図５）およびＥＳ  ６０２、６０４（図６））は、ＲＮＣ  ５０４における遠隔ノードＢシグナリング（Remote NodeB Signaling：ＲＮＳ）機能が、どのように遠隔ノードＢ中継器５０８を制御すべきかについてノードＢ  ５０６に命令することを許す。ノードＢ拡張シグナリング（ＥＳ）クライアントは、これらの命令または通知を受信し、レポートまたは指示で応答し得る。ノードＢ  ５０６は、中継器シグナリング（ＲＳ）サービス（遠隔Ｉｕｂ  Ｓｉｇ（Remote Iub Sig）５１４（図５）およびＲＳ  ６０６、６０８（図６））を使用して遠隔ノードＢ中継器５０８を制御するために、受信された情報を使用する。ＲＳ  ６０６、６０８は、遠隔ノードＢ中継器５０８による測定および報告などのさまざまな機能のために使用されることも可能である。遠隔ノードＢ中継器５０８は、ノードＢ  ５０６におけるＲＳサービス（ＲＳ  ６０６）と通信する中継シグナリングクライアント（ＲＳ  ６０８）を有し、ノードＢに典型的である機能を実行する。
【００５２】
図６に示されるとおり、ＲＮＣエージェント態様は、ＲＮＣ  ５０４に代行する中間ノードＢによる遠隔ノードＢ中継器５０８の制御、および遠隔ノードＢ中継器５０８からの報告に対応するために、Ｉｕｂシグナリングを変更すること、および／または拡張することを含み得る。ノードＢ  ５０６は（したがって、拡張シグナリング（ＥＳ）も）、ノードＢ  ５０６が遠隔ノードＢ中継器５０８にシグナリングするために遠隔シグナリング（ＲＳ）を使用し、ユーザデータおよびユーザシグナリングに関して（たとえば、移動デバイス５１０に関して）、このことを回避することができるように、移動デバイス（たとえば、移動デバイス５１０）のためのデータを遠隔ノードＢ中継器５０８のためのシグナリングに対して区別することができなければならない。
【００５３】
たとえば、ノードＢ  ５０６は、ユーザデータおよび制御（たとえば、無線リソース制御（Radio Resource Control：ＲＲＣ）シグナリング、システム情報ブロック（System Information Block：ＳＩＢ）など）が転送され得るように、遠隔ノードＢ中継器５０８によるサービスを受けている移動デバイスについて知る必要があるだけでなく、遠隔ノードＢとしての中継器の構成についても知る必要がある（ノードＢ  ５０６と遠隔ノードＢ中継器５０８の間でサブセットが要求される可能性がある特徴の前出のリストを参照されたい）。一部の態様によれば、ランダムアクセスまたは呼セットアップなどのいくつかの特徴は、遠隔ノードＢ中継器５０８においてサポートされない可能性がある。この場合、移動デバイスは、遠隔ノードＢ中継器５０８上でこれらの特徴を使用することを制限されることが可能であり、あるいは、その通信は、ノードＢ  ５０６またはＲＮＣ  ５０４に転送されて扱われることが可能である。
【００５４】
ＲＮＣエージェント態様によれば、新たな拡張シグナリング（ＥＳ  ６０４）クライアントを追加し、さらに中継シグナリング（ＲＳ  ６０６）サービスを追加するために、ノードＢ  ５０６上の変更の必要性が存在する可能性があることに留意されたい。一部の態様によれば、ＥＳ  ６０４とＲＳ  ６０６は、１つの機能に組み合わされる。このため、遠隔ノードＢ中継器５０８は、ＲＮＣエージェント態様に関してノードＢ  ５０６にトランスペアレントではない。しかし、遠隔ノードＢ中継器５０８は、移動デバイス（複数可）５１０から見てトランスペアレントであり得る。
【００５５】
遠隔ノードＢ中継器の第３の態様は、「ＲＮＣ遠隔シグナリング」と呼ばれる。この態様において、中継器−ＲＮＣインターフェースは、ノードＢ−ＲＮＣインターフェースと同一のインターフェース（Ｉｕｂ）プロトコルレベルであることが可能であるが、基礎をなすバックホールプロトコル（Ｉｕｂを介するＩｕｂシンシグナリング）は重複しない。
【００５６】
図７は、或る態様によるＲＮＣ遠隔シグナリングのためのプロトコルエンドポイントの概略図７００を示しており、図８は、或る態様によるＲＮＣ遠隔シグナリングのためのプロトコルアーキテクチャ８００を示している。ブロックによって図示されるのは、ＣＮ  ７０２、ＲＮＣ  ７０４、ノードＢ  ７０６、遠隔ノードＢ中継器７０８、および移動デバイス７１０である。ＲＮＣ遠隔シグナリング態様に関して、ＲＮＣ  ７０４追加は、（埋め込まれたＩｕｂスタック全体ではなく）遠隔ノードＢシグナリング（ＲＮＳ  ７１２（図７）およびＲＮＳ  ８０２（図８））サービスと呼ばれるシグナリングおよび制御レイヤだけを含む。このサービス（たとえば、ＲＮＳ  ８０２）は、遠隔ノードＢ中継器７０８における対応するＲＮＳクライアント８０４とインターフェースをとる。ＲＮＳ  ７１２、８０２、８０４は、Ｉｕｂと同一のメッセージングを使用することが可能であるが、ＲＮＳ  ７１２、８０２、８０４が第１のホップに関してＩｕｂスタックの上で実行され、第２のホップに関して無線インターフェーススタックの上で実行されるため、基礎をなすリンクプロトコル、媒体アクセスプロトコル、または物理レイヤプロトコルを要求しない。このため、ＲＮＣ遠隔シグナリング態様は、（前述した）ＲＮＣ擬似トランスペアレント態様と比べて、より少ないオーバヘッドしか有さず、（前述した）ＲＮＣエージェント態様と比べて、それほど複雑でない可能性がある。しかし、ＲＮＣ遠隔シグナリング態様は、変更が柔軟であり、より低位のレイヤの無線インターフェーススタック、ならびにＩｕｂスタックに関して効率的に引き継がれることを要求する可能性がある。
【００５７】
さらに、（後段で説明されるように）アグリゲーションが使用されるか、使用されないかに依存して、アーキテクチャ８００（たとえば、ＲＮＳ  ７１２、８０２、８０４）は、ノードＢにトランスペアレントであることも可能であり（ノードＢ変更を全く要求せず）、このことは、ＲＮＣエージェント態様と比べて利点である。ノードＢ  ７０６に対してトランスペアレントであることは、利点である。たとえば、１つのＲＮＣ  ７０４と、数百のノードＢ（そのうちの１つだけが図示される）と、が存在することが可能である。したがって、ＲＮＳ  ７１２、８０２、８０４がこれら数百のノードＢにトランスペアレントである場合、このことは、これら数百のノードＢに変更が全く必要とされないことを意味する。さらに、ＲＮＣ変更は、追加の挿入されたレイヤの中にカプセル化される（図７に示されるＲＮＳ  ７１２）。
【００５８】
ＲＮＳ  ７１２は、（ユーザ（または移動デバイス７１０）を宛先とするＲＮＣ  ７０４からの）ユーザデータおよびシグナリングを（遠隔ノードＢ中継器７０８を宛先とするＲＮＣ  ７０４からの）中継器シグナリングと区別する。ＲＮＳは、遠隔ノードＢ中継器７０８がノードＢと比べて限られた機能を有する可能性があるので、通常のノードＢによってサポートされるすべてのシグナリングを必ずしも実施しなくてもよい。たとえば、遠隔ノードＢ中継器７０８は、すべてのオーバヘッドチャネルは伝送しない可能性がある。しかし、ＲＮＳは、自己バックホールおよびＩｕｂバックホール上でユーザをアグリゲートするマルチプレクスおよびデマルチプレクス機能などの、ノードＢにおいて利用可能でないさらなる特徴をサポートすることが可能である。つまり、ＲＮＣ  ７０４および遠隔ノードＢ中継器７０８は、アグリゲーションをノードＢ  ７０６にトランスペアレントに（または知られずに）実現するように協調する。
【００５９】
ノードＢ  ７０６の変更は、ＲＮＣ遠隔シグナリングに関して、制限されていることが可能である（または変更が全く必要とされない可能性がある）。さらに、オーバヘッドは、限られ、または最小限であり、遠隔ノードＢ中継器７０８は、ＲＮＣ  ７０４によって効率的且つ効果的に制御され得る。
【００６０】
代替として、ＲＮＣ擬似トランスペアレント態様とスタック構成要素のサブセットを有するＲＮＣ遠隔シグナリング態様との間には、変種が存在する。さらなるプロトコルは、オーバヘッドを増やすが、ＲＮＣ−中継器接続が有線リンクではなく、無線リンクを介して伝送されるので、ＲＮＣ−中継器接続に利益をもたらすことが可能である。たとえば、無線リンクレイヤ再送能力は、中継器７０８自体に向けられていた、失われたシグナリングから回復するのに有益であり得る。
【００６１】
前述した３つの態様（ＲＮＣ擬似トランスペアレント、ＲＮＣエージェント、およびＲＮＣ遠隔シグナリング）において、中継器２０８、５０８、７０８は、バックホールに関する少なくとも１つのＭＡＣ（ＭＡＣ−ｈｓ／ｅ  ３０８、６１０、８０６）インスタンスと、移動デバイス（１つだけが図示される）ごとのアクセスリンクに関する１つのインスタンス（ＭＡＣ−ｈｓ／ｅ  ３１０、６１２、８０８）と、を有する。このことは、中継器２０８、５０８、７０８が、バックホールリンクの無線媒体上、およびアクセスリンクの無線媒体上の潜在的に異なる条件を利用することを許す。さらに、このことは、中継器２０８、５０８、７０８が、ＭＡＣフレームの単なる繰り返し（これは行われ得るが）にとどまらないことを行うことを許す。つまり、中継器２０８、５０８、７０８は、アクセスリンク（またはバックホールリンク）に関して、そのリンクに関するチャネル品質指示（またはそれに類するもの）に応じて、そのリンクに適したＭＡＣフレームフォーマットを選択することができる。さらに、より低位のＭＡＣレベルにおけるリンクの、この分離は、バックホールを介する移動デバイストラヒックをアグリゲートする可能性をもたらす。このため、バックホール上の単一のＭＡＣフレームは、複数の移動デバイスに関するデータを保持することが可能である。中継器２０８、５０８、７０８は、このデータをデマルチプレクスし、アクセスリンク上で移動デバイスのための別々のＭＡＣフレームを作成する。逆に、中継器２０８、５０８、７０８は、移動デバイスから受信されたフレームからのデータを、バックホールに関する１つのフレームにマルチプレクスする。
【００６２】
図９は、或る態様による自己バックホールアグリゲーション９００を示している。アグリゲーションは、遠隔ノードＢ中継器によるサービスを受ける複数の移動デバイス（たとえば、ｎ個の移動デバイス）が存在する状況と関係する。アップリンク（たとえば、移動デバイスからの通信）で、各移動デバイスは、パイロットを送信していることが可能である。アグリゲーションのために、遠隔ノードＢ中継器は、ｎ個の移動デバイスとして動作するのではなく、代わりに、遠隔ノードＢ中継器は、単一の移動デバイスとして動作して、単一のパイロットを送信する。アグリゲーションは、ＩＰレベルで行われることが可能であり、ＩＰパケットは、複数の移動デバイスからのＩＰパケットを含むことが可能であり、そのＩＰパケットは、（たとえば、ゲートウェイまたはＲＮＣで）後にデアグリケートされる。
【００６３】
図示されるのは、ノードＢ  ９０２、ならびに無線であり得るノードＢアクセスリンク９０６を介してノードＢ  ９０２によるサービスを直接に受ける移動デバイスの第１のセット９０４の表現である。やはり図示されるのは、無線であり得る自己バックホールリンク９１０を介してノードＢ  ９０２と通信する遠隔ノードＢ中継器９０８である。この図において、遠隔ノードＢ中継器９０８は、無線であることが可能な中継アクセスリンク９１４を介して移動デバイスの第２のセット９１２と通信している。
【００６４】
図示される態様によれば、移動デバイストラヒックは、バックホールリンク（複数可）上でアグリゲートされることが可能である。つまり、中継器９０８は、中継器９０８がサービスを提供する移動デバイスごとに１つの移動デバイス（または移動デバイスアクセスリンクフローごとに１つのバックホールフロー）の役割をするのではなく、中継器−ノードＢリンクまたは中継器−ＲＮＣリンクが、１つの接続またはフローに組み合わされることが可能である。ノードＢ  ９０２は、ＲＮＣ（図示せず）からアグリゲートされていないトラヒックを受信し、個々のトラヒックフローをノードＢ  ９０２の中にバッファリングし、その後、自己バックホールリンク９１０上でアグリゲートすることができる。
【００６５】
しかし、ノードＢ  ９０２は、その場合、ノードＢ  ９０２によるサービスを直接に受ける複数の移動デバイス９０４に関して、アグリゲートされた自己バックホールリンク９１０に適切に優先順位を付けるために、アグリゲートされた複数フレームのコンテンツの知識を要求することが可能である。この問題は、同様の優先順位のトラヒックだけをアグリゲートすることによって部分的に対処され得る。図１０は、或る態様による優先フローごとの自己バックホールアグリゲーション１０００を示す。中継器によるサービスを受ける移動デバイス９１２の合併レベルまたは優先順位レベルにおける優先順位ごとのアグリゲートされたフローを有することは、流れる。中継器９０８は、ノードＢ  ９０２からの各フローをどのようにマルチプレクスすべきか、またはどのようにデマルチプレクスすべきかを知るために、ネットワークからのシグナリングを使用することができる。このシグナリングは、（たとえば、移動デバイス（フロー）にアドレス指定して）フロー内のフレームの中に埋め込まれることが可能である。
【００６６】
しかし、ノードＢ  ９０２がユーザ（フロー）に関して比例的に公平なスケジューリングアルゴリズムを使用する場合、スケジューラ９１６は、アグリゲートされたフローが複数のユーザ、または直接ノードＢアクセスリンク９０６上のユーザに対する中継器９０８上のユーザの比、を表すという事実を考慮に入れない可能性がある。このため、ノードＢ  ９０２は、中継器自己バックホールリンク９１０に与えられるべき優先順位付けおよびスケジューリング選好を示す中継器９０８から（またはＲＮＣから）の制御情報を受信する（さらに、ユーザの料金請求を適切に考慮に入れる）ように変更されることが可能である。このことは、自己バックホールがその中間ノードＢ  ９０２を介する中継器９０８上の移動デバイス（フロー）の数または優先順位に応じて、中継器９０８にバイアスをかけるようにノードＢスケジューラアルゴリズムを変更することによって達せられることが可能である。このため、遠隔ノードＢ中継器９０８アーキテクチャは、効率的な、高いパフォーマンスの動作のためのノードＢ変更を有することが可能であるが、パフォーマンス、機能、または効率のトレードオフで、アグリゲーションなしに、またはノードＢ変更なしに展開されてもよい。アグリゲーションなしの事例において、各ユーザ（たとえば、移動デバイス）に関するフローは、ノードＢスケジューラ９１６が、伝送を中継器９０８にスケジュールするために、フローがいずれのユーザ（たとえば、移動デバイス）を宛先とするかを知る必要がないように、バックホール上の別個のＭＡＣ−ｄフローにマップされることが可能である。
【００６７】
遠隔ノードＢ中継器９０８に関して、アグリゲーションのために以下の少なくとも２つの可能なアプローチ、すなわち、（１）ノードＢの変更全くなし、または（２）ノードＢの変更、が存在する。ノードＢに変更を行うことなしに、アグリゲーションは、各ユーザの各フローを別個のＭＡＣ−ｄフローにマップすることによって、このアーキテクチャにおいて達せられることが可能である。遠隔ノードＢシグナリング（ＲＮＳ）サービスは、ＭＡＣ−ｄフローをユーザのフローにマップして、遠隔ノードＢ中継器において制御情報をセットアップするために使用されることが可能である。しかし、移動デバイスごとのＭＡＣ−ｄフローの数は、（たとえば、約８つに）制限される可能性があるので、このことは、限られた量のアグリゲーション（たとえば、移動デバイスが複数のフローを有する可能性があるので、２つ、３つ、またはそれより多くのアグリゲートされた移動デバイスのセット）しか許さない可能性がある。
【００６８】
ノードＢに変更を行うことによって、ノードＢに全く変更の行われない事例と比較して、より柔軟性のあるアグリゲーションが実現され得る。代替は、ノードＢが、同一のＭＡＣパケットの中の複数の移動デバイスのフローからのデータをアグリゲートし、遠隔ノードＢ中継器がフローをデマルチプレクスすることを許すように、移動デバイス識別子（たとえば、高速ダウンリンク共有チャネル（High Speed-Downlink Shared Channel：ＨＳ−ＤＳＣＨ）無線ネットワーク一時識別子（HS-DSCH Radio Network Temporary Identifier：Ｈ−ＲＮＴＩ））を追加することである。別の態様において、このことは、ＭＡＣ−ｈｓヘッダを変更することを含み、ノードＢを変更する。
【００６９】
さらに、少なくとも、遠隔ノードＢ中継器と関係する態様において、移動デバイスに必要とされる変更が（存在する場合でも）少数しか存在せず、ＲＮＣの変更は、遠隔ノードＢ中継器がＲＮＣにも、サービスを受ける移動デバイスにもノードＢとして見えるので、限られる。さらに、効果的なパフォーマンスおよびＱｏＳは、遠隔ノードＢ中継器によるサービスを受ける移動デバイスに提供されることが可能である。別の利点は、遠隔ノードＢ中継器がインターフェースから見てノードＢと同様に見えるということである。関連する利点は、遠隔ノードＢ中継器が別個のノードＢ  ＩＤを有し、このため、Ｅ−９１１緊急時サービスに対応することができるということである。アグリゲーションが使用されるか（または使用されないか）に依存して、このアーキテクチャは、ノードＢにトランスペアレントであることも可能である（ノードＢ変更を全く必要とせず。さらに、ＲＮＣ変更は、既にサポートされる一般的なプロトコルスタックの追加のインスタンス（複数可）中にカプセル化されることが可能である。ノードＢの変更は限られる、または全く行われないことが可能であり、オーバヘッドは、限られる、または最小限であり、さらに遠隔ノードＢ中継器は、ＲＮＣによって効率的且つ効果的に制御されることが可能である。
【００７０】
一部の態様によれば、遠隔ノードＢ中継器は、遠隔ノードＢ中継器に動作上（内部で、または外部から）結合されたメモリを含むことが可能である。プロセッサは、メモリに結合されることが可能であり、メモリの中に保持される命令を実行するように構成されることが可能である。メモリは、移動デバイスに代行して中間基地局を介して無線ネットワークコントローラと通信することに関係する命令と、より低位のレイヤの無線インターフェースプロトコルインスタンスの第１のセットおよびより低位のレイヤの無線インターフェースプロトコルインスタンスの第２のセットを使用して、サービスを受ける少なくとも１つのフローとして動作することに関係する命令と、を保持することが可能である。通信することと関係する命令は、無線ネットワークコントローラと中間基地局の間で使用されるシグナリング方法と同一のシグナリング方法を使用する。
【００７１】
一部の態様によれば、メモリは、サービスを受ける少なくとも１つのフロー、およびサービスを受ける少なくとも第２のフローに関して単一のフローとしてデータを受信することに関係する命令と、この単一のフローとして受信されたデータをデマルチプレクスすること関係する命令と、このデータを、サービスを受ける少なくとも１つのフローとサービスを受ける少なくとも第２のフローに別々に伝送することに関係する命令と、をさらに保持する。さらに、または代替として、メモリは、少なくとも２つのユーザフローからデータを受信することに関係する命令と、アグリゲートされたデータを作成するためにこのデータをマルチプレクスすることに関係する命令と、このアグリゲートされたデータを中間基地局に伝送することに関係する命令と、をさらに保持する。
【００７２】
一部の態様によれば、遠隔ノードＢ中継器は、（メモリに動作上、接続され得る）少なくとも１つのプロセッサを含む。プロセッサは、移動デバイスに代行して通信する第１のモジュールと、サービスを受ける少なくとも１つの移動デバイスとして動作する第２のモジュールと、を含む。また、プロセッサは、サービスを受ける少なくとも１つの移動デバイスへの、またはそのような移動デバイスからの、受信データをマルチプレクスおよびデマルチプレクスする第３のモジュールも含む。
【００７３】
図１１は、或る態様による、スーパーライトルータ中継器のための移動デバイスからコアネットワークに至るパス上の無線インターフェースプロトコル、およびそれらのプロトコルのエンドポイントの概略図１１００を示している。一部の態様によれば、中継器は、スーパーライトルータ中継器と呼ばれる。この態様において、中間基地局（またはノードＢ）にトランスペアレントである遠隔ＲＮＣプロトコル（ＲＲＰ）が、ＲＮＣと中継器の間で利用される。この態様において、中継器は、無線アクセスリンクを介して移動デバイスにサービスを提供するために、第１の物理レイヤ、データリンクレイヤプロトコルスタック、および無線リソース制御サーバを利用する。さらに、中継器は、無線バックホールリンクを介してＲＮＣをノードＢに接続するために、第２の物理レイヤ、データリンクレイヤプロトコルスタック、および無線リソース制御クライアントを利用する。中継器は、ノードＢにトランスペアレントである遠隔無線ネットワークコントローラプロトコルを使用してＲＮＣと通信する。さらに、中継器は、遠隔無線ネットワーク制御プロトコル上で通信された調整情報を利用して、無線バックホールリンクと無線アクセスリンクの間のデータフローをマップする。
【００７４】
図示されるのは、コアネットワーク（ＣＮ  １１０２）、ＲＮＣ  １１０４、ノードＢ  １１０６、中継器（スーパーライトＲＮＣ中継器（Super-light RNC Relay）１１０８）、および移動デバイス１１１０（たとえば、ユーザ機器（User Equipment：ＵＥ））である。移動デバイス１１１０は、無線リンクであり得るアクセスリンク１１１２を介して中継器１１０８と通信する。中継器１１０８は、無線リンクであり得る自己バックホールリンク１１１４を介してノードＢ  １１０６と通信する。ノードＢ  １１０６は、無線または有線であり得るＩｕｂ  １１１６を介してＲＮＣ  １１０４と通信する。ＲＮＣ  １１０４は、Ｉｕ  １１１８を介してＣＮと通信する。図１２は、或る態様によるスーパーライトルータ中継器および関連するネットワーク要素のプロトコルアーキテクチャ１２００を示しており、図１１と組合せで説明されるだろう。
【００７５】
この態様によれば、中間ノードＢ（複数可）１１０６にトランスペアレントである、スーパーライトルータ中継器１１０８（またはスーパーライトＲＮＣ中継器）と、ホストＲＮＣ  １１０４と中継器１１０８との間の遠隔ＲＮＣプロトコル（ＲＲＰ  １１２０）と、が存在する。
【００７６】
スーパーライトルータ中継器１１０８は、バックホールリンク領域とアクセスリンク領域の両方に関して、少なくともレイヤ２（一般に、ＭＡＣ  １１２２およびＲＬＣ  １１２４）までの無線インターフェースプロトコルを有し、このため、異なる媒体条件およびリンク条件を利用することができる。ＲＲＰ  １１２０は、中間ノードＢ（複数可）１１０６にトランスペアレントに、より高位のレイヤのユーザデータをトランスポートし、シグナリングを制御し、ホストＲＮＣ  １１０４との調整を行う効率的な手段を提供する。
【００７７】
スーパーライトルータ中継器１１０８は、ネットワークにおける戦略上のポイントに無線インターフェースプロトコルを終端させることと、一部の、より上位のレイヤのプロトコル変更を中間ノード（たとえば、中間ノードＢ  １１０６）に見えないようにする、またはトランスペアレントにすることと、中継器１１０８がサービスを提供する移動デバイス１１１０に関して別個の無線インターフェーススタックを管理することと、によって、（前述した）障害を克服するのを助けることができる。後者は、たとえば、ＲＬＣごとのリンクを有することが迅速なリンクごとの障害回復を許すので、パフォーマンス上の利点も有する。マルチホップに起因する増大したルートトリップ時間（route-trip time）は、高いデータ転送速度と組み合わさって、終端間ＲＬＣ状況において相当なリンク障害回復遅延をもたらす可能性がある。２ホップシステムにおける２つのＲＬＣの場合、個々のＲＬＣは、再送ウインドウおよび再シーケンスフレーム（re-sequence frame）を独立に進めることができる。さらに、これらのレイヤ２プロトコル（ＭＡＣ  １１２２およびＲＬＣ  １１２４）を有することは、フローごとのリンクごとのユーザ（たとえば、移動デバイス１１１０）ごとにセグメント化、連結、再送、順序どおりの配信または順序を外れた配信、フロー制御、および場合により、暗号化を許す。このことは、ＭＡＣフレームレベルより上のバックホール上で移動デバイスフローをアグリゲートするオプションを許す。やはり、リンクごとのフロー制御に関して、中継器の実施により多くの柔軟性が存在することが可能である（たとえば、中継器がフローごとにも、全体的にも、正確に管理され得るため、より少ないメモリしか必要とされないことが可能である）。
【００７８】
さらに、これらの、より低位のレイヤのプロトコルをスーパーライトルータ中継器１１０８に終端させることによって、より高位のレイヤのシグナリング（一般に、それほど時間に左右されず、オーバヘッドがそれほど大きくない）だけしか通信される必要がない。ＲＲＰ  １１２０は、この機能、およびその他の機能を達することができる。
【００７９】
以下の説明では、（たとえば、自己バックホールリンク１１１４上の）「移動デバイス（複数可）の役割をする中継器」に関する中継器のスタックは、中継器のバックホールスタックまたは「バックホールフェース（Backhaul face）」と呼ばれるだろう。「サービングセルの役割をする中継器」に関する中継器のスタック（複数可）は、中継器のアクセススタックまたは「アクセスフェース（Access face）」と呼ばれるだろう。
【００８０】
アクセスフェースにおいて、スーパーライト中継器１１０８は、バックホールリンクを介して動作するための１つまたは複数のＵＭＴＳスタックを有し、バックホールリンクにおいて、中継器１１０８は、通常のノードＢ  １１０６には移動デバイス（または複数の移動デバイス）に見える。或る態様によれば、これらのスタックはそれぞれ、物理レイヤ（Physical Layer）１２０２、ＭＡＣ  １２０４レイヤ、およびＲＬＣ  １２０６レイヤを含む。その上に、各スタックは、ホストＲＮＣ  １１０４との調整を行うための遠隔ＲＮＣプロトコル（ＲＲＰ１２０８）を有する。スーパーライト中継器のアクセススタックは、（１）中継ノードＢ（ＰＨＹおよびＭＡＣ−ｈｓ／ｅ）、（２）中継無線リソース制御（ＲＲＣサーバ）、（３）中継アクセスリンクＭＡＣおよびＲＬＣ、ならびに（４）中継ホストＲＮＣ調整機能（Host-RNC Coordination Function：ＨＣＦ）、を備える。
【００８１】
バックホールフェース上で、スーパーライト中継器は、中継器アクセスリンクを介して中継器がサービスを提供する移動デバイスごとのＵＭＴＳスタックを有する。スーパーライト中継器のバックホールスタックは、（１）中継器移動デバイス（複数可）（ＰＨＹ、ＭＡＣ−ｈｓ／ｅ、ＭＡＣ、およびＲＬＣ、ならびにＲＲＣクライアント）、（２）中継器遠隔ＲＮＣプロトコル（ＲＲＰ）、および（３）中継器ホストＲＮＣ調整機能（ＨＣＦ）を含む。
【００８２】
スーパーライト中継器のホストＲＮＣ調整機能は、両方のフェースにおいて現れる。ホストＲＮＣ調整機能は、バックホールフェースに影響を与えるホストＲＮＣのＲＲＣと、アクセスフェースにおける中継器のＲＲＣサーバと、の間で調整する。一般に、この調整機能は、中継器のこれらのフェース間で中継器内のマッピングおよび／または転送も実現する。この調整機能は、ホストＲＮＣとの調整を行うために、遠隔ＲＮＣプロトコルを利用する。
【００８３】
スーパーライトルータ中継器１１０８は、他のネットワーク要素から見て移動デバイス（もしくは複数の移動デバイス）、またはノードＢ、またはＲＮＣの役割をする（さらに、そのように見える）ことが可能であるものの、実際の違いが存在する。図１１において、アクセスフェース上で、中継器は、ノードＢプロトコル、ならびにＲＮＣスタックのいくらかを有することに留意されたい。しかし、バックホールフェース上で、中継器は、ノードＢまたはＲＮＣではなく、移動デバイススタックに類似する。また、中継器の中に少なくとも２つのＲＲＣ構成要素（各フェースにつき１つまたは複数）が存在することにも留意されたい。ＲＲＣおよびＲＬＣバックホールフェース接続は、中間ノードＢのプロトコルレイヤより上位にあり、このため、そのノードＢにはトランスペアレントである。さらに、移動デバイス１１１０は、移動デバイススタックに変更が全く行われないので、移動デバイス１１１０が中継器１１０８によるサービスを受けていると知る必要がない。
【００８４】
スーパーライト中継器１１０８は、ノードＢの能力を有するが、ＲＮＣのいくつかの能力も有する。中継器１１０８は、それらのアクセスリンクスタックに関する中継器１１０８独自の無線リソース（たとえば、無線リソース制御（ＲＲＣ））を管理する責任を有する。このため、バックホールフェースにおけるクライアントＲＲＣ（または複数のクライアントＲＲＣ）、およびアクセスフェースのためのサーバＲＲＣが存在する。しかし、中継器１１０８は、１つのノードＢ（中継器１１０８自体）の機能しか有さないので、アクセスリンクのためのＲＮＣ機能は、簡略化される（減らされる）。たとえば、ノードＢ機能は、スーパーライト中継器１１０８の中に並置されることが可能であるので、中継器ＲＮＣの範囲内のハンドオフ、またはバックホールプロトコルの必要性は、全く存在しない。また、中継器１１０８がコアネットワーク１１０２と通信する必要もない。ＲＲＰはホストノードＢにトランスペアレントであるので、中継器によるサービスを受ける移動デバイスに関するトラヒックがバックホール上でアグリゲートされる場合でさえ、（独自のＩｕｂ実装などの）Ｉｕｂ関連の問題は、現実的な意味がない。
【００８５】
スーパーライト中継器１１０８は、中継器１１０８がサービスを提供し、測定制御および報告を扱う無線リソース制御（ＲＲＣ）を担うので、したがって、それらの移動デバイスとの終端間ＲＲＣ接続を有する。このことは、中継器のノードＢ機能によって、並置される中継器「ＲＮＣ」機能に報告されることが可能であり、さらに新たな遠隔ＲＮＣプロトコル（ＲＲＰ）を介してホストＲＮＣにさえ報告されることが可能な、負荷情報やライズオーバサーマル（Rise-over-Thermal：ＲｏＴ）などの、ノードＢに関する測定および報告とは異なる。
【００８６】
一部の態様によれば、遠隔ＲＮＣプロトコル（ＲＲＰ）は、いくつかの機能を達する。第１に、ＲＲＰは、中継器１１０８とホストＲＮＣ  １１０４の間でユーザデータおよび／またはより高位のレイヤのユーザ制御シグナリングを転送する。第２に、ＲＲＰは、中継器ＲＮＣ機能とホストＲＮＣ（たとえば、ＨＣＦに関する）の間の調整を許す。
【００８７】
一部の態様によれば、ＲＲＰによるユーザデータ、およびより高位のレイヤのユーザ制御シグナリングの転送は、ＲＮＣとＵＭＴＳにおけるコアネットワークとの間で使用されるＩｕインターフェースを使用することが可能であるが、無線プロトコル上で伝送される。しかし、このことは、ホストＲＮＣは、ＲＲＰ上で受信された情報を、ホストＲＮＣがコアネットワークに接続するのに使用するＩｕインターフェース中にパッケージ化することができる、ホストＲＮＣがパスに存在するので、不必要である。このため、ユーザデータ、およびより高位のレイヤの制御シグナリングをさらに埋め込む（パッケージ化する）必要性は、全く存在しない。しかし、中継器自体への制御シグナリングは、Ｉｕｒ（インターＲＮＣインターフェース）またはＩｕｒ様のインターフェースを再使用することが可能であるが、やはり、自己バックホール部分に関する無線プロトコル上で行われる。ホストＲＮＣと中継器はともにＲＮＣ機能を有するので、このことは、ソリューションであり、中継器「ＲＮＣ」自体が、ホストＲＮＣによるサービスを受け、このため、部分的にホストＲＮＣによって制御されるので、改良され得る。
【００８８】
一部の態様によれば、スーパーライトルータ中継器１１０８は、バックホール上のアグリゲーションまたはノンアグリゲーションの柔軟性も許す。このことは、アグリゲートすることが、フローをマップするために中継器１１０８に関するさらなる情報を利用するので、調整のコンテキストの下で、以下にさらに説明される。
【００８９】
一部の態様によれば、ＲＲＰは、（中継器に関する無線バックホールにサービスを提供する）ホストＲＮＣの制御下にある中間ノードＢ  １１０６のホストＲＮＣによる管理と、中継器１１０８上にある移動デバイスにサービスを提供するために自らが有するノードＢ機能を管理するスーパーライト中継器１１０８と、の間の調整を許す。
【００９０】
調整機能は、いくつかの構成要素を有する。第１に、中継器１１０８は、バックホール上のフローを、移動デバイスへのアクセスリンク上のフローに接続するために、（ＰＤＣＰに関するＲＬＣなどの）トラヒックフローをマップする（マルチプレクスおよびデマルチプレクスを行う）。第２に、調整機能は、実際のＲＮＣ間より潜在的に広い容量で中継器１１０８への、および中継器１１０８からの、ハンドオフの調整を扱う。第３に、調整機能は、測定、およびホストＲＮＣ  １１０４への報告を担う。これらのサービスは、ＲＲＰメッセージングによってサポートされる。
【００９１】
一部の態様によれば、マッピング（アグリゲーションおよびノンアグリゲーション）が提供される。バックホールフローとアクセスフローの間のマッピングを達するのに、中継器１１０８は、アクセスリンクに関する優先順位付けおよびＱｏＳを、バックホールに関してホストＲＮＣが行う優先順位付けおよびＱｏＳと調整することも行わなければならない。このスキームの利点は、中継器１１０８が、バックホールとは独立に、移動デバイスへの中継器１１０８独自のＲＬＣレベルフローおよびＭＡＣレベルフローを管理する柔軟性を有することである。中継器１１０８は、中継器１１０８がバックホールスタックとアクセススタックの間でデータを転送することができるように、より上位のレイヤの接続がいずれの移動デバイス（または移動デバイスフロー）にマップされるかを知るだけでよい。また、中継器１１０８は、中継器１１０８の移動デバイスに優先順位を付けするために、および／または中継器１１０８の移動デバイスをスケジュールするために、ホストＲＮＣ  １１０４からの優先順位付けシグナリングを使用することもできる。他方、ホストＲＮＣ  １１０４は、中間（ホスト）ノードＢ  １１０６によって中継器１１０８を宛先とするフローに与えられる優先順位および／またはスケジューリングを制御しなければならない。
【００９２】
中継器によるサービスを受ける移動デバイスと、バックホール上で中継器が同様の役割をする移動デバイスのインスタンスと、の間で（さらにそれらの移動デバイスへの個々のフロー間で）、１対１関係が存在する場合、この状況は、本明細書では「ノンアグリゲーション」と呼ばれる。ノンアグリゲーションモードにおいて、中継器は、或る移動デバイスとしてではなく、中継器がサービスを提供する移動デバイスごとに１つの移動デバイスの役割をし、あるいは中継器自体を宛先とする制御シグナリングに関して追加の１つの移動デバイスの役割さえする。しかし、中継器によるサービスを受ける異なる移動デバイスに関する等しい優先度のフローを組み合わせることによって、または「アグリゲーション」と呼ばれる、中継器がサービスを提供する移動デバイスの数より少ない移動デバイスの役割（または１つだけの移動デバイスの役割さえ）を中継器にさせることによって、バックホールリンク上のユーザデータおよびユーザシグナリングをアグリゲートする柔軟性が中継器およびホストＲＮＣに与えられることが可能である。アグリゲーションは、（重なり合うバーストを有する、または一杯になった送信バッファを有する複数の移動デバイスのように）複数のユーザが同時にアクティブである場合に、潜在的に得られる可能性がある「トランキング効率（trunking efficiency）」を提供することができる。
【００９３】
ノンアグリゲーションの場合、オプションは、中継器に複数の移動デバイスの役割をさせること、または（移動デバイスではなく）中継器自体を宛先とする制御メッセージングのための別個のフローを有するようにさせることである。このことは、相対ＱｏＳ優先レベルを再使用することが可能であるが、ＲＮＣ−中継器シグナリングに関する、より高い１つの優先度のための余地をつくるように、中間ノードＢに設定された標準優先レベルを下げるＲＮＣを必要とする可能性がある。次に、これらの下げられた優先レベルは、アクセスリンクに関して中継器によって１つ上に移動されることも可能である。アグリゲーションの場合、バックホールは、Ｎ個のフローに分割されることが可能であり、ただし、Ｎは、中継器によるサービスを受ける移動デバイスへのフローに関する優先フローの合併の濃度（cardinality）である。次に、中継器は、それらのＮ個のフローのそれぞれから移動デバイスごとのメッセージングを抽出し、アクセスリンクを介して対応する移動デバイスにフローを配信することができる。たとえば、優先度ｘを有するすべての移動デバイスからのすべてのフローが、優先度ｘを有するバックホール上の１つのフローとしてアグリゲートされる。この場合も、中継器１１０８とホストＲＮＣ  １１０４は、適切なマッピング情報を交換し、場合により、優先度変換テーブルを交換する。
【００９４】
ルータ中継器１１０８を使用してアグリゲーションを達成するのに、（１）ノードＢに変更が全くない、（２）ノードＢに変更、および（３）ＲＮＣからノードＢ／サポートに変更が全くない、少なくとも３つの代替が存在する。第１の代替に関して、ノードＢに変更を行うことなしに、このアーキテクチャにおいてアグリゲーションが達せられることが可能な１つの仕方は、各ユーザの各フローを別個のＭＡＣ−ｄフローにマップすることである。ＲＲＰは、ＭＡＣ−ｄフローをユーザのフローにマップして、ルータ中継器において制御情報をセットアップするのに使用され得る。しかし、移動デバイスごとのＭＡＣ−ｄフローの数は、（たとえば、約８つに）制限される可能性があるので、このことは、限られた量のアグリゲーション（たとえば、アグリゲートされた２つまたは３つの移動デバイスのセット）しか許さない可能性がある。
【００９５】
第２の代替に関して、ノードＢに変更を行うことによって、ノードＢに全く変更がない事例（第１の代替）と比較して、より柔軟性のあるアグリゲーションが実現され得る。代替は、ノードＢが、同一のＭＡＣパケットの中の複数の移動デバイスのフローからのデータをアグリゲートし、遠隔ノードＢ中継器がダウンリンクフローをデマルチプレクスし、アップリンクフローをマルチプレクスすることを許すように移動デバイス識別子（たとえば、Ｈ−ＲＮＴＩ）を追加することであることが可能である。或る態様において、この代替は、終端ターゲットを識別するようにＭＡＣ−ｈｓヘッダを変更すること、およびこのヘッダを作成するようにノードＢに対応する変更を行うことを含む。
【００９６】
ルータ中継器事例におけるアグリゲーションのための第３の代替は、ＲＮＣが、異なる移動デバイスに関する同一のＱｏＳのフローを同一のＭＡＣ−ｄフローにマップすることであり得る。一例として、第１の移動デバイスは、ＱｏＳ優先度１を有するフローｆ１１、およびＱｏＳ優先度２を有するフローｆ１２を有する。また、第１の移動デバイスは、ＱｏＳ優先度１を有するフローｆ２１、およびＱｏＳ優先度２を有するフローｆ２２も有する。次に、ＲＮＣは、ｆ１１およびｆ２１を伝送する１つのＭＡＣ−ｄフローをセットアップし、ｆ１２およびｆ２２を伝送する別のＭＡＣ−ｄフローをセットアップすることが可能である。この例の場合、ｆ１１およびｆ２１はそれぞれ、１００ｋｂｐｓの保証されたレートというＱｏＳ要件を有する。このため、ＲＮＣは、２００ｋｂｐｓというＱｏＳ要件を有する複合ＭＡＣ−ｄフローをセットアップすることができる。しかし、このことは、その２つのフローの１つが２００ｋｂｐｓの全体を使用することを防止しない。このことを防止するのに、ＲＮＣは、各ユーザのレートを１００ｋｂｐｓに制限するために、いくつかのトークンバケットフィルタを実行することもできるが、そうすることは、システム帯域幅が空である場合にユーザが１００ｋｂｐｓを超えたレートを獲得することを妨げる。トラヒック成形／監視のために、より高度なアルゴリズムを使用して、たとえば、これらの問題は、統計的に扱われることも可能である。さらに、ＲＮＣは、この場合、いくつかの種類のＱｏＳフローだけを（より容易に監視／成形され得る）同一のＭＡＣ−ｄフローの中にアグリゲートすることを選択することができる。このため、このオプションは、ノードＢの変更を全く要求しないが、同一のＭＡＣ−ｄフローを共有するフローを適切に制御するのに高度な成形／監視の形態でＲＮＣからのサポートを必要とする。
【００９７】
ルータ中継器は、（ＲＬＣ／ＰＤＣＰなどの）ＭＡＣより上のレイヤを見るので、ユーザをデマルチプレクスすることは、ＲＬＣ（またはＰＤＣＰ）などの、より高位のレイヤで行われ得る。このオプションは、この場合、中継器がＭＡＣより上のレイヤを見ないので、中継器が厳密にノードＢとして振舞う事例においては可能でないことに留意されたい。
【００９８】
開示される態様の利点は、アグリゲーションは要求されないものの、バックホール上で移動デバイストラヒックフローのアグリゲーションを容易にすることである。この態様において、ノードＢは、ＲＮＣが、中継器を認識していて、中間ノードＢ優先順位付け、ならびにそのノードＢおよび中継器によるサービスを受ける移動デバイスのスケジューリングを調整することができるため、変更されなくてもよい。ＲＮＣは、ＲＬＣのフロー制御機構を使用して、ノードＢにおけるキューを管理することができる。
【００９９】
アグリゲーションの或る態様において、移動デバイストラヒックは、バックホールリンク（複数可）上でアグリゲートされることが可能である。つまり、中継器が、中継器がサービスを提供する移動デバイスごとに１つの移動デバイス（または移動デバイスアクセスリンクフローごとに１つのバックホールフロー）の役割をする代わりに、中継器−ノードＢリンク、または中継器−ＲＮＣリンクが組み合わされて、１つの接続またはフローにされることが可能である。この場合、ノードＢは、マルチプレクスすること、およびデマルチプレクスすることがＲＮＣエンドポイントおよび中継器エンドポイントにおいて行われるので、それを行わなくてもよい。
【０１００】
図１３は、或る態様による自己バックホールアグリゲーションの概略図１３００を示している。含まれるのは、無線リンクであり得るノードＢアクセスリンク１３０８を介して移動デバイスの第１のセット１３０６と通信するＲＮＣ  １３０２およびノードＢ  １３０４である。移動デバイスの第２のセット１３１０は、無線リンクであり得る中継器アクセスリンク１３１４を介して遠隔ノードＢ中継器と通信する。遠隔ノードＢ中継器１３１２は、無線リンクであり得る自己バックホールリンク１３１６を介してノードＢ  １３０４と通信する。
【０１０１】
ＲＮＣ  １３０２および中継器１３１２は、代替として、複数のフローまたは「中継器移動デバイス」ＩＤを使用することができる。ＲＮＣ  １３０２は、パイプの特性に対応する中継器１３１２によってサービスを受ける（アクティブな）移動デバイス１３１０が全く存在しない場合、それらのフローまたはＩＤのサブセットをインアクティブにする、またはアイドルにする、あるいは別のパイプを優先させることが可能である。ＲＮＣ  １３０２は、低いＭＡＣ−ｈｓ／ｅレベルでノードＢ  １３０４の制御を有するので、ＲＮＣ  １３０２は、自己バックホールのアグリゲートされたリンクを中継器アクセスリンクの中継器による扱いと緊密に調整することができる。また、中継器１３１２は、通常のノードＢ  １３０４の上のレイヤ（たとえば、ＲＬＣ）を有するので、ＭＡＣプロトコルレベルで、またはＭＡＣプロトコルレベルより上でアグリゲーションを行い、その結果、潜在的により高い効率（たとえば、トランキング）利得を実現することができる。
【０１０２】
図１４は、或る態様による優先フローごとの自己バックホールアグリゲーションの概略図１４００を示している。図１３に関連して前述した事例において、またはノンアグリゲーションの事例において、中継器１３１２は、中間ノードＢから見て複数の移動デバイスの役割をしていることが可能である。このため、中継器１３１２は、複数のチャネル上で同時にスケジュールされることが可能である。このため、中継器１３１２は、複数の「移動デバイス」ＩＤ（Ｈ−ＲＮＴＩおよびＥ−ＲＮＴＩ）を有することが可能である。中継器１３１２は、複数のＨＳ−ＳＣＣＨをスキャンし、複数のＨ−ＲＮＴＩ割当てについて（同様に、Ｅ−ＲＮＴＩを使用するアップリンクについて）注意することができる。また、中継器１３１２は、通常の（非中継器の）移動デバイスと比べて、より高い復調処理能力、またはより高い復号処理能力を有することも可能である。
【０１０３】
一部の態様によれば、中継器と通常のノードＢ（それがホストノードＢであるか否かにかかわらない）の間のハンドオフは、一部の態様において、インターＲＮＣハンドオフに類似するが、さまざまな仕方で異なる。ＲＮＣは、スーパーライト中継器をホストするので、ＲＲＰ上でフロー制御を使用して、ハンドオフ遅延を小さくすることができる。このことは、ハンドオフの必要性が決定される、または予測されると、より早期の時点で、バッファを空にするように、バッファを小さく保つように、あるいはバイキャスト（bi-casting）を調整するように（中継器自体が第２のパーティである）中継器のバッファを制御することによって実行され得る。このため、ハンドオフアクション時間は、進められる（より早期に）ことが可能であり、中断および遅延が最小限に抑えられることが可能である。さらに、ドリフトＲＮＣ概念を使用して、中継器「ＲＮＣ」とホストの間のソフトハンドオフがサポートされることが可能である。Ｉｕｒインターフェースは、これらの能力を既に有するので、Ｉｕｒインターフェースは、無線バックホールを介して使用され得る。
【０１０４】
また、ドリフトＲＮＣ概念は、アグリゲートされたバックホールが移動デバイス伝送からのソフト復号されたビットを（中継器における、より上位のレイヤをバイパスして）ネットワークにおける組合せポイントに伝送することができるため、アグリゲーションで使用されることさえ可能であることにも留意されたい。
【０１０５】
待ち時間は、ハンドオフに関して考慮されることが可能な別の要因である。中継器に接続された移動デバイスに関して複数のホップが存在することが可能であるものの、バックホール上の中継器に対する良好な形状条件またはリンク条件、および中継器アクセスリンク上の優先順位付けを所与として、移動デバイスに関するスケジューリング上の利点が存在する場合、その移動デバイスがノードＢによるサービスを直接に受けたとした場合と比べて、その移動デバイスに関して待ち時間がより小さいことが可能である。このため、ＲＲＰ上でそのような情報を通信し、ハンドオフ判定における待ち時間を考慮することが有利である可能性がある。
【０１０６】
一部の態様によれば、移動デバイスが中継器によるサービスを受けている際に、以下の少なくとも４つの測定−報告コンテキスト、すなわち、（１）移動デバイスと中継器の間、（２）通常の（中間）ノードＢとホストＲＮＣの間、（３）移動デバイスの役割をする中継器とホストＲＮＣの間、および（４）スーパーライト中継器「ＲＮＣ」とホストＲＮＣの間、が存在する。
【０１０７】
コンテキスト（１）および（３）は、パイロット強度測定（Ｅｃ／Ｉｏなど）またはイベントトリガなどのコンテンツを含む。コンテンツ（１）は、アクセスリンクに対応するのに対して、コンテンツ（３）は、バックホールリンクに対応する。コンテンツ（２）および（４）は、ノードＢおよび中継器「ノードＢ」におけるＲｏＴ条件、負荷条件、およびその他の条件などのコンテンツを含む。
【０１０８】
ここで、（４）は、ＲＲＰを介して行われる。このため、ＲＲＰ（および中継器−ＲＮＣ調整機能）は、ＲＮＣから中継器への（２）（および、場合により、（３）、ただし、ソースはもともと中継器であったので、そのことは冗長で、不必要である可能性がある）に関する情報の交換、または中継器からＲＮＣへの（４）の情報の交換（またはその両方）をサポートしなければならない。移動デバイスが中継器によるサービスを受ける場合、中継器は、このため、ハンドオフが行われるべきかどうかを判定するのに必要なすべての情報を有することが可能である。逆に、移動デバイスが通常のノードＢによるサービスを受ける場合、ＲＮＣは、ハンドオフが行われるべきかどうかを判定するのに必要なすべての情報を有することが可能である。
【０１０９】
一部の態様において、ホストＲＮＣは、ホストＲＮＣのスタック内に対応するＲＲＰ、ならびに移動デバイス（または複数の移動デバイス）として中継器を役立てるのに使用されるリソースのローカルＲＲＣ管理を中継器のローカルＲＲＣ管理（たとえば、ＲＲＰ上の）と調整する機能を有する。ホストＲＮＣは、バックホール（Ｉｕｂ）リソースおよび無線バックホール（ノードＢ）リソースを管理することを担う。ホストＲＮＣは、ユーザデータを、それらのリンクを介するフローの中にルーティングする。ホストＲＮＣは、このマッピングを常に把握しており、このマッピングを、関連する優先順位および／またはＱｏＳパラメータと一緒にスーパーライトルータ中継器に知らせて、中継器が、これらのフローを抽出し、これらのフローを中継器独自のＲＲＣ制御されたフローの中にマップすることができるようにする。
【０１１０】
一部の態様によれば、ソフトハンドオフがサポートされる。ホストＲＮＣは、ハンドオフを中継器と調整しなければならず、ドリフトＲＮＣの役割をする中継器とのダウンリンクソフトハンドオフをサポートすることも可能である。このモードでは、より低位のレイヤのフレームがホストＲＮＣにおけるスタックで再び上方に上げられて、アクセスフェース上位レイヤがバイパスされるＲＲＰ上で中継器にトランスポートされ、より低位のレイヤのフレームは、ターゲット移動デバイスに伝送される。このことは、時間的に調整されなければならず、したがって、ホストＲＮＣは、中継器に着信するフレームに関して、フレームを伝送し、十分に前もってフレームを供給するアクション時間（スロット）を中継器に与えなければならない（または同期されなければならない）。このため、ノードＢと中継器は、ほぼ同時に（探索ウインドウ内で）フレームを伝送し、移動デバイスは、ソフトハンドオフ状態にあることが可能である。
【０１１１】
アップリンクソフトハンドオフに関して、受信された、より低位のフレームは、中継器（またはＲＮＣ）上位レイヤをバイパスし、組合せが行われて、その後、フレームがより高位のレイヤによって処理されるマスタＲＮＣ（ホストＲＮＣまたはスーパーライト中継器ＲＮＣ）に転送される。ＲＲＰ上の遅延のため、バッファは、より大きくなければならない可能性があり、ジッタは、バックホールのさらなる遅延の変動のため、より高い可能性がある。
【０１１２】
１つの代替は、移動デバイスが通常のノードＢまたは中継器を相手にソフトハンドオフに入ることができるが、通常のノードＢと中継器の混合を相手にそうすることはできないように、ソフトハンドオフを制限することである。このことは、ソフトハンドオフフレームのジッタまたは遅延変動を制御するのに使用され得る。代替として、ソフトハンドオフは、現在、中継器上にある移動デバイスに関して許可されないことも可能である。しかし、中継器にノードＢ間でハンドオフさせ、中継器がサービスを提供する移動デバイスがソフトハンドオフ状態にない場合でも、場合により、ソフトハンドオフ状態にさえすることが有利であり得ることに留意されたい。
【０１１３】
この態様の別の利点は、ルータ中継器が別個のノードＢ  ＩＤを有し、さらにＲＮＣ機能さえ有することであり、このため、ルータ中継器は、Ｅ−９１１緊急時サービスに対応することができる。さらに、中継器のＲＮＣシグナリング機能は、ノードＢ機能と並置されるので、中継器は、中継器に関連付けられた移動デバイスに送られるシグナリング情報を制御することができ、このシグナリングは、三辺測量などの位置特定技術のために移動デバイスによって使用可能である。中継器が移動型であり、ＧＰＳ測位技術を有する場合、中継器が、中継器自らの位置を特定し、ノードＢ（および中継器）によって送信された信号（たとえば、パイロット）の移動デバイス測定に基づく位置、およびノードＢ（および中継器）位置を計算するネットワークベースのデバイスを更新することができることから、関連付けられたすべての移動デバイスは、このことから利益を受けることができる。
【０１１４】
一部の態様によれば、スーパーライトルータ中継器は、スーパーライトルータ中継器に動作上（内部で、または外部から）結合されたメモリを含み得る。プロセッサは、メモリに結合されることが可能であり、メモリの中に保持される命令を実行するように構成されることが可能である。メモリは、ホスト無線ネットワークコントローラに接続され、中間基地局にトランスペアレントである遠隔無線ネットワーク制御プロトコルを使用してホスト無線ネットワークコントローラと通信する、少なくとも１つの移動デバイスに無線アクセスリンクを介してサービスを提供することと関係する命令を保持することが可能である。また、メモリは、無線バックホールリンクと無線アクセスリンクの間のデータフローを、遠隔無線ネットワーク制御プロトコル上で通信された調整情報を使用してマップすることと関係する命令も保持することが可能である。少なくとも１つの移動デバイスにサービスを提供することと関係する命令は、第１の物理レイヤ、データリンクレイヤプロトコルスタック、および無線リソース制御サーバを使用することが可能である。一部の態様によれば、ホスト無線ネットワークコントローラに接続することと関係する命令は、第２の物理レイヤ、データリンクレイヤプロトコルスタック、および無線リソース制御クライアントを使用して接続し、接続することは、中間基地局に対する無線バックホールリンクを介する。
【０１１５】
一部の態様によれば、メモリは、バックホールリンクを介する別の接続を使用して、サービスを受ける移動デバイスへの接続をアグリゲートすることに関係する命令と、接続のためのアグリゲートされていないアクセスリンクをアグリゲートされたバックホールリンクにマップするようにホスト無線ネットワークコントローラと情報を交換することに関係する命令と、をさらに保持する。一部の態様によれば、メモリは、サービスを受ける少なくとも１つの移動デバイスがソフトハンドオフに入ることを制限し、基地局によるサービスを受ける移動デバイスが中継器を相手にソフトハンドオフに入ることを制限することに関係するさらなる命令を保持する。
【０１１６】
一部の態様によれば、スーパーライトルータ中継器は、少なくとも１つのプロセッサ（メモリに動作上、結合された）を含む。プロセッサは、第１の物理レイヤ、データリンクレイヤプロトコルスタック、および無線リソース制御サーバを使用して無線アクセスリンクを介して少なくとも１つの移動デバイスにサービスを提供する第１のモジュールを含む。また、プロセッサは、中間基地局に対する無線バックホールリンクを介して第２の物理レイヤ、データリンクレイヤプロトコルスタック、および無線リソースクライアントを使用してホスト無線ネットワークコントローラに接続される第２のモジュールも含む。さらに、プロセッサは、中間基地局にトランスペアレントである遠隔無線ネットワーク制御プロトコルを使用してホスト無線ネットワークコントローラと通信する第３のモジュールを含む。やはりプロセッサに含まれるのは、遠隔無線ネットワーク制御プロトコル上で通信された調整情報を使用して無線バックホールリンクと無線アクセスリンクの間のデータフローをマップする第４のモジュールである。
【０１１７】
図１５は、或る態様によるＩＰ中継器を有する概略図１５００を示している。一部の態様によれば、移動デバイスが中継器上にある場合、中継器自己バックホールＩＰを有する中継器ゲートウェイが利用され、移動デバイスが中継器上にない場合、パススループロトコルが利用される。さらに、基地局として移動デバイスと通信する基地局プロトコル、および移動デバイスとして中間基地局（ノードＢ）と通信する移動デバイスプロトコルを有する中継器が利用される。中継器は、１つまたは複数の中間ネットワーク要素を横断してトランスペアレントに中継器ゲートウェイから移動デバイスにデータを伝送し、中継器ゲートウェイに移動デバイスからデータを伝送する中継器自己バックホールＩＰを有する。
【０１１８】
図示されるのは、コアネットワーク１５０２、ＲＮＣ  １５０４、ノードＢ  １５０６、ＩＰ中継器１５０８、および移動デバイス１５１０である。一部の態様によれば、前述した問題は、ＩＰ中継器および戦略中継器ゲートウェイ（Strategic Relay Gateway：ＲＧＷ）の使用を介して軽減される。ＩＰ中継器は、エンドユーザ（たとえば、移動デバイス）または後続の中継器にサービスを提供するノードＢおよびＲＮＣのプロトコルおよび機能を有する。また、ＩＰ中継器は、ノードＢまたは他の中継器に接続する移動デバイスのプロトコルおよび機能も有する。また、ＩＰ中継器は、少なくともＩＰを含む、より高位のレイヤのプロトコルも有する。このＩＰレイヤは、中継器自己バックホールＩＰ（またはＲＳＢ−ＩＰ）と呼ばれ、エンドユーザのＩＰレイヤより下位であるが、（バックホールＵＤＰ／ＩＰレイヤまたはＡＴＭレイヤを含む）基礎をなすいずれのバックホールレイヤよりも上位である。戦略中継器ゲートウェイは、ＩＰ中継器の相手方である。戦略中継器ゲートウェイ（ＲＧＷ）に関する３つの一般的な態様が以下に説明される。ＲＧＷは、これらのＩＰ中継器の１つまたは複数と協働し、あるいは１ホップ、２ホップ、またはそれより多くのホップのマルチホップ系列における１つまたは複数のＩＰ中継器とさえ協働する。これらの態様は、ＩＰ中継器から始めて詳細に説明され、戦略中継器ゲートウェイ（ＲＧＷ）の実施形態がその後に続くだろう。
【０１１９】
ＩＰ中継器１５０８は、以下の少なくとも２つのプロトコル「フェース」（スタック）、すなわち、自己バックホールフェースおよびアクセスフェースを有する。各フェース（たとえば、ＩＰ中継器１５０８によるサービスを受ける各移動デバイス１５１０につき１つのアクセスフェースインスタンス）に関してそのようなスタックの複数のインスタンスが存在する可能性があるが、説明では、これらのフェースは、一般的に説明されるだろう。
【０１２０】
自己バックホールフェースは、ノードＢ  １５０６およびＲＮＣ  １５０４に接続される移動デバイス様の物理レイヤ（ＰＨＹ）プロトコルおよび媒体アクセスレイヤ（ＭＡＣ）プロトコルから成る。しかし、それらのレイヤ１プロトコルおよびレイヤ２プロトコルの上に、ＩＰ中継器１５０８は、少なくとも中継器自己バックホールＩＰ（またはＲＳＢ−ＩＰ）を有し、さらにその上にＵＤＰおよびＧＴＰを有することも可能である。このＩＰレイヤは、移動デバイス（エンドユーザ）ＩＰプロトコルに類似し（または同一であり）、さらに、中間ノードＢ  １５０６またはＲＮＣ  １５０４に関する限り、移動デバイスと見分けがつかない。しかし、このＩＰレイヤは、エンドユーザの（移動デバイスの）ＩＰプロトコルではなく、移動デバイスＩＰをデータペイロードとして伝送する。
【０１２１】
アクセスフェースは、移動デバイス、または複数の移動デバイスにサービスを提供するのに十分なＲＮＣおよびノードＢのプロトコルおよび機能（またはそのようなプロトコルおよび機能の一部）から成る。移動デバイスから見て、ＩＰ中継器１５０８は、ノードＢに見える。これらのプロトコル態様は、コアネットワークがアクセスレイヤ範囲におけるノードに的を絞るために抽象化されている図１５に示されている。
【０１２２】
図示されるとおり、中継器自己バックホールＩＰ（またはＲＳＢ−ＩＰ）は、ノードＢ  １５０６およびＲＮＣ  １５０４のプロトコル処理より上にあるため、それらのネットワーク要素にはトランスペアレントである。このため、ＩＰ中継器１５０８は、一般に、移動デバイスのように見えるので、ＲＮＣ  １５０４およびノードＢ  １５０６には、一般に、トランスペアレントである。
【０１２３】
移動デバイスＩＰプロトコル（または何であれユーザが使用しているアプリケーションプロトコル）は、中継器の自己バックホールＩＰプロトコルより上位にある。中継器の自己バックホールＩＰ（およびＵＤＰ、ＧＴＰ）プロトコルは、ＲＮＣ  １５０４およびノードＢ  １５０６を介して移動デバイス１５１０に移動デバイスＩＰデータを伝送し、移動デバイス１５１０から移動デバイスＩＰデータを伝送する。しかし、（一方が他方に埋め込まれた）２つのＩＰプロトコルは、コアネットワークの中まで続くことに留意されたい。このことは、図１６に示される、チェーンの中に中継器が全く存在せず、移動デバイスのＩＰプロトコルだけがコアネットワーク１５０２の中まで（通常、ＧＰＲＳゲートウェイサポートノード（ＧＧＳＮ）まで）続く状況と対照的である。図１５を参照すると、基礎をなす中継器自己バックホールＩＰは、移動デバイスの（ＩＰ）がコアネットワーク１５０２に到達する、またはコアネットワーク１５０２から到達するトランスポートである。
【０１２４】
基礎をなす中継器自己バックホールＩＰは、中間ノードをトランスペアレントに（中継器がエンドユーザであるかのように見える）横断するトランスポートだけを目的とするので、ネットワーク側のＩＰ中継器に対応する機能が存在しなければならない。戦略中継器ゲートウェイ（ＲＧＷ）が、この問題を解決する。
【０１２５】
戦略中継器ゲートウェイ（ＲＧＷ）に関して少なくとも３つの態様が存在する。これらの異なる態様は、ＩＰルーティング問題を解決することに関する。ルーティング問題は、移動デバイスが中継器上にあるか、中継器上にないかに依存する、異なる動作の１つである。しかし、一般に、中継器ゲートウェイは、転送する側（中継する側）として、さらに中間ノードから見てサービスを受ける「移動デバイス」として、ＩＰ中継器の動作を調整する。このことは、ダウンリンクとアップリンクの通信だけの調整ではなく、位置特定などの副次的な機能も含むことが可能である。
【０１２６】
１つの見方は、このルーティング問題が、ノードＢまたはＲＮＣにおけるＩＰの欠如によるということである。これらのノードにおけるルーティングなしには、（１）中継器上にない移動デバイスからのパケットと、（２）中継器上の移動デバイスからのパケットと、を区別して、ルーティングするルータは全く存在しない。同時に、エンドユーザの機器（ＵＥ）、ＲＮＣ、およびノードＢ、ならびにコアネットワーク要素の変更が軽減されなければならない。
【０１２７】
図１７は、或る態様による、中継器を全く有さないベースラインアーキテクチャ１７００の概略図を示している。図示されるのは、移動デバイス１７０２、ノードＢ  １７０４、ＲＮＣ  １７０６、ＳＧＳＮ  １７０８、およびＧＧＳＮ  １７１０である。このアーキテクチャは、すべてのアプリケーションレイヤＩＰプロトコル１７１２、１７１４が移動デバイスとＧＧＳＮ  ＩＰの間にあるため、中継器上に移動デバイスが全く存在しない場合、十分である可能性がある。
【０１２８】
図１８は、或る態様によるＩＰ中継器上のすべての移動デバイスを有するアーキテクチャ１８００を示し、さらに図１９は、或る態様による中継器上のすべての移動デバイスを有するプロトコルエンドポイントの概略図１９００を示している。前出の図と同様に、図示されるのは、移動デバイス１７０２、ノードＢ  １７０４、ＲＮＣ  １７０６、ＳＧＳＮ  １７０８、およびＧＧＳＮ  １７１０である。この事例において、戦略中継器ゲートウェイ（ＲＧＷ  １８０２）が、ＩＰ中継器１８０４における挿入された中継器自己バックホールＩＰレイヤの対応物として、ＲＮＣ  １７０６とＳＧＳＮ  １７０８の間に挿入されることが可能である。このため、中継器自己バックホールＩＰ  １８０６、１８０８は、ＩＰ中継器１８０４と戦略中継器ゲートウェイ（ＲＧＷ  １８０２）の間にある。中継器自己バックホールＩＰは、ノードＢ  １７０４およびＲＮＣ  １７０６が（ＩＰ中継器が移動デバイスのように見えるので）ＩＰ中継器を扱うのに特別な変更を必要とすることがないように、それらのポイント間でアプリケーションＩＰを伝送する。最後に、ＳＧＳＮ  １７０８、ＧＧＳＮ  １７１０、および移動デバイス１７０２が（中継器自己バックホールＩＰラッピングなしに）アプリケーションＩＰを見るので、移動デバイス１７０２からＧＧＳＮ  １７１０に至るアプリケーションＩＰ接続は、それらの要素を変更する必要なしに維持される。
【０１２９】
しかし、図１７と図１８を比較することによって、ルーティング（ＲＧＷを介しても、介さなくても）は、移動デバイスがＩＰ中継器上にあるかどうかに依存することが明白であろう。ＲＮＣおよびＳＧＳＮは、この能力を有さない。着信する（ダウンリンク（ＤＬ））トラヒックは、コアネットワーク内、またはコアネットワークの外部の異なるポイントからルーティングされる可能性があるが、発信（アップリンク（ＵＬ））トラヒックは、ノードＢおよびＲＮＣを通過する。この場合、この問題（たとえば、中継器上の移動デバイスと中継器上にない移動デバイスの両方に同一のネットワーク設計を使用してサービスを提供すること）を解決するための３つの代替が提示される。
【０１３０】
中継器上の移動デバイスと中継器上にない移動デバイスの両方をサポートする３つの態様は、（１）中継器非中継器ゲートウェイ（たとえば、非中継器移動デバイスをサポートすることができるＲＮＣとＧＧＳＮの間の中継器ゲートウェイ）、（２）中継器アクセスゲートウェイ（たとえば、ＲＮＣとＧＧＳＮの間の中継器ゲートウェイ経由で中継器ＵＥトラヒックをルーティングすること、あるいは非中継器ＵＥトラヒックに関して中継器ゲートウェイをバイパスすることができる変更されたＲＮＣ）、および（３）中継器コアゲートウェイ（たとえば、ＩＰ接続を介してＧＧＳＮに接続された中継器ゲートウェイ）、である。
【０１３１】
図２０は、或る態様による中継器非中継器ゲートウェイの概略図を示している。図示されるのは、２つの移動デバイス２００２、２００４、および中継器２００６である。やはり含まれるのは、ノードＢ  ２００８、ＲＮＣ  ２０１０、ＲＧＷ  ２０１２、ＳＧＳＮ  ２０１４、およびＧＧＳＮ  ２０１６である。中継器非中継器ゲートウェイは、名前が暗示するとおり、中継器上の移動デバイスと移動デバイス上にない中継器との両方に関する移動デバイストラヒックを処理する。中継器上の移動デバイスからのアップリンクトラヒックに関して、中継器非中継器ゲートウェイは、中継器自己バックホールＩＰからのエンドユーザＩＰ  ２０１８（または複数の中継器ホップの事例において、中継器自己バックホールＩＰからの埋め込まれた複数のパケット）を埋込み解除して、それらのエンドユーザＩＰパケット２０２０をコアネットワークに転送する。中継器上の移動デバイスへのダウンリンクトラヒックに関して、中継器非中継器ゲートウェイは、中継器自己バックホールＩＰ（または複数の中継器ホップの事例において、中継器自己バックホールＩＰの埋め込まれた複数のパケット）の中にエンドユーザＩＰパケットを埋め込み、それらのパケットを、ＲＮＣ  ２０１０およびノードＢ  ２００８を介して第１のＩＰ中継器に転送する。コアネットワークから見て、このため、中継器移動デバイスは、ＲＧＷ  ２０１２から先では、非中継器移動デバイスと同一に見える。中継器自己バックホールＩＰエンドポイント２０２２、２０２４は、ＩＰ中継器２００６およびＲＧＷ  ２０１２で終端させられることに留意されたい。
【０１３２】
このアーキテクチャ２０００の利点は、他のノード（移動デバイス、ノードＢ、ＲＮＣ、ＳＧＳＮ、ＧＧＳＮなどを含む）の変更が軽減され得ることである。しかし、すべてのパケットは、ゲートウェイを通過し、このため、一方のプロトコルフェース（復号）を上昇し、他方のプロトコルフェース（符号化）を下降するさらなる処理遅延を経験する可能性がある。このため、中継器上にない移動デバイスさえ、移動デバイスのトラヒックにＲＧＷ  ２０１２を通過させ、それらの関連する遅延を経験する。このリンクは、時間に左右される可能性がある、「Ｉｕ」インターフェースと呼ばれ、このリンクは、さらなる遅延を許容しない可能性がある。
【０１３３】
図２１は、或る態様による中継器非中継器ゲートウェイアーキテクチャ２１００のためのプロトコルを示している。ＲＮＣ  ２０１０とＳＧＳＮ  ２１０２の間のＩｕ接続は、中継器上の移動デバイスに関してだけでなく、すべての移動デバイスに関して、ＲＧＷ  ２０１２によって２つのリンクに分割されることに留意されたい。
【０１３４】
図２２は、或る態様による中継器非中継器ゲートウェイブレークアウト図２２００を示している。前述したとおり、コアネットワークフェースの代替は、着信トラヒック／発信トラヒックを異なるＳＧＳＮ  ２２０２  ＧＧＳＮ  ２２０４にルーティングすること、あるいは図２１に示される中継器移動デバイスに関して２２０６で示されるとおり、ＳＧＳＮ機能、ＧＧＳＮ機能をＲＧＷの中に含めることである。しかし、この「ブレークアウト」概念は、待ち時間問題を回避しない。
【０１３５】
図２３を参照すると、図示されているのは、或る態様による中継器アクセスゲートウェイ概略図２３００である。中継器アクセスゲートウェイ２０１２は、中継器上の移動デバイスに関するトラヒックだけ処理をする。このことは、中継器移動デバイストラヒックをＲＧＷ  ２３０２経由でルーティングし、非中継器移動デバイスに関してＲＧＷ  ２３０２をバイパスするようにＲＮＣ  ２０１０を変更することによって達せられる。一般に、このことは、ＲＮＣ  ２０１０へのルーティングでＩＰレイヤを追加することによって実行され得る。ＲＧＷ  ２３０２が、ＩＰ中継器２００６によってアドレス指定され、ＲＮＣ  ２０１０によってＲＧＷ  ２３０２にルーティングされることが可能である一方で、その他のＩＰアドレスは、ＲＧＷ  ２３０２をバイパスする。
【０１３６】
（図２３に示される）１つの代替は、（ＩＰレイヤがいずれにしてもＲＮＣ  ２０１０に追加されるので）中継器自己バックホールＩＰをＲＮＣ  ２０１０で終端させることである。図２４に示されるのが、或る態様による中継器アクセスゲートウェイプロトコルアーキテクチャ２４００であり、さらに図２５は、或る態様による中継器アクセスゲートウェイブレークアウト２５００を示している。これらの態様は、中継器自己バックホールＩＰをＲＧＷ  ２５０２まで続けることを含む。この事例では、両方のＩＰフェースがＲＮＣ  ２０１０にある（たとえば、受信ＩＰおよび送信ＩＰ）。
【０１３７】
中継器アクセスゲートウェイの利点は、非中継器移動デバイスがそれほど多くのさらなる遅延を被らないことである。しかし、中継器上の移動デバイスに関するトラヒック、および中継器上にない移動デバイスに関するトラヒックをルーティングする、ＲＮＣにおけるＩＰレイヤのため、依然、さらなる遅延が存在する。しかし、前述の中継器非中継器ゲートウェイ設計と比べて、すべてのＩｕスタックプロトコルを有する、挿入されるさらなるＩｕ要素は存在しない。中継器アクセスゲートウェイの別の利点は、コアネットワーク、移動デバイス、またはノードＢに関して要求される変更が全く存在しないことである。しかし、ＲＮＣ  ２０１０への変更が存在する。
【０１３８】
図２６は、或る態様によるＲＧＷに関する中継器コアゲートウェイのためのネットワーク設計２６００を示している。この図は、或る態様による、プロトコル視点２７００からの中継器コアゲートウェイプロトコルを示す図２７、ならびに或る態様による中継器コアゲートウェイブレークアウト２８００を示す図２８も参照して説明される。中継器コアゲートウェイ２８０２は、或る意味で、ＧＧＳＮを過ぎて、アクセスレイヤ範囲の外にある。ＧＧＳＮはＩＰを有するので、ＧＧＳＮは、ＩＰパケットをルーティングすることができる。このため、ＲＧＷ  ２８０２は、ＩＰ接続（複数可）（インターネットのような一般的なＩＰネットワークさえ）を介してＧＧＳＮに直接に、または間接的に接続され得る。ＩＰ中継器２００６は、ＵＴＲＡＮによって移動デバイスとして扱われる。ＩＰ中継器２００６のＩＰトラヒックは、そのトラヒックに埋め込まれているが、ノードＢ  ２００８、ＲＮＣ  ２０１０、およびＳＧＳＮにトランスペアレントであり、ＧＧＳＮにさえトランスペアレントであるエンドユーザトラヒックをトランスポートする。ＩＰ中継器２００６は、ＩＰ  ＲＧＷをアドレス指定することができるので、中継器移動デバイストラヒックだけがＲＧＷ  ２５０２に進む。アップリンクエンドユーザＩＰトラヒックは、中継器自己バックホールＩＰからＲＧＷ  ２５０２によって埋込み解除され、別のＲＮＣ／ＳＧＳＮから来たかのようにＧＧＳＮに戻るように転送される。ダウンリンクエンドユーザＩＰは、中継器自己バックホールＩＰに埋め込まれ、ＩＰ中継器に伝送されるようにＧＧＳＮに戻るように転送される。ＩＰ中継器が、そのエンドユーザＩＰを埋込み解除して、移動デバイスに転送する。
【０１３９】
ＲＧＷ  ２５０２は、外部ネットワーク接続に関するＧＧＳＮの扱いが、中継器および移動デバイスのＧＧＳＮの扱いとは異なる可能性があるため、代替として、異なる２つ以上のＧＧＳＮに接続されることが可能であることに留意されたい。つまり、中継器自己バックホールＩＰ接続は、１つのＧＧＳＮ  ２７０２を通過し、ＲＧＷ  ２５０２に出された後、異なるＧＧＳＮ  ２７０２に再び入るようルーティングされて、ＵＴＲＡＮから出て宛先ネットワーク（たとえば、ＶｏＩＰ呼の宛先サーバまたは第２のパーティ）に至るようにルーティングされる。
【０１４０】
図２７の態様にはいくつかの利点が存在する。第１に、ＲＮＣ、ノードＢ、ＳＧＳＮ、ＧＧＳＮ、および移動デバイスが必ずしも変更されなくてもよい。第２に、中継器上にない移動デバイスに関する接続パスにおいて中継器ＧＷが課せられないので、それらの移動デバイスが、さらなる遅延を被らない。
【０１４１】
代替の態様において、中継器ＧＷは、ＧＧＳＮに、エンドユーザＩＰデータを配信するため、または受け付けるためのＳＧＳＮまたはＲＮＣに見えることが可能である一方で、同時に、中継器ＧＷは、ＧＧＳＮに、中継器ＧＷが移動デバイスであるかのように、中継器自己バックホールＩＰデータを配信する、または受け付ける別の（または同一の）ＧＧＳＮまたはＲＮＣに見えることが可能である。つまり、移動デバイスは、移動デバイスが存在する実際のＲＮＣおよびノードＢではなく）ＲＧＷに仮想で関連付けられることが可能である（移動デバイスがＲＮＣおよびノードＢであるかのように）。ＲＧＷは、ＩＰ中継器と接続されるが、ＩＰ中継器は、実際のノードＢおよびＲＮＣ上の移動デバイスとして扱われ得る。すると、ＩＰ中継器は、（移動デバイスに至る）そのポイントから先のパケットのルーティングを扱う。一部の態様によれば、ブレークアウト代替は、ＧＧＳＮにループして戻ることの待ち時間を小さくすることができ、コアネットワークから処理の負担が軽減され得る。
【０１４２】
一部の態様によれば、アグリゲーションが利用される。アグリゲーションは、複数のエンドユーザ移動デバイスのトラヒックに関する（ダウンリンクに関する、アップリンクに関する、あるいはダウンリンクとアップリンクの両方に関する）ＩＰ中継器と中継器ゲートウェイの間の接続を使用することから成る。ダウンリンクに関して、中継器ゲートウェイは、ユーザトラヒックをマルチプレクスして、ＩＰ中継器への１つの（または複数の）フローにし、ＩＰ中継器は、個々のユーザのデータをデマルチプレクスして、移動デバイスに送信する。アップリンクに関して、ＩＰ中継器は、個々の移動デバイスからデータを受信し、ユーザトラヒックをマルチプレクスして、ＩＰ中継器への１つの（または複数の）フローにし、ＩＰ中継器において中継器ゲートウェイがデマルチプレクスを行う。ＩＰ中継器および中継器ゲートウェイは、必ずしもアグリゲーションを行わなくてもよい、あるいはすべてのユーザを１つのフローにアグリゲートしなくてもよい。ＩＰ中継器および中継器ゲートウェイは、類似するＱｏＳ要件を有するユーザ、または類似するＱｏＳ要件を有するユーザフローなどの、ユーザのグループ、またはユーザにわたるフローのグループをアグリゲートすることができる。さらに、ＩＰ中継器および中継器ゲートウェイは、（事前構成されたＱｏＳ設定を有する）事前割当てされたアグリゲートフロー接続上で統計的にアグリゲートを行い、これにより、１つのユーザによるすべての（またはほとんど）すべてのリソースの使用を統計的に回避し、接続のいくらかのセットアップ時間（ノードＢ、ＲＮＣ、ＳＧＳＮなどにわたる殖栗ゲートフローに関する）を短くすることができる。
【０１４３】
一部の態様によれば、ＩＰ中継器は、ＩＰ中継器に動作上（内部で、または外部から）結合されたメモリを含むことが可能である。プロセッサは、メモリに結合されることが可能であり、メモリの中に保持される命令を実行するように構成され得る。メモリは、基地局としてサービスを受ける移動局に通信するための基地局プロトコルと、移動デバイスとして中間基地局と通信するための移動デバイスプロトコルとの利用に関係する命令を保持することが可能である。また、メモリは、少なくとも１つの中間ネットワーク要素を横断してトランスペアレントにデータを伝送することに関係する命令を保持することも可能である。
【０１４４】
一部の態様において、中継器ゲートウェイは、第１のサポートノードに接続される。移動デバイスへのデータまたは移動デバイスからのデータは、中継器自己バックホールインターネットプロトコル上で中継器ゲートウェイから、または中継器ゲートウェイへ、通信される。中継器自己バックホールインターネットプロトコルは、少なくとも１つの中間ネットワーク要素を横断してトランスペアレントに、移動デバイスにまたは移動デバイスから、中継器ゲートウェイからまたは中継器ゲートウェイに、データを伝送する。一部の態様によれば、中継器ゲートウェイは、第２のサポートノードに接続され、移動デバイスへのデータまたは移動デバイスからのデータは、第２のサポートノードを介して宛先から、または宛先へ通信される。
【０１４５】
一部の態様によれば、ＩＰ中継器は、（メモリに動作上、結合された）少なくとも１つのプロセッサを含む。プロセッサは、基地局としてサービスを受ける移動局に通信するための基地局プロトコルを使用し、移動デバイスとして中間基地局と通信するための移動デバイスプロトコルを使用して、通信する第１のモジュールを含む。また、プロセッサは、少なくとも１つの中間ネットワーク要素を横断してトランスペアレントにデータを伝送する第２のモジュールも含む。
【０１４６】
図示され、前述した例示的なシステムに鑑みて、開示される主題に従って実施され得る方法は、さまざまなフローチャートを参照して、よりよく理解されよう。説明を簡明にするため、方法は、一連のブロックとして図示され、説明されるものの、一部のブロックは、本明細書で図示され、説明されるものとは異なる順序で、さらに／またはその他のブロックと実質的に同時に行われることが可能であるので、主張される主題は、ブロックの数または順序によって限定されないことを理解し、認識されたい。さらに、図示されるすべてのブロックが、本明細書で説明される方法を実施するのに要求されるわけではない可能性がある。ブロックに関連する機能は、ソフトウェア、ハードウェア、ソフトウェアとハードウェアの組合せ、あるいは他の適切な手段（たとえば、デバイス、システム、プロセス、構成要素）によって実施されることが可能であることを認識されたい。さらに、本明細書全体にわたって開示される方法は、そのような方法をさまざまなデバイスにトランスポートすること、および移すことを容易にする製造品上に格納されることが可能であることをさらに認識されたい。方法は、代替として、状態図などにおける、一連の互いに関係する状態またはイベントとして表されることも可能であることが当業者には理解され、認識されよう。さらに、本明細書で開示されるさまざまな方法は、それらの方法を実施するようにコンピュータ可読記憶媒体上に格納されたコンピュータ実行可能命令を実行するプロセッサを使用することを含むことが可能である。
【０１４７】
図２９は、マルチホップ通信ネットワークにおいてデータをルーティングするための方法２９００を示している。方法２９００は、中継器によって実行され得る。本明細書で開示される中継器は、いくつかの利点を提供する。たとえば、中継器は、有線バックホール設備を全く有さずに、さらに／または低いメンテナンス費用で提供され得る。中継器は、固定型であることも、ポータブルであることも、移動型であることも可能である。中継器は、移動デバイスと比べて、より良好なアンテナを有することが可能である。さらに、中継器は、移動デバイスおよび／またはノードＢにトランスペアレントであるアーキテクチャを有することが可能である。より高位のレイヤの中継器は、位置特定（およびＥ９１１）三辺測量に適合するとともに、そのような測量を向上させる潜在性を有することが可能である。さらに、ＦＤＤ中継器は、マルチキャリアＨＳＰＡ＋に適合し、さらに／またはマルチキャリアＨＳＰＡ＋によって容易にされる。
【０１４８】
方法２９００は、２９０２で、移動デバイスに代行して中間基地局を介して無線ネットワークコントローラと通信することから始まる。通信することは、無線ネットワークコントローラと中間基地局の間で使用されるシグナリング方法と同一のシグナリング方法であり得る。
【０１４９】
方法２９００は、２９０４で、サービスを受ける少なくとも１つの移動デバイスとして動作することで継続する。動作は、中継器と中間基地局の間の自己バックホールリンクに関して、より低位のレイヤの無線インターフェースプロトコルインスタンスの第１のセットを使用することを含み得る。一部の態様によれば、自己バックホールリンクは、無線であり得る。さらに、中継器は、中継器によるサービスを受ける移動デバイスに代行して１つまたは複数の移動デバイスの役割をすることができる。また、この動作することは、サービスを受ける少なくとも１つの移動デバイスに対する無線アクセスリンクに関して、より低位のレイヤの無線インターフェースプロトコルの第２のセットを使用することを含むことも可能である。
【０１５０】
一部の態様によれば、方法２９００は、２９０６で、少なくとも１つのサービス移動デバイス、およびサービスを受ける少なくとも第２の移動デバイスに関する（または複数のフローに関する）データを受信することで継続することが可能である。データは、中間基地局から受信され得る。データは、単一のフローとして受信され得る。２９０８で、単一のフローとして受信されたデータがデマルチプレクスされる。２９１０で、そのデータが、サービスを受ける少なくとも１つの移動デバイスとサービスを受ける少なくとも第２の移動デバイスに別々に伝送される。
【０１５１】
さらに、または代替として、方法２９００は、２９１２で、サービスを受ける少なくとも１つの移動デバイス、およびサービスを受ける少なくとも第２の移動デバイスから（または複数のフローから）データが受信されると、継続することが可能である。２９１４で、そのデータが、アグリゲートされたデータを作成するようにマルチプレクスされる。アグリゲートされたデータは、２９１６で、中間基地局に伝送される。アグリゲートされたデータを伝送することは、１つの移動デバイス（または１つのユーザフロー）の役割をすることを含み得る。
【０１５２】
一部の態様によれば、無線ネットワークコントローラおよび中間基地局は、第１のバックホール通信プロトコルを利用することが可能である。無線ネットワークコントローラは、中間基地局と通信するために第１のバックホールプロトコルより上位の第２のバックホールプロトコルを含み得る。第２のバックホールは、第１のバックホールプロトコルのデータ転送に埋め込まれることが可能であり、中間基地局でではなく、中継器で終端させられることが可能である。
【０１５３】
一部の態様によれば、中継器は、ノードＢプロトコル（バックホールリンクに関するクライアント、および移動デバイスに対するアクセスリンクに関するサーバインスタンス）を含む。中継器は、ノードＢに類似するが、代替の態様によるフローマッピングおよび／または中継および調整と関係する違いを有する、ＲＮＣインターフェース機能を含むことも可能である。
【０１５４】
一部の態様によれば、方法２９００は、さまざまな態様を実行するためのコードを備えるコンピュータ可読媒体（たとえば、メモリ）を含むコンピュータプログラム製品に含まれ得る。コンピュータ可読記憶媒体は、コンピュータに、移動デバイスに代行して中間基地局を介して無線ネットワークコントローラと通信するようにさせるためのコードの第１のセットを含み得る。また、コンピュータ可読記憶媒体は、コンピュータに、より低位のレイヤの無線インターフェースプロトコルインスタンスの第１のセット、およびより低位のレイヤの無線インターフェースプロトコルインスタンスの第２のセットを使用して、サービスを受ける第１のフローとして動作させるための、コードの第２のセットを含むことも可能である。
【０１５５】
一部の態様によれば、コンピュータ可読記憶媒体は、コンピュータに、サービスを受ける少なくとも１つのフロー、およびサービスを受ける少なくとも第２のフローを受信させるためのコードの第３のセットと、コンピュータに、単一のフローとして受信されたデータをデマルチプレクスさせるためのコードの第４のセットと、を含む。また、コンピュータ可読記憶媒体は、コンピュータに、データを、サービスを受ける少なくとも１つのフローとサービスを受ける少なくとも第２のフローに別々に伝送するようにさせるためのコードの第５のセットを含むことも可能である。
【０１５６】
一部の態様によれば、コンピュータ可読記憶媒体は、コンピュータに、少なくとも２つのユーザフローからデータを受信させるためのコードの第３のセットを含む。やはり含まれるのが、コンピュータに、データをマルチプレクスして、アグリゲートされたデータを作成させるためのコードの第４のセット、およびコンピュータに、そのアグリゲートされたデータを中間基地局に伝送するようにさせるためのコードの第５のセット、である。
【０１５７】
図３０は、マルチホップ通信ネットワークにおいて通信するための方法３０００を示している。方法３０００は、基地局によって実行され得る。方法３０００は、３００２で、第１のバックホール通信プロトコルを使用して無線ネットワークコントローラと通信し、第２のバックホール通信プロトコルを使用して中継器と通信することから始まる。第１のバックホール通信プロトコルは、中継器と無線ネットワークコントローラの間のデータ（またはシグナリング）を含み得る。方法３０００は、３００４で、第１のバックホール通信プロトコルの中に含まれる情報に基づいて、第２のバックホール通信プロトコル上で中継器のためのデータを転送すること（またはシグナリングを生成すること）（またはその逆）で継続する。一部の態様によれば、中間基地局は、無線ネットワークコントローラのための中間エージェントである。
【０１５８】
一部の態様によれば、方法３０００は、３００６で、中継器によるサービスを受ける１つまたは複数の移動デバイスの優先順位に応じて、または中継器によるサービスを受ける移動デバイスの数に応じて、中継器への伝送の優先順位を決定することで継続する。たとえば、中継器は、３つの移動デバイスをサポートしており、ノードＢ（中継器をホストする）に直接に報告するさらなる３つの移動デバイスが存在する。このため、合計で６つの移動デバイスが存在する。ノードＢは、中継器が存在することを知らない可能性があり、その中継器を移動デバイスとして扱う可能性がある（この場合、ノードＢは、６つではなく、４つだけの移動デバイスが存在すると考える）。このため、中継器によるサービスを受ける移動デバイスは、（中継器によるサービスを受ける３つの移動デバイス、およびノードＢによるサービスを受ける３つの移動デバイスが存在するので）中継器が優先度の１／２を有するべき場合に、中継器が優先度の１／４しか受けないだろうから、平等にサービスを受けないだろう。このことを克服するのに、中継器は、中継器がサービスを提供している移動デバイスの数と比べて、より高い優先度で扱われることが可能である。この優先度は、一部の態様によれば、ＲＮＣによって設定され得る。その他の態様によれば、中継器は、中継器のフローに関してさまざまな優先度を有することも可能であり、このため、中継器は、それに比例して、より多くのサービスを得ることも可能である。一部の態様によれば、中間基地局は、中継器によるサービスを受ける移動デバイスの数に基づくことが可能な中継器に関する優先度に基づくスケジューリングを実行する。
【０１５９】
さらに、または代替として、３００８で、無線通信技術が、マルチホップ通信ネットワークと通信するように中間基地局によって利用され得る。一部の態様によれば、異なる通信が利用されることが可能であり、第１の無線通信技術が、マルチホップ通信ネットワークと通信するのに利用され、第２の無線通信技術が、無線ネットワークコントローラと通信するのに利用される。一部の態様によれば、無線通信技術は、移動デバイスから中継器までＨＳＰＡであり、中継器からノードＢまでＨＳＰＡであることが可能であり、さらにマイクロ波がＲＮＣに伝送するのに利用され得る。しかし、他の無線通信技術が、開示される態様で利用されることも可能であり、２つ以上の無線通信技術が単一のネットワークにおいて利用されることも可能であることを理解されたい。
【０１６０】
図３１は、無線通信ネットワークにおいてデータを伝送するための方法３１００を示している。方法３１００は、中継器によって実行され得る。方法３１００は、３１０２で、少なくとも１つの移動デバイスが無線アクセスリンクを介してサービスを受けると、始まる。少なくとも１つの移動デバイスにサービスを提供することは、第１の物理レイヤ、データリンクレイヤプロトコルスタック、および無線リソース制御サーバを使用することを含み得る。
【０１６１】
方法３１００は、３１０４で、ホスト無線ネットワークコントローラに、第２の物理レイヤ、データリンクレイヤプロトコルスタック、および無線リソース制御クライアントを使用して接続することで継続する。この接続は、中間基地局に対する無線バックホールリンクを介することが可能である。一部の態様によれば、（アクセスおよび／またはバックホール）リンクのためのデータリンクレイヤプロトコルスタックは、フロー制御を含む無線リンク制御プロトコルを含む。
【０１６２】
３１０６で、方法３１００は、中間基地局にトランスペアレントである遠隔無線ネットワーク制御プロトコルを使用してホスト無線ネットワークコントローラと通信する。３１０８で、無線バックホールリンクと無線アクセスリンクの間のデータフローがマップされる。このマッピングは、遠隔無線ネットワーク制御プロトコル上で通信される調整情報を使用して実行される。
【０１６３】
一部の態様によれば、方法３１００は、３１１０で、サービスを受ける移動デバイスへの接続を、バックホールリンクを介する別の接続とアグリゲートすることで継続する。３１１２で、接続に関するアグリゲートされていないリンクをアグリゲートされたバックホールリンクにマップするようにホスト無線ネットワークコントローラと情報が交換される。
【０１６４】
一部の態様によれば、ホスト無線ネットワークコントローラは、バックホールリンクに関する無線リソース制御を管理することができる。このことは、中間基地局スケジューリングのための優先順位付けを含み得る。ホスト無線ネットワークコントローラは、この優先順位付けを中継器に通信することが可能である。さらに、中継器は、ホスト無線ネットワークコントローラによって使用される優先順位付けと矛盾のないアクセスリンクに関するスケジューリングのための優先順位付けを含む、無線リソース制御を管理することができる。
【０１６５】
一部の態様によれば、中継器条件の測定レポート（および制御）が、ホスト無線ネットワークコントローラに通信される。ホスト無線ネットワークコントローラは、移動デバイスが、基地局（必ずしも中間基地局ではない）から中継器にハンドオフされるべきかどうか（またはその逆）を判定する。
【０１６６】
他の態様によれば、ホスト無線ネットワークコントローラによって制御される無線リソースの条件の測定レポート（および制御）が、ホスト無線ネットワークコントローラから中継器に通信される。中継器は、移動デバイスが、基地局（必ずしも中間基地局ではない）から中継器にハンドオフされるべきかどうか（またはその逆）を判定する。
【０１６７】
一部の態様によれば、方法３１００は、ホスト無線ネットワークコントローラから、より低位のレイヤ（ＭＡＣ）のフレームを、それらのフレームが（ホスト無線ネットワークコントローラによって）基地局（必ずしも中間基地局ではない）に転送されるのに先立って、受信することを含む。この場合、方法３１００は、上位レイヤをバイパスすることを含み、さらに低位レイヤ（ＭＡＣ）フレームを、基地局と実質的に同時に伝送する（またはその逆）。
【０１６８】
一部の態様によれば、中継器から離れるように移動デバイスをハンドオフすることを予期して、無線ネットワークコントローラは、中継器に通信することによって中継器における移動デバイスデータに関するバッファ（またはウインドウ）のサイズを小さくし、さらに、その結果、ハンドオフ遅延（または中断）が小さくされる。一部の態様によれば、バッファ制御は、遠隔無線ネットワークコントローラプロトコル上で通信され、バッファは、無線リンク制御フローバッファである。
【０１６９】
さらに、または代替として、方法３１００は、中継器によるサービスを受ける移動デバイスがソフトハンドオフに入ることを制限すること、および通常の基地局によるサービスを受ける移動デバイスが中継器を相手にソフトハンドオフに入ることを制限することを含む。一部の態様によれば、方法３１００は、中継器によるサービスを受ける移動デバイスが別の通常の基地局を相手にソフトハンドオフに入ることを制限するが、別の中継器を相手にソフトハンドオフに入ることは制限しない。一部の態様によれば、ホスト無線ネットワークコントローラは、ソフトハンドオフを制限することができる。
【０１７０】
一部の態様によれば、方法３１００は、さまざまな態様を実行するためのコードを備えるコンピュータ可読媒体（たとえば、メモリ）を含むコンピュータプログラム製品に含められることが可能である。コンピュータ可読記憶媒体は、コンピュータに、無線アクセスリンクを介して少なくとも１つの移動デバイスにサービスを提供させるためのコードの第１のセットを含むことが可能であり、サービスを提供することは、第１の物理レイヤ、データリンクレイヤプロトコルスタック、および無線リソース制御サーバを使用すること、を備える。やはり含まれるのが、コンピュータに、第２の物理レイヤ、データリンクレイヤプロトコルスタック、および無線リソース制御クライアントを使用してホスト無線ネットワークコントローラに接続するようにさせるためのコードの第２のセットであることが可能であり、接続することは、中間基地局に対する無線バックホールリンクを介する。さらに、コンピュータ可読記憶媒体は、コンピュータに、中間基地局にトランスペアレントである遠隔無線ネットワーク制御プロトコルを使用してホスト無線ネットワークコントローラと通信するようにさせるためのコードの第３のセットを含み得る。やはり含まれるのが、コンピュータに、無線バックホールリンクと無線アクセスリンクの間のデータフローを、遠隔無線ネットワーク制御プロトコル上で通信された調整情報を使用してマップするようにさせるためのコードの第４のセットであり得る。
【０１７１】
図３２は、無線通信ネットワークにおいて中継されるデータを伝送するための方法３２００を示す。方法３２００は、中継器によって実行され得る。方法３２００は、３２０２で、基地局プロトコルがサービスを受ける移動デバイスに基地局として通信するように利用されると、始まる。３２０４で、移動デバイスプロトコルが、（移動デバイスとして）中間基地局と通信するのに利用される。３２０６で、データが、少なくとも１つの中間ネットワーク要素を横断してトランスペアレントに伝送される。中継器は、少なくとも１つの中間ネットワーク要素を横断してトランスペアレントに移動デバイスにまたは移動デバイスから、中継器ゲートウェイからまたは中継器ゲートウェイに、データを伝送する中継器セルフバックホールインターネットプロトコルを有することが可能である。
【０１７２】
一部の態様によれば、マルチホップセルラ通信ネットワークは、移動デバイスが中継器上にある場合には中継器自己バックホールインターネットプロトコルを用い、移動デバイスが中継器上にない場合にはパススループロトコルを用いる、中継器ゲートウェイを含む。この中継器ゲートウェイは、無線ネットワークコントローラとサポートノードの間に接続され得る。この中継器に接続された移動デバイスへのデータおよびそのような移動デバイスからのデータは、中継器自己バックホールインターネットプロトコルを介して中継器ゲートウェイからまたは中継器ゲートウェイに、通信されることが可能である。この中継器に接続されていない移動デバイスへのデータまたはそのような移動デバイスからのデータは、中継器自己バックホールプロトコルなしに中継器ゲートウェイからまたは中継器ゲートウェイに、通信されることが可能である。
【０１７３】
一部の態様によれば、提供されるのは、中間基地局を介する中継器による移動デバイス通信を調整するためのプロトコルを有する中継器ゲートウェイであり、この中継器ゲートウェイは、中継器によるサービスを受ける移動端末装置に関するデータだけを処理する。この中継器ゲートウェイは、第１のサポートノードに接続されることが可能であり、中継器に接続された移動デバイスへのデータまたはそのような移動デバイスからのデータは、中継器自己バックホールインターネットプロトコルによって中継器ゲートウェイからまたは中継器ゲートウェイに、通信されることが可能である。この中継器ゲートウェイは、第２のサポートノードに接続されることが可能であり、中継器に接続された移動デバイスへのまたは移動デバイスからの、第２のサポートノードによって宛先からまたは宛先に、通信されることが可能である。一部の態様によれば、第１のサポートノードは、第２のサポートノードと同一のノードである。
【０１７４】
一部の態様によれば、中継器ゲートウェイは、第１のサポートノードに接続され、中継器に接続された移動デバイスへのデータまたはそのような移動デバイスからのデータが、無線ネットワークコントローラによって中継器ゲートウェイからまたは中継器ゲートウェイに、通信される。無線ネットワークコントローラは、移動デバイスが中継器によるサービスを受ける場合、データを中継器ゲートウェイにルーティングし、中継器ゲートウェイは、第２のサポートノードに接続され、中継器に接続された移動デバイスへのまたは移動デバイスからの、第２のサポートノードによって宛先からまたは宛先に、通信されることが可能である。一部の態様によれば、第１のサポートノードは、第２のサポートノードと同一のノードである。
【０１７５】
一部の態様によれば、方法３２００は、さまざまな態様を実行するためのコードを備えるコンピュータ可読媒体（たとえば、メモリ）を含むコンピュータプログラム製品に含められることが可能である。コンピュータ可読記憶媒体は、コンピュータに、基地局プロトコルを使用して、基地局として通信するようにさせ、移動デバイスプロトコルを使用して、移動デバイスとして通信するようにさせるためのコードの第１のセットを含み得る。また、コンピュータ可読記憶媒体は、コンピュータに、少なくとも１つの中間ネットワーク要素を横断してトランスペアレントにデータを中継させるためのコードの第２のセットを含むことも可能である。
【０１７６】
図３３を参照すると、図示されるのは、或る態様によるマルチホップ通信ネットワークにおいてデータをルーティングすることを容易にする例示的なシステム３３００である。システム３３００は、中継器内に少なくとも部分的に存在することが可能であり、プロセッサ、ソフトウェア、またはプロセッサとソフトウェアの組合せ（たとえば、ファームウェア）によって実施される機能を表す機能ブロックであることが可能な、機能ブロックを含むものとして表される。
【０１７７】
システム３３００は、別々に、または連携して動作することができる電気構成要素の論理グループ化３３０２を含む。論理グループ化３３０２は、移動デバイスに代行して中間基地局を介して無線ネットワークコントローラと通信するための電気構成要素３３０４を含む。電気構成要素３３０４は、無線ネットワークコントローラと中間基地局の間で使用されるシグナリング方法と同一のシグナリング方法を使用して通信することができる。
【０１７８】
また、論理グループ化３３０２は、サービスを受ける少なくとも１つの移動デバイスとして動作するための電気構成要素３３０６も含む。電気構成要素３３０６は、中継器と中間基地局の間の自己バックホールリンクに関して、より低位の無線インターフェースプロトコルインスタンスの第１のセットを使用することが可能であり、サービスを受ける少なくとも１つの移動デバイスに対する無線アクセスリンクに関して、より低位の無線インターフェースプロトコルインスタンスの第２のセットを使用することができる。
【０１７９】
一部の態様によれば、論理グループ化３３０２は、中間基地局から、サービスを受ける少なくとも１つの移動デバイス、およびサービスを受ける少なくとも第２の移動デバイスに関するデータを受信するための電気構成要素３３０８を含む。このデータは、単一のフローとして受信される。やはり含まれるのが、この単一のフローとして受信されたデータをデマルチプレクスするための電気構成要素３３１０、およびこのデータを、サービスを受ける少なくとも１つの移動デバイス、およびサービスを受ける少なくとも第２の移動デバイスに別々に伝送するための電気構成要素３３１２である。
【０１８０】
一部の態様によれば、論理グループ化３３０２は、サービスを受ける少なくとも１つの移動デバイス、およびサービスを受ける少なくとも第２の移動デバイスからデータを受信するための電気構成要素３３１４を含む。やはり含まれるのが、アグリゲートされたデータを作成するために、このデータをデマルチプレクスするための電気構成要素３３１６、およびこのアグリゲートされたデータを中間基地局に伝送するための電気構成要素３３１８、である。
【０１８１】
さらに、システム３３００は、電気構成要素３３０４、３３０６、３３０８、３３１０、３３１２、３３１４、３３１６、および３３１８、またはその他の構成要素に関連する機能を実行するための命令を保持するメモリ３３２０を含み得る。メモリ３３２０の外部に示されているが、電気構成要素３３０４、３３０６、３３０８、３３１０、３３１２、３３１４、３３１６、および３３１８の１つまたは複数は、メモリ３３２０内に存在することが可能であることを理解されたい。
【０１８２】
図３４は、或る態様による無線通信ネットワークにおいてデータを伝送することを容易にする例示的なシステム３４００を示している。システム３４００は、中継器内に少なくとも部分的に存在することが可能であり、プロセッサ、ソフトウェア、またはプロトコルとソフトウェアの組合せ（たとえば、ファームウェア）によって実施される機能を表す機能ブロックであることが可能な、論理グループ化３４０２における機能ブロックを含むものとして表される。これらの電気構成要素は、別々に、または連携して動作することができる。
【０１８３】
論理グループ化３４０２は、第１の物理レイヤ、データリンクレイヤプロトコルスタック、および無線リソース制御サーバの使用を通じて無線アクセスリンクを介して少なくとも１つの移動デバイスにサービスを提供するための電気構成要素３４０４を含む。やはり含まれるのが、中間基地局に対する無線バックホールリンクを介して第２の物理レイヤ、データリンクレイヤプロトコルスタック、および無線リソース制御クライアントを使用してホスト無線ネットワークコントローラに接続するための電気構成要素３０４６である。
【０１８４】
さらに、論理グループ化３４０４は、中間基地局にトランスペアレントである遠隔無線ネットワーク制御プロトコルを使用してホスト無線ネットワークコントローラと通信するための電子構成要素３４０８を含む。やはり含まれるのが、無線バックホールリンクと無線アクセスリンクの間のデータフローを、遠隔無線ネットワーク制御プロトコル上で通信された調整情報を使用してマップするための電気構成要素３４１０である。
【０１８５】
一部の態様によれば、論理グループ化３４０２は、サービスを受ける移動デバイスへの接続を、バックホールリンクを介する別の接続とアグリゲートするための電気構成要素３４１２と、接続に関するアグリゲートされていないアクセスリンクをアグリゲートされたバックホールリンクにマップするようにホスト無線ネットワークコントローラと情報を交換するための電気構成要素３４１４と、を含む。さらに、または代替として、論理グループ化３４０２は、サービスを受ける少なくとも１つの移動デバイスが、ソフトハンドオフに入ることを制限し、基地局によるサービスを受ける移動デバイスが中継器を相手にソフトハンドオフに入ることを制限するための電気構成要素３４１６を含む。
【０１８６】
さらに、システム３４００は、電気構成要素３４０４、３４０６、３４０８、３４１０、３４１２、３４１４、３４１６、および３４１８、またはその他の構成要素に関連する機能を実行するための命令を保持するメモリ３４１８を含み得る。メモリ３４１８の外部に示されているが、電気構成要素３４０４、３４０６、３４０８、３４１０、３４１２、３４１４、および３４１６、および３４１８の１つまたは複数は、メモリ３４１８内に存在することが可能であることを理解されたい。
【０１８７】
図３５は、或る態様による無線通信ネットワークにおいて中継されるデータを伝送することを容易にする例示的なシステム３５００を示している。システム３５００は、中継器内に少なくとも部分的に存在することが可能であり、プロセッサ、ソフトウェア、またはプロトコルとソフトウェアの組合せ（たとえば、ファームウェア）によって実施される機能を表す機能ブロックであることが可能な、論理グループ化３５０２における機能ブロックを含むものとして表される。これらの電気構成要素は、別々に、または連携して動作することができる。
【０１８８】
論理グループ化３５０２は、さまざまなプロトコルを使用して通信するための電気構成要素３５０４を含む。基地局プロトコルは、基地局としてサービスを受ける移動デバイスに通信するのに使用され、移動デバイスプロトコルは、移動デバイスとして中間基地局と通信するのに使用される。また、論理グループ化３５０２は、少なくとも１つの中間ネットワーク要素を横断してトランスペアレントにデータを伝送するための電気構成要素３５０６も含む。一部の態様において、システム３５００は、少なくとも１つの中間ネットワーク要素を横断してトランスペアレントに、移動デバイスへのデータまたは移動デバイスからのデータを、中継器ゲートウェイからまたは中継器ゲートウェイに、伝送する中継器自己バックホールインターネットプロトコルを備える。
【０１８９】
システム３５００は、電気構成要素３４０４および３４０６に関連する機能を実行するための命令を保持するメモリ３５０８を含み得る。メモリ３５０８の外部に示されているが、電気構成要素３４０４および３４０６の１つまたは複数は、メモリ３５０８内に存在することが可能であることを理解されたい。
【０１９０】
図３６は、或る態様による無線通信ネットワークにおいて中継されるデータを伝送することを容易にする例示的なシステム３６００を示している。システム３６００は、基地局内に少なくとも部分的に存在することが可能であり、プロセッサ、ソフトウェア、またはプロトコルとソフトウェアの組合せ（たとえば、ファームウェア）によって実施される機能を表す機能ブロックであることが可能な、論理グループ化３６０２における機能ブロックを含むものとして表される。これらの電気構成要素は、別々に、または連携して動作することができる。
【０１９１】
論理グループ化３６０２は、第１のバックホール通信プロトコルを使用して無線ネットワークコントローラと通信し、第２のバックホール通信プロトコルを使用して中継器と通信するための電気構成要素３６０４を含む。第１のバックホール通信プロトコルは、中継器と無線ネットワークコントローラの間のデータを含む。やはり含まれるのが、中継器に関するデータを、第１のバックホール通信プロトコルの中に含まれる情報に基づいて第２のバックホール通信プロトコル上で転送するための電気構成要素３６０６である。
【０１９２】
一部の態様によれば、論理グループ化３６０２は、中継器によるサービスを受ける１つまたは複数の移動デバイスの優先順位に応じて、または中継器によるサービスを受ける移動デバイスの数に応じて、中継器への伝送の優先順位を決定するための電気構成要素３６０８を含む。さらに、または代替として、論理グループ化３６０２は、第１の無線通信技術を利用してマルチホップ通信ネットワークと通信し、第２の無線通信技術を利用して無線ネットワークコントローラと通信するための電気構成要素３６１０を含む。
【０１９３】
システム３６００は、電気構成要素３６０４、３６０６、３６０８、および３６１０に関連する機能を実行するための命令を保持するメモリ３６１２を含み得る。メモリ３６１２の外部に示されているが、電気構成要素３６０４、３６０６、３６０８、および３６１０の１つまたは複数は、メモリ３６１２内に存在することが可能であることを理解されたい。
【０１９４】
図３７は、本明細書で提示されるさまざまな態様によるデータをルーティングすることを容易にするシステム３７００の図である。システム３７００は、基地局またはアクセスポイント３７０２を備える。しかし、一部の態様によれば、システム３７００は、本明細書で説明される中継器に含められることが可能である。図示されるとおり、基地局３７０２は、受信アンテナ３７０６によって１つまたは複数の通信デバイス３７０４（たとえば、ユーザデバイス）から信号を受信し、送信アンテナ３７０８を介して１つまたは複数の通信デバイス３７０４に送信する。
【０１９５】
基地局３７０２は、受信アンテナ３７０６から情報を受信する受信機３７１０を備え、受信された情報を復調する復調器３７１２に動作上、関連付けられる。復調されたシンボルは、インター無線アクセス技術相互動作と関係する情報を格納するメモリ３７１６に結合されたプロセッサ３７１４によって解析される。変調器３７１８が、送信アンテナ３７０８を介して送信機３７２０によって通信デバイス３７０４に送信されるように信号をマルチプレクスすることができる。
【０１９６】
一部の態様によれば、システム３７００は、さまざまな態様を実行するためのコードを備えるコンピュータ可読媒体（たとえば、メモリ３７１６）を含むコンピュータプログラム製品であり得る。メモリ３７１０は、調整通信と関係する情報、および他の任意の適切な情報を格納することができる。メモリ３７１０は、データを中継することに関連するプロトコルをさらに格納することができる。
【０１９７】
メモリ３７１０は、第１のバックホール通信プロトコルを使用して無線ネットワークコントローラと、および第２のバックホール通信プロトコルを使用して中継器と、通信することに関係する命令を保持することが可能であり、第１のバックホール通信プロトコルは、中継器と無線ネットワークコントローラの間のデータを含む。また、メモリ３７１０は、第１のバックホール通信プロトコルの中に含まれる情報に基づいて、第２のバックホール通信プロトコル上で中継器に関するデータを転送することに関係する命令を保持することも可能である。
【０１９８】
一部の態様によれば、メモリ３７１０は、中継器によるサービスを受ける１つまたは複数の移動デバイスの優先順位に応じて、または中継器によるサービスを受ける移動デバイスの数に応じて、中継器への伝送の優先順位を決定することに関係する命令をさらに保持する。一部の態様によれば、メモリ３１７０は、マルチホップ通信ネットワークと通信するための第１の無線通信技術と、無線ネットワークコントローラと通信するための第２の無線通信技術と、の利用に関係する命令をさらに保持する。
【０１９９】
本明細書で説明されるデータストア（たとえば、メモリ）構成要素は、揮発性メモリまたは不揮発性メモリであることが可能であり、あるいは揮発性メモリと不揮発性メモリの両方を含むことが可能であることを理解されたい。例として、限定としてではなく、不揮発性メモリは、読取り専用メモリ（ＲＯＭ）、プログラマブルＲＯＭ（ＰＲＯＭ）、電気的にプログラミング可能なＲＯＭ（ＥＰＲＯＭ）、電気的に消去可能なＲＯＭ（ＥＥＰＲＯＭ）、またはフラッシュメモリを含むことが可能である。揮発性メモリは、外部キャッシュメモリの役割をするランダムアクセスメモリ（ＲＡＭ）を含むことが可能である。例として、限定としてではなく、ＲＡＭは、シンクロナスＲＡＭ（ＳＲＡＭ）、ダイナミックＲＡＭ（ＤＲＡＭ）、シンクロナスＤＲＡＭ（ＳＤＲＡＭ）、ダブルデータレートＳＤＲＡＭ（ＤＤＲ  ＳＤＲＡＭ）、拡張型ＳＤＲＡＭ（ＥＳＤＲＡＭ）、シンクリンクＤＲＡＭ（ＳＬＤＲＡＭ）、およびダイレクトラムバスＲＡＭ（ＤＲＲＡＭ）などの多くの形態で利用可能である。さまざまな態様のメモリは、限定されることなく、以上、およびその他の任意の適切なタイプのメモリを備えることを意図している。ユーザデバイスは、シンボル変調器３７１２をさらに備えることが可能であり、送信機３７０８は、変調された信号を送信する。
【０２００】
図３８は、例示的な無線通信システム３８００を示している。無線通信システム３８００は、簡明のため１つの基地局３８０２、および１つの移動デバイス３８０４を示す。しかし、システム３８００は、複数の基地局、および／または複数の移動デバイスを含むことが可能であり、さらなる基地局、および／またはさらなる移動デバイスは、以下に説明される例示的な基地局３８０２、および例示的な移動デバイス３８０４と実質的に同様であることも、異なることも可能であることを認識されたい。さらに、基地局３８０２および／または移動デバイス３８０４は、本明細書で説明されるシステムおよび／または方法を使用して、基地局３８０２と移動デバイス３８０４の間の無線通信を容易にすることができることを認識されたい。
【０２０１】
基地局３８０２で、いくつかのデータストリームに関するトラヒックデータは、データソース３８０６から送信（ＴＸ）データプロセッサ３８０８に供給される。或る実施例によれば、各データストリームは、それぞれのアンテナを介して送信され得る。ＴＸデータプロセッサ３８０８は、符号化されたデータをもたらすために、そのデータストリームに関して選択された特定の符号化スキームに基づいてトラヒックデータストリームをフォーマットし、符号化し、インターリーブする。
【０２０２】
各データストリームに関する符号化されたデータは、直交周波数分割多重化（ＯＦＤＭ）技術を使用して、パイロットデータとマルチプレクスされることが可能である。さらに、または代替として、パイロットシンボルは、周波数分割多重化（ＦＤＭ）される、時分割多重化（ＴＤＭ）される、または符号分割多重化（ＣＤＭ）されることが可能である。パイロットデータは、通常、知られている仕方で処理される、知られているデータパターンであり、移動デバイス３８０４においてチャネル応答を推定するのに使用され得る。各データストリームに関するマルチプレクスされたパイロットデータと符号化されたデータは、変調シンボルをもたらすために、そのデータストリームに関して選択された特定の変調スキーム（たとえば、２位相偏移変調（ＢＰＳＫ）、４位相偏移変調（ＱＰＳＫ）、多値位相偏移変調（Ｍ−ＰＳＫ）、多値直交振幅変調（Ｍ−ＱＡＭ）など）に基づいて変調される（たとえば、シンボルマップされる）ことが可能である。各データストリームに関するデータ転送速度、符号化、および変調は、プロセッサ３８１０によって実行される、または与えられる命令によって決定されることが可能である。
【０２０３】
データストリームに関する変調シンボルは、これらの変調シンボル（たとえば、ＯＦＤＭに関する）をさらに処理することができるＴＸ  ＭＩＭＯプロセッサ３８１２に供給され得る。次に、ＴＸ  ＭＩＭＯプロセッサ３８１２は、ＮＴ個の変調シンボルストリームをＮＴ個の送信機（ＴＭＴＲ）３８１４ａないし３８１４ｔに供給する。さまざまな実施形態において、ＴＸ  ＭＩＭＯプロセッサ３８１２は、データストリームのシンボル、およびシンボルが送信されるアンテナにビーム形成重みを適用する。
【０２０４】
各送信機３８１４は、１つまたは複数のアナログ信号をもたらすようにそれぞれのシンボルストリームを受け取って、処理し、ＭＩＭＯチャネルを介して送信するのに適した変調された信号をもたらすために、それらのアナログ信号をさらに調整する（たとえば、増幅し、フィルタリングし、アップコンバートする）。さらに、送信機３８１４ａないし３８１４ｔからのＮＴ個の変調された信号は、ＮＴ個のアンテナ３８１６ａないし３８１６ｔからそれぞれ送信される。
【０２０５】
移動デバイス３８０４で、これらの送信された、変調された信号は、ＮＲ個のアンテナ３８１８ａないし３８１８ｒによって受信され、各アンテナ３８１８からの受信された信号は、それぞれの受信機（ＲＣＶＲ）３８２０ａないし３８２０ｒに供給される。各受信機３８２０は、それぞれの信号を調整し（たとえば、フィルタリングし、増幅し、ダウンコンバートして）、サンプルをもたらすために、調整された信号をディジタル化し、対応する「受信された」シンボルストリームをもたらすために、それらのサンプルをさらに処理する。
【０２０６】
ＲＸデータプロセッサ３８２２は、ＮＴ個の「検出された」シンボルストリームをもたらすために、特定の受信機処理技術に基づいてＮＲ個の受信機３８２０からＮＲ個の受信されたシンボルストリームを受け取って、処理することができる。ＲＸデータプロセッサ３８２２は、そのデータストリームに関するトラヒックデータを回復するために、検出された各シンボルストリームを復調し、デインターリーブし、復号することができる。ＲＸデータプロセッサ３８２２による処理は、基地局３８０２においてＴＸ  ＭＩＭＯプロセッサ３８１２およびＴＸデータプロセッサ３８０８によって実行される処理と相補的である。
【０２０７】
プロセッサ３８２４は、前述したとおり、いずれのプリコーディングマトリックスを利用すべきかを決定することができる。さらに、プロセッサ３８２４は、マトリックスインデックス部分とランク値部分とを備える逆方向リンクメッセージを作成することができる。
【０２０８】
逆方向リンクメッセージは、通信リンクおよび／または受信されたデータストリームに関するさまざまなタイプの情報を備えることが可能である。逆方向リンクメッセージは、データソース３８２８からのいくつかのデータストリームに関するトラヒックデータも受け取るＴＸデータプロセッサ３８２６によって処理され、変調器３８３０によって変調され、送信機３８３２ａないし３８３２ｒによって調整され、基地局３８０２に送り返されることが可能である。
【０２０９】
基地局３８０２において、移動デバイス３８０４からの変調された信号は、アンテナ３８１６によって受信され、受信機３８３４ａないし３８３４ｔによって調整され、復調器３８３６によって復調され、ＲＸデータプロセッサ３８３８によって処理されて、移動デバイス３８０４によって送信された逆方向リンクメッセージが抽出されることが可能である。さらに、プロセッサ３８１０は、ビーム形成重みを算出するためにいずれのプリコーディングマトリックスを使用すべきかを決定するために、抽出されたメッセージを処理することができる。
【０２１０】
プロセッサ３８１０および３８２４は、それぞれ、基地局３８０２および移動デバイス３８０４における動作を誘導すること（たとえば、制御すること、調整すること、管理することなど）ができる。それぞれのプロセッサ３８１０および３８２４は、プログラムコードおよびデータを格納するメモリ３８４０および３８４２に関連付けられることが可能である。また、プロセッサ３８１０および３８２４は、それぞれ、アップリンクおよびダウンリンクに関する周波数推定およびインパルス応答推定を導き出すための計算を実行することもできる。ソフトウェアコードがメモリユニットの中に格納されて、プロセッサ３８１０および３８２４によって実行されることが可能である。
【０２１１】
本明細書で説明される態様は、ハードウェア、ソフトウェア、ファームウェア、または以上の任意の組合せによって実施されることが可能であることを理解されたい。ソフトウェアで実施される場合、機能は、コンピュータ可読媒体上の１つまたは複数の命令またはコードとして格納される、または伝送されることが可能である。コンピュータ可読媒体には、１つの場所から別の場所にコンピュータプログラムを移すことを容易にする任意の媒体を含むコンピュータ記憶媒体と通信媒体がともに含まれる。例として、限定としてではなく、そのようなコンピュータ可読媒体は、ＲＡＭ、ＲＯＭ、ＥＥＰＲＯＭ、ＣＤ−ＲＯＭもしくは他の光ディスクストレージ、磁気ディスクストレージもしくは他の磁気ストレージデバイス、あるいは命令もしくはデータ構造の形態で所望されるプログラムコード手段を伝送する、または格納するのに使用されることが可能であり、さらに汎用コンピュータもしくは専用コンピュータ、または汎用プロセッサもしくは専用プロセッサによってアクセスされることが可能である他の任意の媒体を備えることが可能である。また、任意の接続が、コンピュータ可読媒体と適切に呼ばれる。たとえば、ソフトウェアが、同軸ケーブル、光ファイバケーブル、より対線、ディジタル加入者線（ＤＳＬ）、あるいは赤外線、無線、およびマイクロ波などの無線技術を使用してウェブサイト、サーバ、または他の遠隔ソースから伝送される場合、その同軸ケーブル、光ファイバケーブル、より対線、ＤＳＬ、あるいは赤外線、無線、およびマイクロ波などの無線技術が、媒体の定義に含められる。本明細書で使用されるディスク（disk）およびディスク（disc）には、コンパクトディスク（ＣＤ）、レーザーディスク（登録商標）、光ディスク、ディジタルバーサタイルディスク（ＤＶＤ）、フロッピー（登録商標）ディスク、およびブルーレイディスクが含まれ、ただし、ディスク（disk）は、通常、データを磁気的に再現するのに対して、ディスク（disc）は、レーザーを使用してデータを光学的に再現する。また、以上の媒体の組合せも、コンピュータ可読媒体の範囲内に含められなければならない。
【０２１２】
本明細書で開示される態様に関連して説明されるさまざまな例示的なロジック、論理ブロック、モジュール、および回路は、汎用プロセッサ、ディジタル信号プロセッサ（ＤＳＰ）、特定用途向け集積回路（ＡＳＩＣ）、フィールドプログラマブルゲートアレイ（ＦＰＧＡ）、または他のプログラマブル論理デバイス、ディスクリートのゲートもしくはトランジスタロジック、ディスクリートのハードウェア構成要素、あるいは本明細書で説明される機能を実行するようにさらに構成された、以上の任意の組合せを使用して実施される、または実行されることが可能である。汎用プロセッサは、マイクロプロセッサであることが可能であるが、代替として、プロセッサは、任意の従来のプロセッサ、コントローラ、マイクロコントローラ、または状態マシンであってもよい。また、プロセッサは、コンピューティングデバイスの組合せ、たとえば、ＤＳＰとマイクロプロセッサの組合せ、複数のマイクロプロセッサ、ＤＳＰコアと連携する１つまたは複数のマイクロプロセッサ、あるいは他のそのような構成として実施されることも可能である。さらに、少なくとも１つのプロセッサが、本明細書で説明されるステップおよび／またはアクションの１つまたは複数を実行するように動作可能な１つまたは複数のモジュールを備えることが可能である。
【０２１３】
ソフトウェア実施形態の場合、本明細書で説明される技術は、本明細書で説明される機能を実行するモジュール（たとえば、手順、関数など）を使用して実施されることが可能である。ソフトウェアコードは、メモリユニットの中に格納され、プロセッサによって実行されることが可能である。メモリユニットは、プロセッサ内、またはプロセッサの外部に実装されることが可能であり、プロセッサの外部に実装される場合、メモリユニットは、当技術分野で知られているさまざまな手段を介してプロセッサに通信するように結合され得る。さらに、少なくとも１つのプロセッサが、本明細書で説明される機能を実行するように動作可能な１つまたは複数のモジュールを含むことが可能である。
【０２１４】
本明細書で説明される技術は、ＣＤＭＡシステム、ＴＤＭＡシステム、ＦＤＭＡシステム、ＯＦＤＭＡシステム、ＳＣ−ＦＤＭＡシステム、およびその他のシステムなどのさまざまな無線通信システムのために使用されることが可能である。「システム」という用語と「ネットワーク」という用語は、しばしば、互換的に使用される。ＣＤＭＡシステムは、ユニバーサル地上無線アクセス（ＵＴＲＡ）、ＣＤＭＡ２０００などの無線技術を実施することが可能である。ＵＴＲＡは、広帯域ＣＤＭＡ（Ｗ−ＣＤＭＡ）、およびＣＤＭＡのその他の変種を含む。さらに、ＣＤＭＡ２０００は、ＩＳ−２０００標準、ＩＳ−９５標準、およびＩＳ−８５６標準を範囲に含む。ＴＤＭＡシステムは、グローバルシステムフォーモバイルコミュニケーションズ（ＧＳＭ（登録商標））などの無線技術を実施することが可能である。ＯＦＤＭＡシステムは、発展型ＵＴＲＡ（Ｅ−ＵＴＲＡ）、ウルトラモバイルブロードバンド（ＵＭＢ）、ＩＥＥＥ８０２．１１（Ｗｉ−Ｆｉ）、ＩＥＥＥ８０２．１６（ＷｉＭＡＸ）、ＩＥＥＥ８０２．２０、Ｆｌａｓｈ−ＯＦＤＭ（登録商標）などの無線技術を実施することが可能である。ＵＴＲＡおよびＥ−ＵＴＲＡは、ユニバーサルモバイルテレコミュニケーションズシステム（ＵＭＴＳ）の一部である。３ＧＰＰ長期エボリューション（ＬＴＥ）が、ダウンリンクでＯＦＭＤＡを用い、アップリンクでＳＣ−ＦＤＭＡを用いる、Ｅ−ＵＴＲＡを使用するＵＭＴＳのリリースである。ＵＴＲＡ、Ｅ−ＵＴＲＡ、ＵＭＴＳ、ＬＴＥ、およびＧＳＭは、「第３世代パートナーシッププロジェクト」（３ＧＰＰ）という名称の組織からの文書において説明される。さらに、ＣＤＭＡ２０００およびＵＭＢは、「第３世代パートナーシッププロジェクト２」（３ＧＰＰ２）という名称の組織からの文書において説明される。さらに、そのような無線通信システムは、ペアになっていない無許可のスペクトル、８０２．ｘｘ無線ＬＡＮ、ＢＬＵＥＴＯＯＴＨ（登録商標）、および他の任意の短距離または長距離の無線通信技術をしばしば使用するピアツーピア（たとえば、移動体間）アドホックネットワークシステムをさらに含むことが可能である。
【０２１５】
単一搬送波変調および周波数領域等化を利用するシングルキャリア周波数分割多元接続（ＳＣ−ＦＤＭＡ）は、開示される態様で利用され得る技術である。ＳＣ−ＦＤＭＡは、ＯＦＤＭＡシステムのパフォーマンスおよび複雑度と同様のパフォーマンス、および基本的に同様の全体的な複雑度を有する。ＳＣ−ＦＤＭＡ信号は、ＳＣ−ＦＤＭＡ信号の本来備わった単一搬送波構造のため、より低いピーク対平均電力比（ＰＡＰＲ）を有する。ＳＣ−ＦＤＭＡは、より低いＰＡＰＲが送信電力効率の点で移動デバイスに利益をもたらすことができるアップリンク通信において利用され得る。
【０２１６】
さらに、本明細書で説明されるさまざまな態様は、標準のプログラミング技術および／またはエンジニアリング技術を使用して、方法、装置、または製造品として実施されることが可能である。本明細書で説明される「製造品」という用語は、任意のコンピュータ可読のデバイス、搬送波、または媒体からアクセス可能なコンピュータプログラムを包含することを意図している。たとえば、コンピュータ可読媒体には、磁気ストレージデバイス（たとえば、ハードディスク、フロッピーディスク、磁気帯など）、光ディスク（たとえば、コンパクトディスク（ＣＤ）、ディジタルバーサタイルディスク（ＤＶＤ）など）、スマートカード、およびフラッシュメモリデバイス（たとえば、ＥＰＲＯＭ、カード、スティック、キードライブなど）が含まれることが可能であるが、以上には限定されない。さらに、本明細書で説明されるさまざまな記憶媒体は、情報を格納するための１つまたは複数のデバイスおよび／または他のマシン可読媒体を表すことが可能である。「マシン可読媒体」という用語には、命令（複数可）および／またはデータを格納すること、含むこと、および／または伝送することができる無線チャネルおよび他のさまざまな媒体が含まれ得るが、以上には限定されない。さらに、コンピュータプログラム製品は、コンピュータに、本明細書で説明される機能を実行させるように作用可能な１つまたは複数の命令またはコードを有するコンピュータ可読媒体を含むことが可能である。
【０２１７】
さらに、本明細書で開示される態様に関連して説明される方法またはアルゴリズムのステップおよび／またはアクションは、ハードウェアにおいて、プロセッサによって実行されるソフトウェアモジュールにおいて、あるいはハードウェアとそのようなソフトウェアモジュールの組合せにおいて実施されることが可能である。ソフトウェアモジュールは、ＲＡＭメモリ、フラッシュメモリ、ＲＯＭメモリ、ＥＰＲＯＭメモリ、ＥＥＰＲＯＭメモリ、レジスタ、ハードディスク、リムーバブルディスク、ＣＤ−ＲＯＭ、あるいは当技術分野で知られている他の任意の形態の記憶媒体の中に存在することが可能である。例示的な記憶媒体がプロセッサに結合されることが可能であり、したがって、そのプロセッサが記憶媒体から情報を読み取ること、および記憶媒体に情報を書き込むことができる。代替として、記憶媒体は、プロセッサと一体化していてもよい。さらに、一部の態様において、プロセッサおよび記憶媒体は、ＡＳＩＣ内に存在することが可能である。さらに、ＡＳＩＣは、ユーザ端末装置内に存在することが可能である。代替として、プロセッサおよび記憶媒体は、ユーザ端末装置におけるディスクリートの構成要素として存在してもよい。さらに、一部の態様において、方法およびアルゴリズムのステップおよび／またはアクションは、コンピュータプログラム製品に組み込まれることが可能な、マシン可読媒体上、および／またはコンピュータ可読媒体上のコードおよび／または命令の１つ、または任意の組合せもしくはセットとして存在することが可能である。
【０２１８】
以上の開示は、例示的な態様および／または実施形態を説明するが、説明される態様および／または添付の特許請求の範囲によって規定される実施形態の範囲を逸脱することなく、さまざまな変更および変形が行われることも可能であることに留意されたい。したがって、説明される態様は、添付の特許請求の範囲に含まれるすべてのそのような代替、変形、および変種を包含することを意図している。さらに、説明される態様および／または実施形態の要素は、単数形で説明される、または主張される可能性があるが、単数形への限定が明記されない限り、複数形も企図される。さらに、特に明記しない限り、任意の態様および／または実施形態のすべて、または一部分が、他の任意の態様および／または実施形態のすべて、または一部分と一緒に利用されることが可能である。
【０２１９】
「含む」という用語が詳細な説明または特許請求の範囲において使用される限りで、そのような用語は、特許請求の範囲におけるつなぎの語として「備える」が使用される場合の「備える」という用語と同様に、包含的であることを意図している。さらに、詳細な説明または特許請求の範囲において使用される「または」という用語は、排他的な「または」ではなく、包含的な「または」を意味することを意図している。つまり、特に明記しない限り、または文脈からそうでないことが明らかでない限り、「Ｘは、ＡまたはＢを使用する」という句は、自然な包含的な置換のいずれをも意味することを意図している。つまり、「Ｘは、ＡまたはＢを使用する」という句は、以下の事例、すなわち、Ｘは、Ａを使用する、Ｘは、Ｂを使用する、またはＸは、ＡとＢの両方を使用する、のいずれによっても満たされる。さらに、本出願、および添付の特許請求の範囲において使用される「或る」という冠詞は、特に明記しない限り、または単数形を対象とすべきことが文脈から明らかでない限り、「１つまたは複数」を意味するものと一般的に解釈されなければならない。
以下に、本願出願の当初の特許請求の範囲に記載された発明を付記する。
（１）  マルチホップ通信ネットワークにおいてデータをルーティングするために中継器によって実行される方法であって、
移動デバイスに代行して中間基地局を介して無線ネットワークコントローラと通信することであって、前記通信することは、前記無線ネットワークコントローラと前記中間基地局の間で使用されるシグナリング方法と同一のシグナリング方法である、通信することと、および、
サービスを受ける少なくとも１つの移動デバイスとして動作することであって、前記動作することは、前記中継器と前記中間基地局の間の自己バックホールリンクに関して、より低位のレイヤの無線インターフェースプロトコルインスタンスの第１のセットと、前記サービスを受ける少なくとも１つの移動デバイスに対する無線アクセスリンクに関して、より低位のレイヤの無線インターフェースプロトコルインスタンスの第２のセットと、を使用することを備える、サービスを受ける少なくとも１つの移動デバイスとして動作することと、
を実施するように、コンピュータ可読記憶媒体上に格納されたコンピュータ実行可能命令を実行するプロセッサを使用すること、
を備える方法。
（２）  前記中間基地局から、前記サービスを受ける少なくとも１つの移動デバイスおよび前記サービスを受ける少なくとも第２の移動デバイスに関する、単一のフローとして受信されるデータを受信することと、
前記単一のフローとして受信された前記データをデマルチプレクスすることと、および、
前記データを、前記サービスを受ける少なくとも１つの移動デバイスと前記サービスを受ける少なくとも第２の移動デバイスに別々に伝送することと、
をさらに備える（１）に記載の方法。
（３）  前記サービスを受ける少なくとも１つの移動デバイスおよび前記サービスを受ける少なくとも第２の移動デバイスからデータを受信することと、
アグリゲートされたデータを作成するために、前記データをマルチプレクスすることと、および、
前記アグリゲートされたデータを前記中間基地局に伝送することと、
をさらに備える（１）に記載の方法。
（４）  移動デバイスに代行して中間基地局を介して無線ネットワークコントローラと通信することに関係する命令と、および、より低位のレイヤの無線インターフェースプロトコルインスタンスの第１のセットと、より低位のレイヤの無線インターフェースプロトコルインスタンスの第２のセットと、を使用して、サービスを受ける少なくとも１つのフローとして動作することに関係する命令と、を保持するメモリと、および、
前記メモリに結合され、前記メモリの中に保持される前記命令を実行するように構成されるプロセッサと、
を備える無線通信装置。
（５）  前記命令は、前記無線ネットワークコントローラと前記中間基地局の間で使用されるシグナリング方法と同一のシグナリング方法を使用して通信することに関係する（４）に記載の無線通信装置。
（６）  前記メモリは、前記サービスを受ける少なくとも１つのフローおよび前記サービスを受ける少なくとも第２のフローに関するデータを単一のフローとして受信することに関係する命令と、前記単一のフローとして受信された前記データをデマルチプレクスすることに関係する命令と、および、前記データを、前記サービスを受ける少なくとも１つのフローと前記サービスを受ける少なくとも第２のフローに別々に伝送することに関係する命令と、をさらに保持する（４）に記載の無線通信装置。
（７）  前記メモリは、少なくとも２つのユーザフローからデータを受信することに関係する命令と、アグリゲートされたデータを作成するために、前記データをマルチプレクスすることに関係する命令と、および、前記アグリゲートされたデータを前記中間基地局に伝送することに関係する命令と、をさらに保持する（４）に記載の無線通信装置。
（８）  移動デバイスに代行して中間基地局を介して無線ネットワークコントローラと通信するための手段であって、前記通信することは、前記無線ネットワークコントローラと前記中間基地局の間で使用されるシグナリング方法と同一のシグナリング方法である、通信するための手段と、および、
サービスを受ける少なくとも１つの移動デバイスとして動作するための手段であって、前記動作することは、中継器と前記中間基地局の間の自己バックホールリンクに関して、より低位のレイヤの無線インターフェースプロトコルインスタンスの第１のセットと、サービスを受ける少なくとも１つの移動デバイスに対する無線アクセスリンクに関して、より低位のレイヤの無線インターフェースプロトコルインスタンスの第２のセットと、を使用することを備える、サービスを受ける少なくとも１つの移動デバイスとして動作するための手段と、
を備える無線通信装置。
（９）  前記中間基地局から、前記サービスを受ける少なくとも１つの移動デバイスおよび前記サービスを受ける少なくとも第２の移動デバイスに関する、単一のフローとして受信されるデータを受信するための手段と、
前記単一のフローとして受信された前記データをデマルチプレクスするための手段と、および、
前記サービスを受ける少なくとも１つの移動デバイスと前記サービスを受ける少なくとも第２の移動デバイスに別々に前記データを伝送するための手段と、
をさらに備える（８）に記載の無線通信装置。
（１０）  前記サービスを受ける少なくとも１つの移動デバイスおよび前記サービスを受ける少なくとも第２の移動デバイスからデータを受信するための手段と、
アグリゲートされたデータを作成するために、前記データをマルチプレクスするための手段と、および、
前記アグリゲートされたデータを前記中間基地局に伝送するための手段と、
をさらに備える（８）に記載の無線通信装置。
（１１）  コンピュータに、移動デバイスに代行して中間基地局を介して無線ネットワークコントローラと通信するようにさせるためのコードの第１のセットと、および、
前記コンピュータに、より低位のレイヤの無線インターフェースプロトコルインスタンスの第１のセットと、より低位のレイヤの無線インターフェースプロトコルインスタンスの第２のセットと、を使用して、サービスを受ける少なくとも１つのフローとして動作させるためのコードの第２のセットと、
を備えるコンピュータ可読記憶媒体、
を備えるコンピュータプログラム製品。
（１２）  前記コンピュータに、前記サービスを受ける少なくとも１つのフローおよび前記サービスを受ける少なくとも第２のフローに関するデータを単一のフローとして受信させるためのコードの第３のセットと、
前記コンピュータに、前記単一のフローとして受信された前記データをデマルチプレクスさせるためのコードの第４のセットと、および、
前記コンピュータに、前記データを、前記サービスを受ける少なくとも１つのフローと前記サービスを受ける少なくとも第２のフローに別々に伝送するようにさせるためのコードの第５のセットと、
をさらに備えるコンピュータ可読記憶媒体を備える（１１）に記載のコンピュータプログラム製品。
（１３）  前記コンピュータに、少なくとも２つのユーザフローからデータを受信させるためのコードの第３のセットと、
前記コンピュータに、アグリゲートされたデータを作成するために、前記データをマルチプレクスさせるためのコードの第４のセットと、および、
前記コンピュータに、前記アグリゲートされたデータを前記中間基地局に伝送するようにさせるためのコードの第５のセットと、
をさらに備えるコンピュータ可読記憶媒体を備える（１１）に記載のコンピュータプログラム製品。
（１４）  移動デバイスに代行して通信する第１のモジュールと、
サービスを受ける少なくとも１つの移動デバイスとして動作する第２のモジュールと、および、
前記サービスを受ける少なくとも１つの移動デバイスへの、または前記サービスを受ける少なくとも１つの移動デバイスからの、受信されたデータをマルチプレクスおよびデマルチプレクスする第３のモジュールと、
を備える少なくとも１つのプロセッサ。
（１５）  無線通信ネットワークにおいてデータを伝送するために中継器によって実行される方法であって、
無線アクセスリンクを介して少なくとも１つの移動デバイスにサービスを提供することであって、前記サービスを提供することは、第１の物理レイヤ、データリンクレイヤプロトコルスタック、および無線リソース制御サーバを使用することを備える、サービスを提供することと、および、
第２の物理レイヤ、データリンクレイヤプロトコルスタック、および無線リソース制御クライアントを使用してホスト無線ネットワークコントローラに接続することであって、前記接続することは、中間基地局に対する無線バックホールリンクを介する、ホスト無線ネットワークコントローラに接続することと、
前記中間基地局にトランスペアレントである遠隔無線ネットワーク制御プロトコルを使用して前記ホスト無線ネットワークコントローラと通信することと、および、
前記無線バックホールリンクと前記無線アクセスリンクの間のデータフローを、前記遠隔無線ネットワーク制御プロトコル上で通信された調整情報を使用してマップすることと、
を実施するようにコンピュータ可読記憶媒体上に格納されたコンピュータ実行可能命令を実行するプロセッサを使用すること、
を備える方法。
（１６）  サービスを受ける移動デバイスに対する接続を、バックホールリンクを介する別の接続とアグリゲートすることと、および、
接続のためのアグリゲートされていないアクセスリンクを、アグリゲートされたバックホールリンクにマップするために、前記ホスト無線ネットワークコントローラと情報を交換することと、
をさらに備える（１５）に記載の方法。
（１７）  サービスを受ける少なくとも１つの移動デバイスがソフトハンドオフに入ることを制限し、且つ、基地局によるサービスを受ける移動デバイスが前記中継器を相手にソフトハンドオフに入ることを制限すること、
をさらに備える（１５）に記載の方法。
（１８）  無線アクセスリンクを介して少なくとも１つの移動デバイスにサービスを提供することに関係する命令と、ホスト無線ネットワークコントローラに接続することに関係する命令と、中間基地局にトランスペアレントである遠隔無線ネットワーク制御プロトコルを使用して前記ホスト無線ネットワークコントローラと通信することに関係する命令と、および、無線バックホールリンクと前記無線アクセスリンクの間のデータフローを、前記遠隔無線ネットワーク制御プロトコル上で通信された調整情報を使用してマップすることに関係する命令と、を保持するメモリと、および、
前記メモリに結合され、前記メモリの中に保持される前記命令を実行するように構成されるプロセッサと、
を備える無線通信装置。
（１９）  少なくとも１つの移動デバイスにサービスを提供することと関係する前記命令は、第１の物理レイヤ、データリンクレイヤプロトコルスタック、および無線リソース制御サーバを使用する（１８）に記載の無線通信装置。
（２０）  前記ホスト無線ネットワークコントローラに接続することと関係する前記命令は、第２の物理レイヤ、データリンクレイヤプロトコルスタック、および無線リソース制御クライアントを使用して接続し、前記接続することは、中間基地局に対する無線バックホールリンクを介する（１９）に記載の無線通信装置。
（２１）  前記メモリは、サービスを受ける移動デバイスに対する接続を、バックホールリンクを介する別の接続とアグリゲートすることに関係する命令と、および、接続のためのアグリゲートされていないアクセスリンクを、アグリゲートされたバックホールリンクにマップするために、前記ホスト無線ネットワークコントローラと情報を交換することとに関係する命令と、をさらに保持する（１８）に記載の無線通信装置。
（２２）  前記メモリは、サービスを受ける少なくとも１つの移動デバイスがソフトハンドオフに入ることを制限し、且つ、基地局によるサービスを受ける移動デバイスが中継器を相手にソフトハンドオフに入ることを制限することに関係する命令をさらに保持する（１８）に記載の無線通信装置。
（２３）  第１の物理レイヤ、データリンクレイヤプロトコルスタック、および無線リソース制御サーバの使用を通じて無線アクセスリンクを介して少なくとも１つの移動デバイスにサービスを提供するための手段と、
中間基地局に対する無線バックホールリンクを介して、第２の物理レイヤ、データリンクレイヤプロトコルスタック、および無線リソース制御クライアントを使用してホスト無線ネットワークコントローラに接続するための手段と、
前記中間基地局にトランスペアレントである遠隔無線ネットワーク制御プロトコルを使用して前記ホスト無線ネットワークコントローラと通信するための手段と、および、
前記無線バックホールリンクと前記無線アクセスリンクの間のデータフローを、前記遠隔無線ネットワーク制御プロトコル上で通信された調整情報を使用してマップするための手段と、
を備える無線通信装置。
（２４）  サービスを受ける移動デバイスに対する接続を、バックホールリンクを介する別の接続とアグリゲートするための手段と、および、
接続のためのアグリゲートされていないアクセスリンクを、アグリゲートされたバックホールリンクにマップするために、前記ホスト無線ネットワークコントローラと情報を交換するための手段と、
をさらに備える（２３）に記載の無線通信装置。
（２５）  サービスを受ける少なくとも１つの移動デバイスがソフトハンドオフに入ることを制限し、且つ、基地局によるサービスを受ける移動デバイスが中継器を相手にソフトハンドオフに入ることを制限するための手段、
をさらに備える（２３）に記載の無線通信装置。
（２６）  コンピュータに、無線アクセスリンクを介して少なくとも１つの移動デバイスにサービスを提供するようにさせるためのコードの第１のセットであって、前記サービスを提供することは、第１の物理レイヤ、データリンクレイヤプロトコルスタック、および無線リソース制御サーバを使用することを備える、コードの第１のセットと、
前記コンピュータに、第２の物理レイヤ、データリンクレイヤプロトコルスタック、および無線リソース制御クライアントを使用してホスト無線ネットワークコントローラに接続するようにさせるためのコードの第２のセットであって、前記接続することは、中間基地局に対する無線バックホールリンクを介する、コードの第２のセットと、
前記コンピュータに、前記中間基地局にトランスペアレントである遠隔無線ネットワーク制御プロトコルを使用して前記ホスト無線ネットワークコントローラと通信するようにさせるためのコードの第３のセットと、および、
前記コンピュータに、前記無線バックホールリンクと前記無線アクセスリンクの間のデータフローを、前記遠隔無線ネットワーク制御プロトコル上で通信された調整情報を使用してマップするようにさせるためのコードの第４のセットと、
を備えるコンピュータ可読記憶媒体、
を備えるコンピュータプログラム製品。
（２７）  第１の物理レイヤ、データリンクレイヤプロトコルスタック、および無線リソース制御サーバを使用して無線アクセスリンクを介して少なくとも１つの移動デバイスにサービスを提供する第１のモジュールと、
中間基地局に対する無線バックホールリンクを介して、第２の物理レイヤ、データリンクレイヤプロトコルスタック、および無線リソース制御クライアントを使用してホスト無線ネットワークコントローラに接続する第２のモジュールと、
前記中間基地局にトランスペアレントである遠隔無線ネットワーク制御プロトコルを使用して前記ホスト無線ネットワークコントローラと通信する第３のモジュールと、および、
前記無線バックホールリンクと前記無線アクセスリンクの間のデータフローを、前記遠隔無線ネットワーク制御プロトコル上で通信された調整情報を使用してマップする第４のモジュールと、
を備える少なくとも１つのプロセッサ。
（２８）  無線通信ネットワークにおいて中継されるデータを伝送するために中継器によって実行される方法であって、
基地局としてサービスを受ける移動局に通信するため基地局プロトコルと、移動デバイスとして中間基地局と通信するための移動デバイスプロトコルと、を利用することと、および、
少なくとも１つの中間ネットワーク要素を横断してトランスペアレントにデータを伝送することであって、前記中継器は、前記少なくとも１つの中間ネットワーク要素を横断してトランスペアレントに、前記移動デバイスにまたは前記移動デバイスから、中継器ゲートウェイからまたは中継器ゲートウェイに、前記データを伝送する中継器セルフバックホールインターネットプロトコルを備える、データを伝送することと、
を実施するようにコンピュータ可読記憶媒体上に格納されたコンピュータ実行可能命令を実行するプロセッサを使用すること、
を備える方法。
（２９）  基地局としてサービスを受ける移動局に通信するための基地局プロトコルと、移動デバイスとして中間基地局と通信するための移動デバイスプロトコルと、を利用することに関係する命令と、および、少なくとも１つの中間ネットワーク要素を横断してトランスペアレントにデータを伝送することに関係する命令と、を保持するメモリと、および、
前記メモリに結合され、前記メモリの中に保持される前記命令を実行するように構成されるプロセッサと、
を備える無線通信装置。
（３０）  中継器ゲートウェイが第１のサポートノードに接続され、前記移動デバイスへのまたは前記移動デバイスからの前記データは、中継器自己バックホールインターネットプロトコル上で前記中継器ゲートウェイからまたは前記中継器ゲートウェイへ通信され、前記中継器自己バックホールインターネットプロトコルは、前記少なくとも１つの中間ネットワーク要素を横断してトランスペアレントに、前記移動デバイスにまたは前記移動デバイスから、前記中継器ゲートウェイからまたは前記中継器ゲートウェイに、前記データを伝送する（２９の無線通信装置。
（３１）  前記中継器ゲートウェイは、第２のサポートノードに接続され、前記移動デバイスへのまたは前記移動デバイスからのデータは、前記第２のサポートノードを介して宛先からまたは宛先へ、通信される（３０の無線通信装置。
（３２）  無線アクセス技術相互動作をサポートする無線通信装置であって、
基地局としてサービスを受ける移動局に通信すめたの基地局プロトコルを使用し、移動デバイスとして中間基地局と通信するための移動デバイスプロトコルを使用して、通信するための手段と、および、
少なくとも１つの中間ネットワーク要素を横断してトランスペアレントにデータを伝送するための手段と、
を備える無線通信装置。
（３３）  前記無線通信装置は、前記少なくとも１つの中間ネットワーク要素を横断してトランスペアレントに、前記移動デバイスにまたは前記移動デバイスから、中継器ゲートウェイからまたは中継器ゲートウェイに、データを伝送する中継器自己バックホールインターネットプロトコルを備える（３２の無線通信装置。
（３４）  コンピュータに、基地局プロトコルを使用して基地局として通信するようにさせ、移動デバイスプロトコルを使用して移動デバイスとして通信するようにさせるためのコードの第１のセットと、および、
前記コンピュータに、少なくとも１つの中間ネットワーク要素を横断してトランスペアレントにデータを中継するようにさせるためのコードの第２のセットと、
を備えるコンピュータ可読記憶媒体、
を備えるコンピュータプログラム製品。
（３５）  基地局としてサービスを受ける移動局に通信するための基地局プロトコルを使用し、移動デバイスとして中間基地局と通信するための移動デバイスプロトコルを使用して通信する第１のモジュールと、および、
少なくとも１つの中間ネットワーク要素を横断してトランスペアレントにデータを伝送する第２のモジュールと、
を備える少なくとも１つのプロセッサ。
（３６）  マルチホップ通信ネットワークにおいて通信するために基地局によって実行される方法であって、
第１のバックホール通信プロトコルを使用して無線ネットワークコントローラと、および、第２のバックホール通信プロトコルを使用して中継器と、通信することであって、前記第１のバックホール通信プロトコルは、前記中継器と前記無線ネットワークコントローラの間のデータを含む、通信することと、および、
前記第１のバックホール通信プロトコルの中に含まれる情報に基づいて、前記第２のバックホール通信プロトコル上で前記中継器に関する前記データを転送することと、
を実施するようにコンピュータ可読記憶媒体上に格納されたコンピュータ実行可能命令を実行するプロセッサを使用すること、
を備える方法。
（３７）  前記中継器によるサービスを受ける１つまたは複数の移動デバイスの優先順位に応じて、または前記中継器によるサービスを受ける移動デバイスの数に応じて、前記中継器への伝送の優先順位を決定すること、
をさらに備える（３６）に記載の方法。
（３８）  前記マルチホップ通信ネットワークと通信するための第１の無線通信技術と、前記無線ネットワークコントローラと通信するための第２の無線通信技術と、を利用すること、
をさらに備える（３６）に記載の方法。
【図１】
0005684137.tif 000002
【図２】
0005684137.tif 000003
【図３】
0005684137.tif 000004
【図４】
0005684137.tif 000005
【図５】
0005684137.tif 000006
【図６】
0005684137.tif 000007
【図７】
0005684137.tif 000008
【図８】
0005684137.tif 000009
【図９】
0005684137.tif 000010
【図１０】
0005684137.tif 000011
【図１１】
0005684137.tif 000012
【図１２】
0005684137.tif 000013
【図１３】
0005684137.tif 000014
【図１４】
0005684137.tif 000015
【図１５】
0005684137.tif 000016
【図１６】
0005684137.tif 000017
【図１７】
0005684137.tif 000018
【図１８】
0005684137.tif 000019
【図１９】
0005684137.tif 000020
【図２０】
0005684137.tif 000021
【図２１】
0005684137.tif 000022
【図２２】
0005684137.tif 000023
【図２３】
0005684137.tif 000024
【図２４】
0005684137.tif 000025
【図２５】
0005684137.tif 000026
【図２６】
0005684137.tif 000027
【図２７】
0005684137.tif 000028
【図２８】
0005684137.tif 000029
【図２９】
0005684137.tif 000030
【図３０】
0005684137.tif 000031
【図３１】
0005684137.tif 000032
【図３２】
0005684137.tif 000033
【図３３】
0005684137.tif 000034
【図３４】
0005684137.tif 000035
【図３５】
0005684137.tif 000036
【図３６】
0005684137.tif 000037
【図３７】
0005684137.tif 000038
【図３８】
0005684137.tif 000039